(57)【要約】  本出願は、データ送信方法及びデータ送信装置を開示し、データ処理技術の分野に関するものであり、送信効率を向上させる。本方法は、制御情報、及び第１の時間−周波数リソースにマッピングされたトランスポートブロックＴＢのデータを受信する段階と、ＴＢ内のｍ個の符号ブロックＣＢグループを第１の時間−周波数リソースから取得して、ｍ個のＣＢグループの復調復号データを連結することによって１つのＴＢのデータを生成する段階であって、ｍは正の整数であり、ｍ＝ｍｉｎ（ＮＣＢ＿ｒｅ，ＮＧｒｏｕｐ＿ｍａｘ）であり、ＮＣＢ＿ｒｅはＴＢ内のＣＢの個数であり、ＮＧｒｏｕｐ＿ｍａｘはＣＢグループの個数の最大値であり、ｍ個のＣＢグループのそれぞれは少なくとも１つのＣＢを含み、ＮＣＢ＿ｒｅはＴＢサイズＴＢＳ及びＣＢのデータサイズの最大値に基づいて決定され、ＴＢＳは制御情報に基づいて決定される、段階とを含む。
2019534647.tif 000002
【特許請求の範囲】
【請求項１】
データ送信方法であって、
制御情報、及び第１の時間−周波数リソースにマッピングされたトランスポートブロックＴＢのデータを受信する段階と、
前記ＴＢ内のｍ個の符号ブロックＣＢグループを取得して、前記ｍ個のＣＢグループの復調復号データを連結することによって１つのＴＢのデータを生成する段階であって、ｍは正の整数であり、ｍ＝ｍｉｎ（ＮＣＢ＿ｒｅ，ＮＧｒｏｕｐ＿ｍａｘ）であり、ＮＣＢ＿ｒｅは前記ＴＢ内のＣＢの個数であり、ＮＧｒｏｕｐ＿ｍａｘはＣＢグループの個数の最大値であり、前記ｍ個のＣＢグループのそれぞれは少なくとも１つのＣＢを含み、ＮＣＢ＿ｒｅはＴＢサイズＴＢＳ及びＣＢのデータサイズの最大値に基づいて決定される、段階と
を備える、方法。
【請求項２】
前記ｍ個のＣＢグループのそれぞれの中にあるＣＢの個数がＣ＋又はＣ−であり、
【数２９】
2019534647.tif 000031
及び
【数３０】
2019534647.tif 000032
である、請求項１に記載の方法。
【請求項３】
前記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋という関係が満たされる、請求項２に記載の方法。
【請求項４】
前記制御情報は１つの冗長バージョンＲＶを含み、前記ＲＶは、前記ＴＢが用いるＲＶを示すのに用いられる、請求項１から３のいずれか一項に記載の方法。
【請求項５】
前記制御情報はＮＧｒｏｕｐ＿ｍａｘビットの情報を含み、前記ＮＧｒｏｕｐ＿ｍａｘビットの情報は、前記ｍ個のＣＢグループのそれぞれのデータを再送信するかどうかを示すのに用いられる、請求項１から４のいずれか一項に記載の方法。
【請求項６】
前記方法はさらに、ＮＧｒｏｕｐ＿ｍａｘビットの肯定応答／否定応答ＡＣＫ／ＮＡＣＫをフィードバックする段階を備える、請求項１から５のいずれか一項に記載の方法。
【請求項７】
ＮＧｒｏｕｐ＿ｍａｘビットのそれぞれは、対応するＣＢグループのデータが正しく検査されたかどうかを示すのに用いられる、請求項１から６のいずれか一項に記載の方法。
【請求項８】
データ送信方法であって、
トランスポートブロックＴＢのｍ個の符号ブロックＣＢグループの一部又は全ての符号化変調データを第１の時間−周波数リソースにマッピングする段階であって、ｍは正の整数であり、前記ｍ個のＣＢグループのそれぞれは少なくとも１つのＣＢを含み、ｍ＝ｍｉｎ（ＮＣＢ＿ｒｅ，ＮＧｒｏｕｐ＿ｍａｘ）であり、ＮＣＢ＿ｒｅは前記ＴＢ内のＣＢの個数であり、ＮＧｒｏｕｐ＿ｍａｘはＣＢグループの個数の最大値であり、ＮＣＢ＿ｒｅはＴＢサイズＴＢＳ及びＣＢのデータサイズの最大値に基づいて決定される、段階と、
制御情報、及び前記第１の時間−周波数リソース上にあるデータを送出する段階であって、前記制御情報は前記ＴＢに関する情報を含む、段階と
を備える方法。
【請求項９】
前記ｍ個のＣＢグループのそれぞれの中にあるＣＢの個数がＣ＋又はＣ−であり、
【数３１】
2019534647.tif 000033
及び
【数３２】
2019534647.tif 000034
である、請求項８に記載の方法。
【請求項１０】
前記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋という関係が満たされる、請求項９に記載の方法。
【請求項１１】
前記制御情報は１つの冗長バージョンＲＶを含み、前記ＲＶは、前記ＴＢが用いるＲＶを示すのに用いられる、請求項８から１０のいずれか一項に記載の方法。
【請求項１２】
前記制御情報はＮＧｒｏｕｐ＿ｍａｘビットの情報を含み、前記ＮＧｒｏｕｐ＿ｍａｘビットの情報は、前記ｍ個のＣＢグループのそれぞれのデータを再送信するかどうかを示すのに用いられる、請求項８から１１のいずれか一項に記載の方法。
【請求項１３】
前記方法はさらに、ＮＧｒｏｕｐ＿ｍａｘビットのＡＣＫ／ＮＡＣＫを受信する段階を備える、請求項８から１２のいずれか一項に記載の方法。
【請求項１４】
ＮＧｒｏｕｐ＿ｍａｘビットのそれぞれは、対応するＣＢグループのデータが正しく検査されたかどうかを示すのに用いられる、請求項８から１３のいずれか一項に記載の方法。
【請求項１５】
通信装置であって、
制御情報、及び第１の時間−周波数リソースにマッピングされたトランスポートブロックＴＢのデータを受信するように構成された受信モジュールと、
前記ＴＢ内のｍ個の符号ブロックＣＢグループを取得して、前記ｍ個のＣＢグループの復調復号データを連結することによって１つのＴＢのデータを生成するように構成された処理モジュールであって、ｍは正の整数であり、ｍ＝ｍｉｎ（ＮＣＢ＿ｒｅ，ＮＧｒｏｕｐ＿ｍａｘ）であり、ＮＣＢ＿ｒｅは前記ＴＢ内のＣＢの個数であり、ＮＧｒｏｕｐ＿ｍａｘはＣＢグループの個数の最大値であり、前記ｍ個のＣＢグループのそれぞれは少なくとも１つのＣＢを含み、ＮＣＢ＿ｒｅはＴＢサイズＴＢＳ及びＣＢのデータサイズの最大値に基づいて決定される、処理モジュールと
を備える、装置。
【請求項１６】
前記ｍ個のＣＢグループのそれぞれの中にあるＣＢの個数がＣ＋又はＣ−であり、
【数３３】
2019534647.tif 000035
及び
【数３４】
2019534647.tif 000036
である、請求項１５に記載の装置。
【請求項１７】
前記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋という関係が満たされる、請求項１６に記載の装置。
【請求項１８】
前記制御情報は１つの冗長バージョンＲＶを含み、前記ＲＶは、前記ＴＢが用いるＲＶを示すのに用いられる、請求項１５から１７のいずれか一項に記載の装置。
【請求項１９】
前記制御情報はＮＧｒｏｕｐ＿ｍａｘビットの情報を含み、前記ＮＧｒｏｕｐ＿ｍａｘビットの情報は、前記ｍ個のＣＢグループのそれぞれのデータを再送信するかどうかを示すのに用いられる、請求項１５から１８のいずれか一項に記載の装置。
【請求項２０】
前記装置はさらに、ＮＧｒｏｕｐ＿ｍａｘビットの肯定応答／否定応答ＡＣＫ／ＮＡＣＫをフィードバックするように構成された送出モジュールを備える、請求項１５から１９のいずれか一項に記載の装置。
【請求項２１】
ＮＧｒｏｕｐ＿ｍａｘビットのそれぞれは、対応するＣＢグループのデータが正しく検査されたかどうかを示すのに用いられる、請求項１５から２０のいずれか一項に記載の装置。
【請求項２２】
通信装置であって、
トランスポートブロックＴＢのｍ個の符号ブロックＣＢグループの一部又は全ての符号化変調データを第１の時間−周波数リソースにマッピングするように構成された処理モジュールであって、ｍは正の整数であり、前記ｍ個のＣＢグループのそれぞれは少なくとも１つのＣＢを含み、ｍ＝ｍｉｎ（ＮＣＢ＿ｒｅ，ＮＧｒｏｕｐ＿ｍａｘ）であり、ＮＣＢ＿ｒｅは前記ＴＢ内のＣＢの個数であり、ＮＧｒｏｕｐ＿ｍａｘはＣＢグループの個数の最大値であり、ＮＣＢ＿ｒｅはＴＢサイズＴＢＳ及びＣＢのデータサイズの最大値に基づいて決定される、処理モジュールと、
制御情報、及び前記第１の時間−周波数リソース上にあるデータを送出するように構成された送出モジュールであって、前記制御情報は前記ＴＢに関する情報を含む、送出モジュールと
を備える、装置。
【請求項２３】
前記ｍ個のＣＢグループのそれぞれの中にあるＣＢの個数がＣ＋又はＣ−であり、
【数３５】
2019534647.tif 000037
及び
【数３６】
2019534647.tif 000038
である、請求項２２に記載の装置。
【請求項２４】
前記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋という関係が満たされる、請求項２３に記載の装置。
【請求項２５】
前記制御情報は１つの冗長バージョンＲＶを含み、前記ＲＶは、前記ＴＢが用いるＲＶを示すのに用いられる、請求項２２から２４のいずれか一項に記載の装置。
【請求項２６】
前記制御情報はＮＧｒｏｕｐ＿ｍａｘビットの情報を含み、前記ＮＧｒｏｕｐ＿ｍａｘビットの情報は、前記ｍ個のＣＢグループのそれぞれのデータを再送信するかどうかを示すのに用いられる、請求項２２から２５のいずれか一項に記載の装置。
【請求項２７】
前記装置はさらに、ＮＧｒｏｕｐ＿ｍａｘビットのＡＣＫ／ＮＡＣＫを受信するように構成された受信モジュールを備える、請求項２２から２６のいずれか一項に記載の装置。
【請求項２８】
ＮＧｒｏｕｐ＿ｍａｘビットのそれぞれは、対応するＣＢグループのデータが正しく検査されたかどうかを示すのに用いられる、請求項２２から２７のいずれか一項に記載の装置。
【請求項２９】
プロセッサと、メモリと、送受信機ユニットとを備える通信装置であって、
前記メモリは、コンピュータプログラム又は命令を格納するように構成され、
前記プロセッサは、前記メモリに格納された前記コンピュータプログラム又は前記命令を実行して、情報及びデータを送受信するよう前記送受信機ユニットを制御するように構成され、
前記メモリに格納された前記コンピュータプログラム又は前記命令を前記プロセッサが実行した場合、前記通信装置は、請求項１から１４のいずれか一項に記載の方法を遂行するように構成される、通信装置。
【請求項３０】
前記送受信機ユニットは、送受信機又は入出力インタフェースである、請求項２９に記載の通信装置。
【請求項３１】
コンピュータソフトウェア命令を格納するように構成されたコンピュータ可読記憶媒体であって、前記コンピュータソフトウェア命令は請求項１から１４のいずれか一項に記載の方法を実施するのに用いられる、コンピュータ可読記憶媒体。
【請求項３２】
コンピュータプログラム製品であって、前記コンピュータプログラム製品がコンピュータ上で起動すると、前記コンピュータは請求項１から１４のいずれか一項に記載の方法を実施する、コンピュータプログラム製品。
【発明の詳細な説明】
【技術分野】
【０００１】
本出願は、２０１６年１１月４日に中国特許庁に出願された「データ送信方法及びデータ送信装置（ＤＡＴＡ  ＴＲＡＮＳＭＩＳＳＩＯＮ  ＭＥＴＨＯＤ  ＡＮＤ  ＡＰＰＡＲＡＴＵＳ）」と題する中国特許出願第２０１６１０９８２０３０．６号と、２０１６年１２月３０日に中国特許庁に出願された「データ送信方法及びデータ送信装置」と題する中国特許出願第２０１６１１２７１２４５．３号と、２０１７年３月２０日に中国特許庁に出願された「データ送信方法及びデータ送信装置」と題する中国特許出願第２０１７１０１６７２２３．０号とに基づく優先権を主張するものであり、これらの特許出願はその全体が参照により本明細書に組み込まれる。
【０００２】
本出願は、データ処理技術の分野に関するものであり、詳細には、データ送信方法及びデータ送信装置に関するものである。
【背景技術】
【０００３】
ロングタームエボリューション（Ｌｏｎｇ  Ｔｅｒｍ  Ｅｖｏｌｕｔｉｏｎ、ＬＴＥ）技術において、送信側でのデータ処理手順には、巡回冗長検査（ｃｙｃｌｉｃ  ｒｅｄｕｎｄａｎｃｙ  ｃｈｅｃｋ、ＣＲＣ）をトランスポートブロック（ｔｒａｎｓｐｏｒｔ  ｂｌｏｃｋ、ＴＢ）に付加し、ＴＢを１つ又は複数の符号ブロック（ｃｏｄｅ  ｂｌｏｃｋ、ＣＢ）に分割してＣＲＣを各ＣＢに付加し、次に、符号化、レートマッチング、及びリソースマッピングなどのオペレーションを各ＣＢに対して行った後に当該ＣＢを送出するといった手順が含まれる。受信側では、データを受信して、逆のリソースマッピング及びレートマッチングなどの逆のオペレーションを当該データに対して行った後に、各ＣＢの復号を試みる。全てのＣＢを復号した後に取得したデータのＣＲＣが成功し、且つＴＢのＣＲＣが成功した場合、ＴＢの送信に成功したことを送信側に通知するために、１ビット（ｂｉｔ）の肯定応答（ａｃｋｎｏｗｌｅｄｇｅｍｅｎｔ、ＡＣＫ）インジケーションがフィードバックされる。ＣＢを復号した後に取得したデータのＣＲＣが失敗したか、又はＴＢのＣＲＣが失敗した場合、ＴＢの送信に失敗したことを送信側に通知するために、１ビットの否定応答（ｎｅｇａｔｉｖｅ  ａｃｋｎｏｗｌｅｄｇｅｍｅｎｔ、ＮＡＣＫ）インジケーションがフィードバックされる。送信側は、データ通信の信頼性を保証するために、ＴＢのデータを再送信してもよい。
【０００４】
前述の方法では、ＣＢを復号した後に取得したデータのＣＲＣが失敗したと受信側が判定した場合、送信側は、ＴＢ全体のデータを再送信する必要がある。これが、比較的低い送信効率の原因になる。
【発明の概要】
【０００５】
本発明の実施形態が、送信効率を向上させるために、データ送信方法及びデータ送信装置を提供する。
【０００６】
以下の技術的解決手段は、前述の目的を実現するために、本発明の実施形態に用いられる。
【０００７】
第１の態様によれば、ＴＢ分割方法が提供され、本方法は、ＴＢをｍ個の符号ブロックＣＢグループに分割する段階を含む。ここで、ｍは２以上の整数であり、ＣＢグループは少なくとも１つのＣＢを含む。この技術的解決手段において、１つのＴＢが複数のＣＢグループに分割され、各ＣＢグループは少なくとも１つのＣＢグループを含む。このように、この技術的解決手段がデータ送信プロセスに適用されると、１つのＣＢグループのデータ又は１つのＣＢグループ内の１つ又は複数のＣＢのデータの送信に失敗したと受信側が判定した場合、送信側は当該ＣＢグループのデータのみを再送信すればよい。したがって、リソースを節約することができ、送信効率が向上する。例えば、１つのＣＢグループ内の各ＣＢを復号した後に取得したデータのＣＲＣが成功した場合、当該ＣＢグループの送信に成功したことを送信側に通知するためにＡＣＫがフィードバックされる。そうでなければ、当該ＣＢグループの送信に失敗したことを送信側に通知するためにＮＡＣＫがフィードバックされ、送信側は当該ＣＢグループのデータを再送信してもよい。
【０００８】
実行可能な設計例において、ＴＢをｍ個のＣＢグループに分割する段階は、ＣＢグループの個数の最大値ＮＧｒｏｕｐ＿ｍａｘに基づいてＣＢグループの個数の実際の値ｍを決定する段階を含んでよい。任意選択的に、ｍ＝ＮＧｒｏｕｐ＿ｍａｘである。この実施例の関連する説明については、実施形態の説明にある「ＣＢグループの個数の実際の値ｍの決定」に関する方式４を参照されたい。
【０００９】
実行可能な設計例において、ＴＢをｍ個のＣＢグループに分割する段階は、ＴＢのデータサイズＴＢＳ、ＣＢのデータサイズの最大値ＣＢｍａｘ、及びＣＢグループの個数の最大値ＮＧｒｏｕｐ＿ｍａｘに基づいて、ＣＢグループの個数の実際の値ｍを決定する段階を含んでよい。この実施例の関連する説明については、実施形態の説明にある「ＣＢグループの個数の実際の値ｍの決定」に関する方式１０を参照されたい。
【００１０】
任意選択的に、ＴＢを分割することにより取得されるＣＢの個数の基準値ＮＣＢ＿ｒｅが、ＮＣＢ＿ｒｅ＝ｃｅｉｌ（ＴＢＳ／ＣＢｍａｘ）の式に基づいて、まず決定される。次に、ＣＢグループの個数の実際の値ｍが、ｍ＝ｍｉｎ（ｃｅｉｌ（ＮＣＢ＿ｒｅ／Ｋ），ＮＧｒｏｕｐ＿ｍａｘ）の式に基づいて決定される。
【００１１】
ＴＢＳは、ＴＢのデータサイズを示す。ＴＢにＣＲＣを付加しない場合、ＴＢのデータサイズＴＢＳはＴＢのデータサイズである。ＴＢにＣＲＣを付加する場合、ＴＢのデータサイズＴＢＳは、ＴＢのデータサイズとＴＢに付加するＣＲＣのサイズとの合計になる。
【００１２】
ＣＢｍａｘは、ＣＢのデータサイズの最大値を示す。ＣＢにＣＲＣを付加しない場合、ＣＢのデータサイズの最大値ＣＢｍａｘは最大ＣＢサイズである（例えば、ＣＢｍａｘはＬＴＥにおいて６１４４ビットになり得る、又はＣＢｍａｘはＮＲ／５Ｇにおいて８１９２ビットになり得る）。ＣＢにＣＲＣを付加する場合、ＣＢのデータサイズの最大値ＣＢｍａｘは、最大ＣＢサイズから、ＣＢに付加するＣＲＣのサイズを差し引くことにより求められる。ｃｅｉｌ（）は、端数を切り上げることを示す。
【００１３】
Ｋは１であってよく、又は１つのＣＢグループに含まれるＣＢの個数の最小値ＮＣＢ＿ｍｉｎ、又は１つのＣＢグループに含まれるＣＢの個数ＮＣＢ＿ｐｅｒＧｒｏｕｐ（又は、ＣＢグループの粒度と呼ばれる）、又は１つのＣＢグループに含まれるＣＢの個数の最大値ＮＣＢ＿ｍａｘであってよい。ＮＣＢ＿ｍｉｎ、ＮＣＢ＿ｐｅｒＧｒｏｕｐ、及びＮＣＢ＿ｍａｘは全て、事前設定されても又はシグナリングを用いて構成されてもよく、シグナリングを用いて構成を実施することは、上位層のシグナリング又は物理層シグナリングを用いて動的に／半静的に構成を実施することを含んでよい。
【００１４】
実行可能な設計例において、ＴＢをｍ個のＣＢグループに分割する段階は、ＴＢのデータサイズＴＢＳ、ＣＢグループのデータサイズの最大値ＣＢＧｒｏｕｐ＿ｍａｘ、及びＣＢグループの個数の最大値ＮＧｒｏｕｐ＿ｍａｘに基づいて、ＣＢグループの個数の実際の値ｍを決定する段階を含んでよい。この実施例の関連する説明については、実施形態の説明にある「ＣＢグループの個数の実際の値ｍの決定」に関する方式１１を参照されたい。
【００１５】
任意選択的に、ＣＢグループの個数の基準値ＮＧｒｏｕｐ＿ｒｅが、ＮＧｒｏｕｐ＿ｒｅ＝ｃｅｉｌ（ＴＢＳ／ＣＢＧｒｏｕｐ＿ｍａｘ）の式に基づいて決定され、次にｍが、ｍ＝ｍｉｎ（ＮＧｒｏｕｐ＿ｒｅ，ＮＧｒｏｕｐ＿ｍａｘ）の式に基づいて決定される。ＴＢＳの関連する説明については、前述の事項を参照されたい。ＣＢグループにＣＲＣを付加しない場合、ＣＢＧｒｏｕｐ＿ｍａｘはＣＢグループのデータのビットの最大個数である。ＣＢグループにＣＲＣを付加する場合、ＣＢＧｒｏｕｐ＿ｍａｘは、ＣＢグループのデータのビットの最大個数から、ＣＢグループに付加するＣＲＣのサイズを差し引くことにより求められる。ＣＢＧｒｏｕｐ＿ｍａｘは、事前設定されても又はシグナリングを用いて構成されてもよく、シグナリングを用いて構成を実施することは、上位層のシグナリング又は物理層シグナリングを用いて動的に／半静的に構成を実施することを含んでよい。
【００１６】
前述の解決手段のうちのいずれか１つにおけるＮＧｒｏｕｐ＿ｍａｘは、事前設定されても又はシグナリングを用いて構成されてもよく、シグナリングを用いて構成を実施することは、上位層のシグナリング又は物理層シグナリングを用いて動的に／半静的に構成を実施することを含んでよい。
【００１７】
実行可能な設計例において、ＴＢをｍ個のＣＢグループに分割する段階は、ＴＢのデータサイズＴＢＳに基づいてＣＢグループの個数の実際の値ｍを決定する段階を含んでよい。任意選択的に、１つ又は複数の事前設定閾値が送信側において設定されてよく、送信側は次に、ＴＢＳ及び１つ又は複数の事前設定閾値に基づいてｍを決定してよい。この実施例の関連する説明については、実施形態の説明にある「ＣＢグループの個数の実際の値ｍの決定」に関する方式３を参照されたい。
【００１８】
実行可能な設計例において、ＴＢをｍ個のＣＢグループに分割する段階は、ＴＢのデータサイズＴＢＳとＣＢのデータサイズの最大値ＣＢｍａｘとに基づいて、ＣＢグループの個数の実際の値ｍを決定する段階を含んでよい。この実施例の関連する説明については、実施形態の説明にある「ＣＢグループの個数の実際の値ｍの決定」に関する方式６を参照されたい。
【００１９】
実行可能な設計例において、ＴＢをｍ個のＣＢグループに分割する段階は、ＴＢのデータサイズＴＢＳとＣＢグループのデータサイズの最大値ＣＢＧｒｏｕｐ＿ｍａｘとに基づいて、ＣＢグループの個数の実際の値ｍを決定する段階を含んでよい。この実施例の関連する説明については、実施形態の説明にある「ＣＢグループの個数の実際の値ｍの決定」に関する方式７を参照されたい。
【００２０】
実行可能な設計例において、ＴＢをｍ個のＣＢグループに分割する段階は、ＴＢのデータサイズＴＢＳとＣＢグループの個数の最大値ＮＧｒｏｕｐ＿ｍａｘとに基づいて、ＣＢグループの個数の実際の値ｍを決定する段階を含んでよい。この実施例の関連する説明については、実施形態の説明にある「ＣＢグループの個数の実際の値ｍの決定」に関する方式８を参照されたい。
【００２１】
本発明の実施形態は、１つのＴＢに含まれるＣＢグループの個数の実際の値ｍを決定することについて、複数の実施例を提供する。詳細については、実施形態の説明にある「ＣＢグループの個数の実際の値ｍの決定」に関する方式１から方式１１を参照されたい。少なくとも以下の２つのカテゴリが含まれる。
【００２２】
第１のカテゴリでは、ＴＢを分割することにより取得されるＣＢの個数の基準値ＮＣＢ＿ｒｅが、ＮＣＢ＿ｒｅ＝ｃｅｉｌ（ＴＢＳ／ＣＢｍａｘ）の式に基づいて、まず決定される。次にＣＢグループの個数の実際の値ｍが、方式１、方式６、及び方式１０のように決定される。
【００２３】
第２のカテゴリでは、ＴＢを分割することにより取得されるＣＢグループの個数の基準値ＮＧｒｏｕｐ＿ｒｅが、ＮＧｒｏｕｐ＿ｒｅ＝ｃｅｉｌ（ＴＢＳ／ＣＢＧｒｏｕｐ＿ｍａｘ）の式に基づいて、まず決定される。次にＣＢグループの個数の実際の値ｍが、方式２、方式７、及び方式１１のように決定される。
【００２４】
第１のカテゴリの方式において、ＮＣＢ＿ｒｅは、第１のカテゴリの方式で決定されたｍでちょうど割り切れなくてもよい。したがって、異なるＣＢグループのＣＢの個数は異なってもよい。  実行可能な設計例において、本方法はさらに、
【数１】
2019534647.tif 000003
の式又は
【数２】
2019534647.tif 000004
の式に基づいて、各ＣＢグループのＣＢの個数Ｃを決定する段階を含んでよい。ここで、
【数３】
2019534647.tif 000005
は端数を切り上げることを示し、
【数４】
2019534647.tif 000006
は端数を切り捨てることを示し、ＣはＣ＋及びＣ−を含む。  また、本方法はさらに、Ｎ＋＝ＮＣＢ＿ｒｅ−ｍＣ−の式に基づいて、それぞれがＣ＋個のＣＢを有するＣＢグループの個数Ｎ＋を決定する段階と、Ｎ−＝ｍ−Ｎ＋の式に基づいて、それぞれがＣ−個のＣＢを有するＣＢグループの個数Ｎ−を決定する段階とを含んでよい。この実施例は、ＣＢグループ内のＣＢの個数を決定する方式を提供する。
【００２５】
第２のカテゴリの方式において、ＴＢＳは、第２のカテゴリの方式で決定されたｍでちょうど割り切れなくてもよい。したがって、異なるＣＢグループに含まれるビットの個数は異なってもよい。  実行可能な設計例において、本方法はさらに、
【数５】
2019534647.tif 000007
又はＢ−＝ＴＢＳ−（ｍ−１）Ｂ＋の式に基づいて、各ＣＢグループ内のビットの個数Ｂを決定する段階を含んでよい。  この実施例は、ＣＢグループに含まれるビットの個数を決定する方式を提供する。
【００２６】
第２の態様によれば、データ送信方法が提供され、本方法は、ＴＢをｍ個の符号ブロックＣＢグループに分割する段階であって、ｍは２以上の整数であり、ＣＢグループは少なくとも１つのＣＢを含む、段階と、ｍ個のＣＢグループの符号化変調データを第１の時間−周波数リソースにマッピングする段階と、第１の時間−周波数リソースにマッピングされたデータを送出する段階とを含む。この技術的解決手段において、１つのＴＢが複数のＣＢグループに分割され、各ＣＢグループは少なくとも１つのＣＢグループを含む。このように、１つのＣＢグループのデータ又は１つのＣＢグループ内の１つ又は複数のＣＢのデータの送信に失敗したと受信側が判定した場合、送信側は当該ＣＢグループのデータのみを再送信すればよい。したがって、リソースを節約することができ、送信効率が向上する。ｍを決定する手順については、第１の態様を参照されたい。詳細は、ここで再度説明しない。
【００２７】
実行可能な設計例において、本方法はさらに、各ＣＢグループにＣＲＣを付加する段階を含んでよい。
【００２８】
実行可能な設計例において、本方法はさらに、各ＣＢにＣＲＣを付加する段階を含んでよい。
【００２９】
実行可能な設計例において、本方法はさらに、各ＣＢグループをＣ個のＣＢに分割する段階を含んでよく、各ＣＢにＣＲＣを付加する場合、Ｃ＝ｃｅｉｌ（Ｂ／（ＣＢｍａｘ−ＣＢＣＲＣ））となり、各ＣＢにＣＲＣを付加しない場合、Ｃ＝ｃｅｉｌ（Ｂ／ＣＢｍａｘ）となる。ｃｅｉｌ（）は端数を切り上げることを示し、ＢはＣＢグループのデータサイズを示し、ＣＢｍａｘはＣＢのデータサイズの最大値を示し、ＣＢＣＲＣはＣＢに付加するＣＲＣのサイズを示す。ＣＢグループにＣＲＣを付加しない場合、ＣＢグループのデータサイズＢはＣＢグループのデータサイズＬＣＢｇｒｏｕｐである。ＣＢグループにＣＲＣを付加する場合、ＣＢグループのデータサイズＢは、ＣＢグループのデータサイズＬＣＢｇｒｏｕｐとＣＢグループに付加するＣＲＣのサイズＣＢＧｒｏｕｐＣＲＣとの合計になる。実行可能な設計例により、ＣＢグループを複数のＣＢに分割する方法が提供される。具体的には、ＣＢグループをＣ個のＣＢに分割し、ＣＢにＣＲＣを付加しない場合、Ｃ＝ｃｅｉｌ（ＬＣＢｇｒｏｕｐ／ＣＢｍａｘ）となり、ＣＢグループをＣ個のＣＢグループに分割し、ＣＢにＣＲＣを付加する場合、Ｃ＝ｃｅｉｌ（ＬＣＢｇｒｏｕｐ／（ＣＢｍａｘ−ＣＢＣＲＣ））となり、ＣＢグループ及びＣＢグループに付加したＣＲＣをＣ個のＣＢに分割し、ＣＢにＣＲＣを付加しない場合、Ｃ＝ｃｅｉｌ（（ＬＣＢｇｒｏｕｐ＋ＣＢＧｒｏｕｐＣＲＣ）／ＣＢｍａｘ）となり、又は、ＣＢグループ及びＣＢグループに付加したＣＲＣをＣ個のＣＢに分割し、ＣＢグループにＣＲＣを付加した場合、Ｃ＝ｃｅｉｌ（（ＬＣＢｇｒｏｕｐ＋ＣＢＧｒｏｕｐＣＲＣ）／（ＣＢｍａｘ−ＣＢＣＲＣ））となる。
【００３０】
実行可能な設計例において、本方法はさらに、ＭビットのＨＡＲＱインジケータを受信する段階を含んでよい。ここで、ＨＡＲＱインジケータの各ビットは、対応するＣＢグループのデータが正しく受信されたかどうかを示すのに用いられ、Ｍは、ＣＢグループの個数の最大値又はＣＢグループの個数の実際の値ｍである。実行可能な設計例により、ＨＡＲＱインジケータを送信する方法が提供される。
【００３１】
実行可能な設計例において、ＭＩＭＯシステムの１つの送信プロセスで送信される複数のＴＢに対して空間多重化を行う場合、送信側は複数のＴＢのそれぞれに対して個別のオペレーションを行ってよい。言い換えれば、本出願において提供される技術的解決手段に従って、複数のＴＢのそれぞれに対してデータ送信が行われる。あるいは、送信側は、複数のＴＢに対して共通オペレーションを行ってもよく、例えば、複数のＴＢのうちの最大データサイズ又は最小データサイズを有するＴＢに基づいて、均等分割方式を決定してもよい。例えば、ＣＢグループの個数の実際の値ｍを決定する処理に用いられるＴＢＳが、複数のＴＢのうちの最大データサイズ又は最小データサイズを有するＴＢに基づいて決定されてよい。実行可能な設計例により、同時に送信される複数のＴＢを分割する実施例が提供される。
【００３２】
実行可能な設計例において、本方法はさらに、制御情報を送出する段階を含んでよい。制御情報は、以下の情報のうちの少なくとも１つを含む。すなわち、１つ又はＮ個の変調符号化方式ＭＣＳ、１つ又はＮ個の新規データインジケータＮＤＩ、及び１つ又はＮ個の冗長バージョンＲＶである。Ｎは、ＣＢグループの個数の最大値又はＣＢグループの個数の実際の値ｍを示す。制御情報は、ダウンリンク制御情報ＤＣＩであってよい。この技術的解決手段により、ダウンリンク制御情報ＤＣＩを送信する方法が提供される。
【００３３】
実行可能な設計例において、再送信データのみが現在の送信プロセスで送信される場合、新規データを表した、ＮＤＩに含まれる情報は無意味である。新規データ及び再送信データが現在の送信プロセスで送信される場合、新規データ及び再送信データを表した、ＮＤＩ内にある情報は意味をなす。
【００３４】
第３の態様によれば、データ送信方法が提供され、本方法は、制御情報を受信する段階であって、制御情報はトランスポートブロックＴＢに関する情報を含み、ＴＢはｍ個の符号ブロックＣＢグループを含み、ＣＢグループは少なくとも１つのＣＢを含み、ｍは２以上の整数である、段階と、次にｍ個のＣＢグループを第１の時間−周波数リソースから取得し、ｍ個のＣＢグループの復調復号データを連結することによって１つのＴＢのデータを生成する段階とを含む。
【００３５】
実行可能な設計例において、本方法はさらに、ＣＢグループの個数の実際の値ｍを決定する段階を含んでよい。その実装プロセスについては、第１の態様を参照されたい。詳細は、ここで再度説明しない。
【００３６】
実行可能な設計例において、本方法はさらに、Ｍビットの自動再送要求ＨＡＲＱインジケータをフィードバックする段階を含んでよい。ＨＡＲＱインジケータの各ビットは、対応するＣＢグループのデータが正しく受信されたかどうかを示すのに用いられ、ＭはＣＢグループの個数の最大値又はＣＢグループの個数の実際の値ｍである。任意選択的に、ＴＢの復号に失敗すると（具体的には、ＣＲＣが失敗すると）、ＭビットのＮＡＣＫインジケーションがフィードバックされる。
【００３７】
実行可能な設計例において、ｍ個のＣＢグループを第１の時間−周波数リソースから抽出した後に、本方法はさらに、各ＣＢグループのデータをＣ個のＣＢに分割する段階を含んでよい。各ＣＢに巡回冗長検査ＣＲＣを付加する場合、Ｃ＝ｃｅｉｌ（Ｂ／（ＣＢｍａｘ−ＣＢＣＲＣ））となり、各ＣＢにＣＲＣを付加しない場合、Ｃ＝ｃｅｉｌ（Ｂ／ＣＢｍａｘ））となる。ｃｅｉｌ（）は端数を切り上げることを示し、ＢはＣＢグループのデータサイズを示し、ＣＢｍａｘはＣＢのデータサイズの最大値を示し、ＣＢＣＲＣはＣＢに付加するＣＲＣのサイズを示す。ＣＢグループにＣＲＣを付加しない場合、ＣＢグループのデータサイズはＣＢグループのデータサイズである。ＣＢグループにＣＲＣを付加する場合、ＣＢグループのデータサイズは、ＣＢグループのデータサイズとＣＢグループに付加するＣＲＣのサイズとの合計になる。
【００３８】
実行可能な設計例において、本方法はさらに、制御情報を受信する段階を含んでよい。制御情報は以下の情報のうちの少なくとも１つを含む。すなわち、１つ又はＮ個の変調符号化方式ＭＣＳ、１つ又はＮ個の新規データインジケータＮＤＩ、及び１つ又はＮ個の冗長バージョンＲＶである。Ｎは、ＣＢグループの個数の最大値又はＣＢグループの個数の実際の値ｍを示す。
【００３９】
第３の態様で提供される任意の技術的解決手段の関連内容の説明及び有益な効果については、第２の態様の対応する技術的解決手段を参照できることが理解されるであろう。
【００４０】
第４の態様によれば、第１の態様で提供された任意のＴＢ分割方法を実施するように構成されたＴＢ分割装置が提供される。ＴＢ分割装置は、ＴＢをｍ個の符号ブロックＣＢグループに分割するように構成された分割モジュールを含む。ここで、ｍは２以上の整数であり、ＣＢグループは少なくとも１つのＣＢを含む。
【００４１】
実行可能な設計例において、分割モジュールは具体的に、ＣＢグループの個数の最大値ＮＧｒｏｕｐ＿ｍａｘに基づいてＣＢグループの個数の実際の値ｍを決定するように構成される。任意選択的に、ｍ＝ＮＧｒｏｕｐ＿ｍａｘである。
【００４２】
実行可能な設計例において、分割モジュールは具体的に、ＴＢのデータサイズＴＢＳ、ＣＢのデータサイズの最大値ＣＢｍａｘ、及びＣＢグループの個数の最大値ＮＧｒｏｕｐ＿ｍａｘに基づいて、ＣＢグループの個数の実際の値ｍを決定するように構成される。
【００４３】
実行可能な設計例において、分割モジュールは具体的に、ＴＢのデータサイズＴＢＳ、ＣＢグループのデータサイズの最大値ＣＢＧｒｏｕｐ＿ｍａｘ、及びＣＢグループの個数の最大値ＮＧｒｏｕｐ＿ｍａｘに基づいて、ＣＢグループの個数の実際の値ｍを決定するように構成される。
【００４４】
実行可能な設計例において、分割モジュールは具体的に、ＴＢのデータサイズＴＢＳに基づいて、ＣＢグループの個数の実際の値ｍを決定するように構成される。
【００４５】
実行可能な設計例において、分割モジュールは具体的に、ＴＢのデータサイズＴＢＳ及びＣＢのデータサイズの最大値ＣＢｍａｘに基づいて、ＣＢグループの個数の実際の値ｍを決定するように構成される。
【００４６】
実行可能な設計例において、分割モジュールは具体的に、ＴＢのデータサイズＴＢＳ及びＣＢグループのデータサイズの最大値ＣＢＧｒｏｕｐ＿ｍａｘに基づいて、ＣＢグループの個数の実際の値ｍを決定するように構成される。
【００４７】
実行可能な設計例において、分割モジュールは具体的に、ＴＢのデータサイズＴＢＳ及びＣＢグループの個数の最大値ＮＧｒｏｕｐ＿ｍａｘに基づいて、ＣＢグループの個数の実際の値ｍを決定するように構成される。
【００４８】
実行可能な設計例において、分割モジュールが、ＮＣＢ＿ｒｅ＝ｃｅｉｌ（ＴＢＳ／ＣＢｍａｘ）の式に基づいて、ＴＢを分割することにより取得されるＣＢの個数の基準値ＮＣＢ＿ｒｅを決定し、次にＣＢグループの個数の実際の値ｍを決定する場合、分割モジュールはさらに、各ＣＢグループ内のＣＢの個数Ｃを、
【数６】
2019534647.tif 000008
又は
【数７】
2019534647.tif 000009
の式に基づいて決定するように構成され得る。ここで、
【数８】
2019534647.tif 000010
は端数を切り上げることを示し、
【数９】
2019534647.tif 000011
は端数を切り捨てることを示す。  また、分割モジュールはさらに、Ｎ＋＝ＮＣＢ＿ｒｅ−ｍＣ−の式に基づいて、それぞれがＣ＋個のＣＢを有するＣＢグループの個数Ｎ＋を決定し、Ｎ−＝ｍ−Ｎ＋の式に基づいて、それぞれがＣ−個のＣＢを有するＣＢグループの個数Ｎ−を決定するように構成されてよい。
【００４９】
実行可能な設計例において、分割モジュールが、ＮＧｒｏｕｐ＿ｒｅ＝ｃｅｉｌ（ＴＢＳ／ＣＢＧｒｏｕｐ＿ｍａｘ）の式に基づいて、ＴＢを分割することにより取得されるＣＢグループの個数の基準値ＮＧｒｏｕｐ＿ｒｅをまず決定し、次にＣＢグループの個数の実際の値ｍを決定する場合、分割モジュールはさらに、各ＣＢグループ内のビットの個数Ｂを、
【数１０】
2019534647.tif 000012
又はＢ−＝ＴＢＳ−（ｍ−１）Ｂ＋の式に基づいて決定するように構成されてよい。
【００５０】
第４の態様で提供される任意の技術的解決手段の関連内容の説明及び有益な効果については、第１の態様の対応する技術的解決手段を参照できることが理解されるであろう。
【００５１】
第５の態様によれば、第２の態様で提供された任意のデータ送信方法を実施するように構成されたデータ送信装置が提供される。データ送信装置は、分割モジュールと、マッピングモジュールと、送出モジュールとを含んでよい。分割モジュールは、トランスポートブロックＴＢをｍ個の符号ブロックＣＢグループに分割するように構成される。ここで、ｍは２以上の整数であり、ＣＢグループは少なくとも１つのＣＢを含む。マッピングモジュールは、ｍ個のＣＢグループの符号化変調データを第１の時間−周波数リソースにマッピングするように構成される。送出モジュールは、第１の時間−周波数リソースにマッピングされたデータを送出するように構成される。
【００５２】
分割モジュールの具体的な実施例については、第３の態様を参照されたい。詳細は、ここで再度説明しない。
【００５３】
実行可能な設計例において、本装置はさらに、各ＣＢグループにＣＲＣを付加するように構成された、及び／又は各ＣＢにＣＲＣを付加するように構成された付加モジュールを含んでよい。
【００５４】
実行可能な設計例において、分割モジュールはさらに、各ＣＢグループをＣ個のＣＢに分割するように構成されてよく、各ＣＢにＣＲＣを付加する場合、Ｃ＝ｃｅｉｌ（Ｂ／（ＣＢｍａｘ−ＣＢＣＲＣ））となり、各ＣＢにＣＲＣを付加しない場合、Ｃ＝ｃｅｉｌ（Ｂ／ＣＢｍａｘ）となる。ｃｅｉｌ（）は端数を切り上げることを示し、ＢはＣＢグループのデータサイズを示し、ＣＢｍａｘはＣＢのデータサイズの最大値を示し、ＣＢＣＲＣはＣＢに付加するＣＲＣのサイズを示す。ＣＢグループにＣＲＣを付加しない場合、ＣＢグループのデータサイズＢはＣＢグループのデータサイズＬＣＢｇｒｏｕｐである。ＣＢグループにＣＲＣを付加する場合、ＣＢグループのデータサイズＢは、ＣＢグループのデータサイズＬＣＢｇｒｏｕｐとＣＢグループに付加するＣＲＣのサイズＣＢＧｒｏｕｐＣＲＣとの合計になる。
【００５５】
実行可能な設計例において、本装置はさらに、Ｍビットの自動再送要求ＨＡＲＱインジケータを受信するように構成された受信モジュールを含んでよい。ここで、ＨＡＲＱインジケータの各ビットは、対応するＣＢグループのデータが正しく受信されたかどうかを示すのに用いられ、Ｍは、ＣＢグループの個数の最大値又はＣＢグループの個数の実際の値ｍである。
【００５６】
実行可能な設計例において、送出モジュールはさらに、制御情報を送出するように構成されてよい。制御情報は、以下の情報のうちの少なくとも１つを含む。すなわち、１つ又はＮ個の変調符号化方式ＭＣＳ、１つ又はＮ個の新規データインジケータＮＤＩ、及び１つ又はＮ個の冗長バージョンＲＶである。Ｎは、ＣＢグループの個数の最大値又はＣＢグループの個数の実際の値ｍを示す。制御情報は、ダウンリンク制御情報ＤＣＩであってよい。
【００５７】
実行可能な設計例において、再送信データのみが現在の送信プロセスで送信される場合、新規データを表した、ＮＤＩ内にある情報は無意味である。新規データ及び再送信データが現在の送信プロセスで送信される場合、新規データ及び再送信データを表した、ＮＤＩ内にある情報は意味をなす。
【００５８】
第５の態様で提供される任意の技術的解決手段の関連内容の説明及び有益な効果については、第２の態様の対応する技術的解決手段を参照できることが理解されるであろう。
【００５９】
第６の態様によれば、第３の態様で提供された任意のデータ送信方法を実施するように構成されたデータ送信装置が提供される。データ送信装置は、受信モジュールと取得モジュールとを含んでよい。受信モジュールは、制御情報を受信するように構成される。制御情報はトランスポートブロックＴＢに関する情報を含み、ＴＢはｍ個の符号ブロックＣＢグループを含み、ＣＢグループは少なくとも１つのＣＢを含み、ｍは２以上の整数である。取得モジュールは、第１の時間−周波数リソースからｍ個のＣＢグループを取得し、ｍ個のＣＢグループの復調復号データを連結することによって１つのＴＢのデータを生成するように構成される。
【００６０】
実行可能な設計例において、本装置はさらに、ＣＢグループの個数の実際の値ｍを決定するように構成された決定モジュールを含んでよい。決定モジュールの具体的な実装プロセスについては、第４の態様の分割モジュールの機能を参照されたい。詳細は、ここで再度説明しない。
【００６１】
実行可能な設計例において、ＴＢに関する情報はさらに、以下の情報のうちの少なくとも１つを含んでよい。すなわち、１つ又はＮ個の変調符号化方式ＭＣＳ、１つ又はＮ個の新規データインジケータＮＤＩ、及び１つ又はＮ個の冗長バージョンＲＶである。Ｎは、ＣＢグループの個数の最大値又はＣＢグループの個数の実際の値ｍを示す。
【００６２】
実行可能な設計例において、本装置はさらに、Ｍビットの自動再送要求ＨＡＲＱインジケータをフィードバックするように構成された送出モジュールを含んでよい。ここで、ＨＡＲＱインジケータの各ビットは、対応するＣＢグループのデータが正しく受信されたかどうかを示すのに用いられ、Ｍは、ＣＢグループの個数の最大値又はＣＢグループの個数の実際の値ｍである。任意選択的に、ＴＢのＣＲＣに失敗すると、ＭビットのＮＡＣＫインジケーションがフィードバックされる。
【００６３】
任意選択的に、ＭがＣＢグループの個数の最大値である場合、最初のｍビットのみが有効であるか、又は対応するＣＢグループのデータが正しく受信されたかどうかを示すのに最初のｍビットのみが用いられる。具体的に実装する際に、当然ながら本発明がこれに限定されることはない。
【００６４】
実行可能な設計例において、本装置はさらに、各ＣＢグループのデータをＣ個のＣＢに分割するように構成された分割モジュールを含んでよく、各ＣＢに巡回冗長検査ＣＲＣを付加する場合、Ｃ＝ｃｅｉｌ（Ｂ／（ＣＢｍａｘ−ＣＢＣＲＣ））となり、各ＣＢにＣＲＣを付加しない場合、Ｃ＝ｃｅｉｌ（Ｂ／ＣＢｍａｘ）となる。ｃｅｉｌ（）は端数を切り上げることを示し、ＢはＣＢグループのデータサイズを示し、ＣＢｍａｘはＣＢのデータサイズの最大値を示し、ＣＢＣＲＣはＣＢに付加するＣＲＣのサイズを示す。ＣＢグループにＣＲＣを付加しない場合、ＣＢグループのデータサイズはＣＢグループのデータサイズである。ＣＢグループにＣＲＣを付加する場合、ＣＢグループのデータサイズは、ＣＢグループのデータサイズとＣＢグループに付加するＣＲＣのサイズとの合計になる。
【００６５】
第６の態様で提供される任意の技術的解決手段の関連内容の説明及び有益な効果については、第３の態様の対応する技術的解決手段を参照できることが理解されるであろう。
【００６６】
前述の態様のうちのいずれか１つ、又はそれらの態様のうちのいずれか１つで提供された任意の実行可能な設計例では、第１の時間−周波数リソースにマッピングされるデータが、新規データ及び再送信データのうちの少なくとも１つを含む。新規データは、前述のＴＢを含む。
【００６７】
第７の態様によれば、ＴＢ分割装置が提供される。本装置は、送信側であってもよく又は受信側であってもよい。本装置は、第１の態様で提供されたＴＢ分割方法の例で実行される機能を実現することができる。これらの機能は、ハードウェアを用いて実現されてもよく、又は対応するソフトウェアを実行するハードウェアを用いて実現されてもよい。ハードウェア又はソフトウェアは、前述の機能に対応する１つ又は複数のモジュールを含む。
【００６８】
実行可能な設計例において、本装置の構成には、プロセッサと、メモリーと、システムバスと、通信インタフェースとが含まれる。プロセッサは、第１の態様で提供された方法の対応する機能を実行する際に、本装置をサポートするように構成される。通信インタフェースは、本装置と別のネットワークエレメントとの間の通信をサポートするように構成される。本装置はさらに、メモリを含んでよい。メモリは、プロセッサに結合され、本装置の必要なプログラム命令及び必要なデータを格納するように構成される。通信インタフェースは、具体的には送受信機であってよい。
【００６９】
第８の態様によれば、データ送信装置が提供される。本装置は、送信側であってよい。本装置は、第２の態様で提供されたデータ送信方法の例で実行される機能を実現することができる。これらの機能は、ハードウェアを用いて実現されてもよく、又は対応するソフトウェアを実行するハードウェアを用いて実現されてもよい。ハードウェア又はソフトウェアは、前述の機能に対応する１つ又は複数のモジュールを含む。
【００７０】
実行可能な設計例において、本装置の構成には、プロセッサと、メモリーと、システムバスと、通信インタフェースとが含まれる。プロセッサは、第２の態様で提供された方法の対応する機能を実行する際に、本装置をサポートするように構成される。通信インタフェースは、本装置と別のネットワークエレメント（例えば、受信側）との間の通信をサポートするように構成される。本装置はさらに、メモリを含んでよい。メモリは、プロセッサに結合され、本装置の必要なプログラム命令及び必要なデータを格納するように構成される。通信インタフェースは、具体的には送受信機であってよい。
【００７１】
第９の態様によれば、データ送信装置が提供される。本装置は、受信側であってよい。本装置は、第３の態様で提供されたデータ送信方法の例で実行される機能を実現することができる。これらの機能は、ハードウェアを用いて実現されてもよく、又は対応するソフトウェアを実行するハードウェアを用いて実現されてもよい。ハードウェア又はソフトウェアは、前述の機能に対応する１つ又は複数のモジュールを含む。
【００７２】
実行可能な設計例において、本装置の構成には、プロセッサと、メモリーと、システムバスと、通信インタフェースとが含まれる。プロセッサは、第３の態様で提供された方法の対応する機能を実行する際に、本装置をサポートするように構成される。通信インタフェースは、本装置と別のネットワークエレメント（例えば、受信側）との間の通信をサポートするように構成される。本装置はさらに、メモリを含んでよい。メモリは、プロセッサに結合され、本装置の必要なプログラム命令及び必要なデータを格納するように構成される。通信インタフェースは、具体的には送受信機であってよい。
【００７３】
第１０の態様によれば、第１の態様で提供されたＴＢ分割方法に対応するコンピュータソフトウェア命令を格納するように構成されたコンピュータ記憶媒体が提供される。コンピュータ記憶媒体及びコンピュータソフトウェア命令は、第７の態様を実施するのに用いられるよう設計されたプログラムを含む。
【００７４】
第１１の態様によれば、第２の態様で提供されたデータ送信方法に対応するコンピュータソフトウェア命令を格納するように構成されたコンピュータ記憶媒体が提供される。コンピュータ記憶媒体及びコンピュータソフトウェア命令は、第８の態様を実施するのに用いられるよう設計されたプログラムを含む。
【００７５】
第１２の態様によれば、第３の態様で提供されたデータ送信方法に対応するコンピュータソフトウェア命令を格納するように構成されたコンピュータ記憶媒体が提供される。コンピュータ記憶媒体及びコンピュータソフトウェア命令は、第９の態様を実施するのに用いられるよう設計されたプログラムを含む。
【００７６】
第１３の態様によれば、命令を含むコンピュータプログラム製品が提供される。コンピュータプログラム製品がコンピュータ上で起動すると、コンピュータは第１の態様で提供された任意のＴＢ分割方法を実施する。
【００７７】
第１４の態様によれば、命令を含むコンピュータプログラム製品が提供される。コンピュータプログラム製品がコンピュータ上で起動すると、コンピュータは第２の態様で提供された任意のデータ送信方法を実施する。
【００７８】
第１５の態様によれば、命令を含むコンピュータプログラム製品が提供される。コンピュータプログラム製品がコンピュータ上で起動すると、コンピュータは第３の態様で提供された任意のデータ送信方法を実施する。
【００７９】
上記に提供された任意のデータ送信装置、任意のコンピュータ記憶媒体、又は任意のコンピュータプログラム製品は、上記に提供された対応する方法を実施するように構成されることが理解されるであろう。したがって、任意のデータ送信装置、任意のコンピュータ記憶媒体、又は任意のコンピュータプログラム製品によって実現され得る有益な効果については、上記に提供された対応する方法の有益な効果を参照されたい。詳細は、ここで再度説明しない。
【００８０】
本出願において提供される別の技術的解決手段が、以下に提供される。
【００８１】
一般に、リソースマッピング手順は次のことを含む。すなわち、符号化及びレートマッチングなどのオペレーションが行われる各ＣＢが、周波数領域を優先し次いで時間領域というルールに従って、時間−周波数リソースに連続的にマッピングされる。このように、データ送信プロセスに干渉が生じた場合、その干渉は、複数のＣＢグループのデータの精度に影響を与える。したがって、複数のＣＢグループのデータは全て、再送信の必要があり得る。その結果、送信効率が低下する。以下の技術的解決手段は、前述の目的を実現するために、本発明の実施形態に用いられる。
【００８２】
第１の態様によれば、データ送信方法が提供される。本方法は、ＴＢをｍ個のＣＢグループに分割する段階であって、ｍは２以上の整数であり、ｍ個のＣＢグループのそれぞれは少なくとも１つのＣＢを含む、段階と、次いでｍ個のＣＢグループの符号化変調データを第１の時間−周波数リソースにマッピングし、次いで第１の時間−周波数リソースにマッピングされたデータを送出する段階であって、第１の時間−周波数リソースはｎ個のＣＢコンテナユニットＣＣＵを含み、これらのＣＣＵは第１の時間−周波数リソースの一部の時間−周波数リソースであり、どの時間−周波数リソースも異なるＣＣＵの間で重複せず、異なるＣＢグループのデータが異なるＣＣＵにマッピングされ、異なるＣＢグループのデータは周波数領域で重複して時間領域で重複せず、又は、異なるＣＢグループのデータは時間領域で重複して周波数領域で重複せず、ｎはｍ以上の整数である、段階とを含む。この技術的解決手段において、現在の送信時に割り当てられる時間−周波数リソース（すなわち、第１の時間−周波数リソース）は、あるルールに従って複数のＣＣＵに分割されてよく、現在送信される１つのＴＢは次に、複数のＣＢグループに分割される。次に、複数のＣＢグループの符号化変調データは対応するＣＣＵにマッピングされるので、異なるＣＢグループのデータは時間領域で重複しない、又は周波数領域で重複しない。このように、異なるＣＢグループのデータが時間領域で重複しない場合、あるシンボルが干渉を受けると、その干渉は、１つのＣＢグループだけのデータの精度に影響を与える。したがって、当該ＣＢグループのデータのみが再送信の必要がある。先行技術と比較すると、送信効率が向上する。異なるＣＢグループのデータが周波数領域で重複しない場合、現在送信されるデータを送信するプロセスにおいて狭帯域が干渉を受けると、干渉の影響が及ぶＣＢグループの個数は、先行技術と比較して少なくなる。したがって、再送信が必要となるＣＢグループが少なくなり、送信効率が向上する。
【００８３】
第２の態様によれば、データ送信装置が提供される。本装置は、分割モジュールと、マッピングモジュールと、送出モジュールとを含む。分割モジュールは、トランスポートブロックＴＢをｍ個の符号ブロックＣＢグループに分割するように構成される。ここで、ｍは２以上の整数であり、ｍ個のＣＢグループのそれぞれは少なくとも１つのＣＢを含む。マッピングモジュールは、ｍ個のＣＢグループの符号化変調データを第１の時間−周波数リソースにマッピングするように構成される。第１の時間−周波数リソースはｎ個のＣＢコンテナユニットＣＣＵを含み、これらのＣＣＵは第１の時間−周波数リソースの一部の時間−周波数リソースであり、どの時間−周波数リソースも異なるＣＣＵの間で重複せず、異なるＣＢグループのデータが異なるＣＣＵにマッピングされ、異なるＣＢグループのデータは周波数領域で重複して時間領域で重複せず、又は、異なるＣＢグループのデータは時間領域で重複して周波数領域で重複せず、ｎはｍ以上の整数である。送出モジュールは、第１の時間−周波数リソースにマッピングされたデータを送出するように構成される。この技術的解決手段の有益な効果については、前述の事項を参照されたい。
【００８４】
実行可能な設計例において、第１の態様でのＴＢをｍ個のＣＢグループに分割する段階は、ＴＢのデータサイズ、ＣＢのデータサイズの最大値、ＣＢグループのデータサイズの最大値、ＣＢグループの個数の最大値、及びＣＣＵの個数ｎのうちの少なくとも１つに基づいて、ＣＢグループの個数の実際の値ｍを決定する段階を含んでよい。任意選択的に、実行可能な設計例における前述の段階は、ＴＢのデータサイズとＣＢのデータサイズの最大値とに基づいてＣＢグループの個数の基準値を決定する段階と、次に、ＣＢグループの個数の基準値の最小値、ＣＢグループの個数の最大値、及びＣＣＵの個数ｎを、ＣＢグループの個数の実際の値ｍとして用いる段階とを含んでよい。
【００８５】
それに応じて、第２の態様の分割モジュールは具体的に、ＴＢのデータサイズ、ＣＢのデータサイズの最大値、ＣＢグループのデータサイズの最大値、ＣＢグループの個数の最大値、及びＣＣＵの個数ｎのうちの少なくとも１つに基づいて、ＣＢグループの個数の実際の値ｍを決定するように構成されてよい。任意選択的に、分割モジュールは具体的に、ＴＢのデータサイズとＣＢのデータサイズの最大値とに基づいてＣＢグループの個数の基準値を決定し、次に、ＣＢグループの個数の基準値の最小値、ＣＢグループの個数の最大値、及びＣＣＵの個数ｎを、ＣＢグループの個数の実際の値ｍとして用いるように構成されてよい。
【００８６】
データを毎回送信する前に、送信側は通常、現在送信できるＴＢのデータサイズを決定する必要がある。データサイズを決定する具体的な方式が、本明細書で限定されることはない。例えば、データサイズを決定する具体的な方式については、先行技術を参照されたい。ＣＢのデータサイズの最大値及びＣＢグループの個数の最大値は、通常、事前設定されてよい。
【００８７】
実行可能な設計例において、第１の態様におけるＴＢをｍ個のＣＢグループに分割する段階の前に、第１の態様で提供される方法はさらに、ＣＢグループの個数の実際の値ｍ及びＣＣＵの個数ｎに基づいて、ｍ個のＣＢグループのそれぞれとｎ個のＣＣＵのそれぞれとの間のマッピング関係を決定する段階と、次に、当該マッピング関係と、データの送信に用いることができ且つｎ個のＣＣＵ内にあるリソースのサイズとに基づいて、ｍ個のＣＢグループのそれぞれのデータサイズを決定する段階とを含んでよい。  任意選択的に、マッピング関係と、データの送信に用いることができ且つｎ個のＣＣＵ内にあるリソースのサイズとに基づいて、ｍ個のＣＢグループのそれぞれのデータサイズを決定する段階は、次式（Ｉ）に基づいて、ｍ個のＣＢグループのうちのｉ番目のＣＢグループのデータサイズを決定する段階を含んでよい。
［式（Ｉ）］
【数１１】
2019534647.tif 000013
ここで、Ｂｉはｍ個のＣＢグループのうちのｉ番目のＣＢグループのデータサイズを示し、ｍは１以上ｍ以下の整数であり、ＬＴＢはＴＢのデータサイズを示し、ＬＴＢ＿ＣＲＣはＴＢに付加する巡回冗長検査ＣＲＣのサイズを示し、ＬＴＢ＿ＣＲＣは０以上であり、ＳＣＢ＿ｉは、データの送信に用いることができ且つｉ番目のＣＢグループに対応するＣＣＵに含まれるリソースのサイズを示し、Ｓｔｏｔａｌは、データの送信に用いることができ且つｎ個のＣＣＵに含まれるリソースのサイズを示し、ｆｌｏｏｒ（）は端数を切り捨てることを示す。
【００８８】
それに応じて、第２の態様で提供される装置はさらに、決定モジュールを含んでよい。決定モジュールは、ＣＢグループの個数の実際の値ｍ及びＣＣＵの個数ｎに基づいて、ｍ個のＣＢグループのそれぞれとｎ個のＣＣＵのそれぞれとの間のマッピング関係を決定し、次に、当該マッピング関係と、データの送信に用いることができ且つｎ個のＣＣＵ内にあるリソースのサイズとに基づいて、ｍ個のＣＢグループのそれぞれのデータサイズを決定するように構成される。任意選択的に、決定モジュールは具体的に、式（Ｉ）に基づいて、ｍ個のＣＢグループのうちのｉ番目のＣＢグループのデータサイズを決定するように構成されてよい。
【００８９】
実行可能な設計方式は、ｍ個のＣＢグループのデータが可能な限り一様にｎ個のＣＣＵに配分され得ることを最大限に保証することができるので、符号化及びレートマッチングが行われた後に取得される、各ＣＢグループのビットレートが基本的に一致しており、ＡＭＣが正常に行われる。
【００９０】
実行可能な設計例において、第１の態様で提供された方法はさらに、各ＣＢグループのデータをＣ個のＣＢに分割する段階を含んでよい。それに応じて、第２の態様の分割モジュールはさらに、各ＣＢグループのデータをＣ個のＣＢに分割するように構成されてよい。各ＣＢにＣＲＣを付加する場合、Ｃ＝ｃｅｉｌ（Ｂ／（ＣＢｍａｘ−ＣＢＣＲＣ））となり、各ＣＢにＣＲＣを付加しない場合、Ｃ＝ｃｅｉｌ（Ｂ／ＣＢｍａｘ）となる。ｃｅｉｌ（）は端数を切り上げることを示し、ＢはＣＢグループのデータサイズを示し、ＣＢｍａｘはＣＢのデータサイズの最大値を示し、ＣＢＣＲＣはＣＢに付加するＣＲＣのサイズを示す。
【００９１】
実行可能な設計例において、ＴＢに関する情報はＴＢのデータサイズを含む。
【００９２】
第３の態様によれば、データ送信方法が提供される。本方法は、制御情報を受信する段階であって、制御情報はトランスポートブロックＴＢに関する情報を含む、段階と、第１の時間−周波数リソースにマッピングされたＴＢを受信する段階であって、第１の時間−周波数リソースはｎ個のＣＢコンテナユニットＣＣＵを含み、これらのＣＣＵは第１の時間−周波数リソースの一部の時間−周波数リソースであり、どの時間−周波数リソースも異なるＣＣＵの間で重複せず、ＴＢはｍ個の符号ブロックＣＢグループを含み、ｍ個のＣＢグループのそれぞれは少なくとも１つのＣＢを含み、異なるＣＢグループのデータは周波数領域で重複して時間領域で重複せず、又は異なるＣＢグループのデータは時間領域で重複して周波数領域で重複せず、ｍは２以上の整数であり、ｎはｍ以上の整数である、段階と、ｍ個のＣＢグループのそれぞれとｎ個のＣＣＵのそれぞれとの間のマッピング関係を決定する段階と、当該マッピング関係に基づいてｍ個のＣＢグループを第１の時間−周波数リソースから取得し、ｍ個のＣＢグループの復調復号データを連結することによって１つのＴＢのデータを生成する段階とを含む。
【００９３】
第４の態様によれば、データ送信装置が提供される。本装置は、制御情報を受信し、第１の時間−周波数リソースにマッピングされたＴＢを受信するように構成された受信モジュールであって、制御情報はトランスポートブロックＴＢに関する情報を含み、第１の時間−周波数リソースはｎ個のＣＢコンテナユニットＣＣＵを含み、これらのＣＣＵは第１の時間−周波数リソースの一部の時間−周波数リソースであり、どの時間−周波数リソースも異なるＣＣＵの間で重複せず、ＴＢはｍ個の符号ブロックＣＢグループを含み、ｍ個のＣＢグループのそれぞれは少なくとも１つのＣＢを含み、異なるＣＢグループのデータが異なるＣＣＵにマッピングされ、異なるＣＢグループのデータは周波数領域で重複して時間領域で重複せず、又は異なるＣＢグループのデータは時間領域で重複して周波数領域で重複せず、ｍは２以上の整数であり、ｎはｍ以上の整数である、受信モジュールと、ｍ個のＣＢグループのそれぞれとｎ個のＣＣＵのそれぞれとの間のマッピング関係を決定するように構成された決定モジュールと、当該マッピング関係に基づいてｍ個のＣＢグループを第１の時間−周波数リソースから取得し、ｍ個のＣＢグループの復調復号データを連結することによって１つのＴＢのデータを生成するように構成された取得モジュールとを含む。
【００９４】
実行可能な設計例において、第３の態様の制御情報を受信する段階の後に、第３の態様で提供される方法はさらに、ＴＢのデータサイズ、ＣＢのデータサイズの最大値、ＣＢグループのデータサイズの最大値、ＣＢグループの個数の最大値、及びＣＣＵの個数ｎのうちの少なくとも１つに基づいて、ＣＢグループの個数の実際の値ｍを決定する段階を含んでよい。任意選択的に、実行可能な設計例における前述の段階は、ＴＢのデータサイズとＣＢのデータサイズの最大値とに基づいてＣＢグループの個数の基準値を決定する段階と、ＣＢグループの個数の基準値の最小値、ＣＢグループの個数の最大値、及びＣＣＵの個数ｎを、ＣＢグループの個数の実際の値ｍとして用いる段階とを含んでよい。
【００９５】
それに応じて、第４の態様の決定モジュールはさらに、ＴＢのデータサイズ、ＣＢのデータサイズの最大値、ＣＢグループのデータサイズの最大値、ＣＢグループの個数の最大値、及びＣＣＵの個数ｎのうちの少なくとも１つに基づいて、ＣＢグループの個数の実際の値ｍを決定するように構成されてよい。任意選択的に、決定モジュールは具体的に、ＴＢのデータサイズとＣＢのデータサイズの最大値とに基づいてＣＢグループの個数の基準値を決定し、次に、ＣＢグループの個数の基準値の最小値、ＣＢグループの個数の最大値、及びＣＣＵの個数ｎを、ＣＢグループの個数の実際の値ｍとして用いるように構成されてよい。
【００９６】
実行可能な設計例において、第３の態様のｍ個のＣＢグループのそれぞれとｎ個のＣＣＵのそれぞれとの間のマッピング関係を決定する段階は、ＣＢグループの個数の実際の値ｍ及びＣＣＵの個数ｎに基づいて、ｍ個のＣＢグループのそれぞれとｎ個のＣＣＵのそれぞれとの間のマッピング関係を決定する段階を含んでよい。
【００９７】
それに応じて、第４の態様の決定モジュールは具体的に、ＣＢグループの個数の実際の値ｍ及びＣＣＵの個数ｎに基づいて、ｍ個のＣＢグループのそれぞれとｎ個のＣＣＵのそれぞれとの間のマッピング関係を決定するように構成されてよい。
【００９８】
実行可能な設計例において、第３の態様のｍ個のＣＢグループのそれぞれとｎ個のＣＣＵのそれぞれとの間のマッピング関係を決定する段階の後に、第３の態様で提供される方法はさらに、当該マッピング関係と、データの送信に用いることができ且つｎ個のＣＣＵ内にあるリソースのサイズとに基づいて、ｍ個のＣＢグループのそれぞれのデータサイズを決定する段階を含んでよい。任意選択的に、ｍ個のＣＢグループのそれぞれのデータサイズは、式（Ｉ）に基づいて決定される。
【００９９】
それに応じて、第４の態様の決定モジュールはさらに、マッピング関係と、データの送信に用いることができ且つｎ個のＣＣＵ内にあるリソースのサイズとに基づいて、ｍ個のＣＢグループのそれぞれのデータサイズを決定するように構成されてよい。任意選択的に、決定モジュールは具体的に、式（Ｉ）に基づいて、ｍ個のＣＢグループのそれぞれのデータサイズを決定するように構成されてよい。
【０１００】
実行可能な設計例において、第３の態様のマッピング関係に基づいてｍ個のＣＢグループを第１の時間−周波数リソースから抽出する段階の後に、第３の態様で提供された方法はさらに、各ＣＢグループのデータをＣ個のＣＢに分割する段階を含んでよい。それに応じて、第４の態様で提供される装置はさらに、各ＣＢグループのデータをＣ個のＣＢに分割するように構成された分割モジュールを含んでよい。Ｃの値の決定方法については、前述の事項を参照されたい。
【０１０１】
前述の態様のうちのいずれか１つ、又はそれらの態様のうちのいずれか１つで提供された任意の実行可能な設計例では、第１の時間−周波数リソースにマッピングされるデータが、新規データ及び再送信データのうちの少なくとも１つを含む。新規データは、前述のＴＢを含む。
【０１０２】
第５の態様によれば、データ送信装置が提供される。本装置は、送信側であってよい。本装置は、第１の態様で提供されたデータ送信方法の例で実行される機能を実現することができる。これらの機能は、ハードウェアを用いて実現されてもよく、又は対応するソフトウェアを実行するハードウェアを用いて実現されてもよい。ハードウェア又はソフトウェアは、前述の機能に対応する１つ又は複数のモジュールを含む。
【０１０３】
実行可能な設計例において、本装置の構成には、プロセッサと、メモリーと、システムバスと、通信インタフェースとが含まれる。プロセッサは、第１の態様で提供された方法の対応する機能を実行する際に、本装置をサポートするように構成される。通信インタフェースは、本装置と別のネットワークエレメント（例えば、受信側）との間の通信をサポートするように構成される。本装置はさらに、メモリを含んでよい。メモリは、プロセッサに結合され、本装置の必要なプログラム命令及び必要なデータを格納するように構成される。通信インタフェースは、具体的には送受信機であってよい。
【０１０４】
第６の態様によれば、第１の態様で提供されたデータ送信方法に対応するコンピュータソフトウェア命令を格納するように構成されたコンピュータ記憶媒体が提供される。コンピュータ記憶媒体及びコンピュータソフトウェア命令は、第５の態様を実施するのに用いられるよう設計されたプログラムを含む。
【０１０５】
第７の態様によれば、データ送信装置が提供される。本装置は、受信側であってよい。本装置は、第３の態様で提供されたデータ送信方法の例で実行される機能を実現することができる。これらの機能は、ハードウェアを用いて実現されてもよく、又は対応するソフトウェアを実行するハードウェアを用いて実現されてもよい。ハードウェア又はソフトウェアは、前述の機能に対応する１つ又は複数のモジュールを含む。
【０１０６】
実行可能な設計例において、本装置の構成には、プロセッサと、メモリーと、システムバスと、通信インタフェースとが含まれる。プロセッサは、第３の態様で提供された方法の対応する機能を実行する際に、本装置をサポートするように構成される。通信インタフェースは、本装置と別のネットワークエレメント（例えば、送信側）との間の通信をサポートするように構成される。本装置はさらに、メモリを含んでよい。メモリは、プロセッサに結合され、本装置の必要なプログラム命令及び必要なデータを格納するように構成される。通信インタフェースは、具体的には送受信機であってよい。
【０１０７】
第８の態様によれば、第３の態様で提供されたデータ送信方法に対応するコンピュータソフトウェア命令を格納するように構成されたコンピュータ記憶媒体が提供される。コンピュータ記憶媒体及びコンピュータソフトウェア命令は、第６の態様を実施するのに用いられるよう設計されたプログラムを含む。
【０１０８】
第９の態様によれば、命令を含むコンピュータプログラム製品が提供される。コンピュータプログラム製品がコンピュータ上で起動すると、コンピュータは第１の態様で提供された任意のデータ送信方法を実施する。
【０１０９】
第１０の態様によれば、命令を含むコンピュータプログラム製品が提供される。コンピュータプログラム製品がコンピュータ上で起動すると、コンピュータは第３の態様で提供された任意のデータ送信方法を実施する。
【０１１０】
上記に提供された任意のデータ送信装置、任意のコンピュータ記憶媒体、又は任意のコンピュータプログラム製品は、上記に提供された対応する方法を実施するように構成されることが理解されるであろう。したがって、任意のデータ送信装置、任意のコンピュータ記憶媒体、又は任意のコンピュータプログラム製品によって実現され得る有益な効果については、上記に提供される対応する方法の有益な効果を参照されたい。詳細は、ここで再度説明しない。
【図面の簡単な説明】
【０１１１】
【図１】先行技術におけるリソースマッピングの概略図である。
【０１１２】
【図２】図１に基づいて提供される干渉シナリオの概略図である。
【０１１３】
【図３】図１に基づいて提供される別の干渉シナリオの概略図である。
【０１１４】
【図４】本発明の一実施形態による第１の時間−周波数リソースの分割に関する概略図である。
【０１１５】
【図５】本発明の一実施形態による第１の時間−周波数リソースの分割に関する別の概略図である。
【０１１６】
【図６】本発明の一実施形態による第１の時間−周波数リソースの分割に関する別の概略図である。
【０１１７】
【図７】本発明の一実施形態によるデータ送信方法の概略フローチャートである。
【０１１８】
【図８】本発明の一実施形態による別のデータ送信方法の概略フローチャートである。
【０１１９】
【図８ａ】本発明の一実施形態による別のデータ送信方法の概略フローチャートである。
【０１２０】
【図９】本発明の一実施形態による別のデータ送信方法の概略フローチャートである。
【０１２１】
【図１０】本発明の一実施形態による別のデータ送信方法の概略フローチャートである。
【０１２２】
【図１１】本発明の一実施形態による送信プロセスの概略図である。
【０１２３】
【図１２】本発明の一実施形態による別の送信プロセスの概略図である。
【０１２４】
【図１２ａ】本発明の一実施形態によるデータ送信方法の概略相互作用図である。
【０１２５】
【図１３】本発明の一実施形態によるデータ送信装置の概略構造図である。
【０１２６】
【図１４】本発明の一実施形態による別のデータ送信装置の概略構造図である。
【０１２７】
【図１５】本発明の一実施形態による別のデータ送信装置の概略構造図である。
【０１２８】
【図１６】本発明の一実施形態による別のデータ送信装置の概略構造図である。
【０１２９】
【図１７】本発明の一実施形態による別のデータ送信装置の概略構造図である。
【０１３０】
【図１８】本発明の一実施形態による別のデータ送信装置の概略構造図である。
【発明を実施するための形態】
【０１３１】
図１はリソースマッピングの概略図である。図１では、横軸が時間領域を表し、縦軸が周波数領域を表している。現在の送信プロセスにおいて割り当てられる時間領域リソースが時間領域に示されており、これは具体的には１つのスロット（ｓｌｏｔ）であり、スロットにはシンボル０からシンボル６までの７つのシンボルが含まれる。現在の送信プロセスにおいて割り当てられる周波数領域リソースが周波数領域に示されている。図１では、現在の送信プロセスにおいて送信されるＴＢがＣＢ１からＣＢ６までの６個のＣＢを含む一例を用いて説明が提供される。ＣＢ１からＣＢ３までがＣＢグループ１を形成し、ＣＢ４からＣＢ６までがＣＢグループ２を形成することを仮定すると、図１に示すリソースマッピング方式並びに以下の解決手段１及び２に示すシナリオでは、送信効率が低下する。これらの解決手段は、具体的には次の通りである。
【０１３２】
解決手段１：複数のＣＢグループのデータが１つのシンボルにマッピングされ得る。この場合、シンボルがデータ送信プロセスにおいて干渉を受ける場合、その干渉は、複数のＣＢグループの、シンボルにマッピングされるデータの精度に影響を与える。したがって、複数のＣＢグループのデータは全て、再送信の必要があり得る。その結果、送信効率は低下する。例えば、干渉を受ける時間−周波数リソースが図２の囲み破線１で示される場合、すなわち、シンボル３が干渉を受ける場合、この干渉はＣＢ３のデータ及びＣＢ４のデータの精度に影響を与える。すなわち、この干渉はＣＢグループ１のデータ及びＣＢグループ２のデータの精度に影響を与える。したがって、ＣＢグループ１のデータ及びＣＢグループ２のデータは、両方とも再送信の必要があり得る。その結果、送信効率が低下する。
【０１３３】
解決手段２：全てのＣＢグループのデータが狭帯域幅にマッピングされ得る。この場合、狭帯域幅がデータ送信プロセスにおいて干渉を受ける場合、この干渉は全てのＣＢグループのデータの精度に影響を与える。したがって、全てのＣＢグループのデータは再送信の必要があり得る。その結果、送信効率が低下する。例えば、干渉を受ける時間−周波数リソースが図２の囲み破線２で示される場合、すなわち、現在の送信プロセスにおいて割り当てられた狭帯域幅が干渉を受ける場合、この干渉はＣＢ１からＣＢ６までのデータの精度に影響を与える。すなわち、この干渉はＣＢグループ１のデータ及びＣＢグループ２のデータの精度に影響を与える。したがって、ＣＢグループ１のデータ及びＣＢグループ２のデータは、両方とも再送信の必要があり得る。その結果、送信効率が低下する。
【０１３４】
こうしたことに基づいて、本発明の実施形態がデータ送信方法及びデータ送信装置を提供する。データ送信方法及びデータ送信装置の基本原理は次の通りである。現在の送信時に割り当てられる時間−周波数リソースが、あるルールに従って複数のＣＣＵに分割される。次に、現在送信される１つのＴＢが複数のＣＢグループに分割される。次に、複数のＣＢグループの符号化変調データが対応するＣＣＵにマッピングされるので、異なるＣＢグループのデータは時間領域で重複しない、又は周波数領域で重複しない。このように、異なるＣＢグループのデータが時間領域で重複しない場合、送信プロセスにおいて、現在送信されるデータが図２の囲み破線１に示す干渉を受けるとき、この干渉は１つのＣＢグループのデータの精度にしか影響を与えない。したがって、当該ＣＢグループのデータのみが再送信の必要がある。先行技術と比較すると、送信効率が向上する。異なるＣＢグループのデータが周波数領域で重複しない場合、送信プロセスにおいて、現在送信されるデータが図２の囲み破線２に示す干渉を受けるとき、干渉の影響が及ぶＣＢグループの個数は、先行技術と比較して少なくなる。したがって、再送信が必要となるＣＢグループが少なくなり、送信効率が向上する。
【０１３５】
本発明の実施形態において提供される技術的解決手段は、図２に示すシステムアーキテクチャに適用され得る。図２に示すシステムアーキテクチャは、送信側及び受信側を含む。送信側及び受信側は両方とも、限定されることはないが、基地局及びユーザ機器などを含んでよい。
【０１３６】
本発明の実施形態において提供される技術的解決手段は、現在の４Ｇ通信システム、及び将来の進化型ネットワーク、例えば、５Ｇ通信システムなどの様々な通信システムに適用され得る。
例えば、様々な通信システムとは、ロングタームエボリューション（Ｌｏｎｇ  Ｔｅｒｍ  Ｅｖｏｌｕｔｉｏｎ、ＬＴＥ）システム、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）に関連したセルラーシステム、及びこのタイプの別の通信システムである。５Ｇ規格の応用シナリオは、限定されることはないが、ユーザ機器間通信のシナリオ、基地局間通信のシナリオ、及び基地局とユーザ機器との間の通信のシナリオなどを含み得ることに留意されたい。あるいは、本発明の実施形態において提供される技術的解決手段は、５Ｇ通信システムにおけるユーザ機器間通信及び基地局間通信などのシナリオに適用され得る。
【０１３７】
本出願の一部の内容が、読者の理解を助けるために以下に簡潔に説明される。
【０１３８】
第１の時間−周波数リソースとは、現在の送信プロセスにおいて割り当てられる時間−周波数リソースである。それぞれの送信プロセスにおいて割り当てられる時間−周波数リソースのサイズも、それぞれの送信プロセスにおいて割り当てられる時間−周波数リソースのサイズの決定方法も、本発明の実施形態において限定されるものではない。任意の２つの送信プロセスにおいて割り当てられる時間−周波数リソースのサイズは、等しくてもよく、又は等しくなくてもよい。例えば、１つの送信プロセスにおいて割り当てられる時間領域リソースが、ＬＴＥシステムの送信時間間隔（ｔｒａｎｓｍｉｓｓｉｏｎ  ｔｉｍｅ  ｉｎｔｅｒｖａｌ、ＴＴＩ）、シンボルレベルの短ＴＴＩ、若しくは大きいサブキャリア間隔を有し且つ高周波システム内にある短ＴＴＩであってもよく、又は５Ｇシステムのスロット若しくはミニスロット（ｍｉｎｉ−ｓｌｏｔ）であってもよい。このことは、本発明の実施形態において限定されるものではない。
【０１３９】
ＣＣＵ、すなわちＣＢコンテナユニット（ＣＢ  ｃｏｎｔａｉｎｅｒ  ｕｎｉｔ）とは、１つの送信プロセスに用いられる一部の時間領域リソースである。ＣＣＵのサイズが、本発明の実施形態において限定されることはない。どの時間−周波数リソースも異なるＣＣＵの間で重複しない。異なるＣＣＵのサイズが等しくてもよく、又は等しくなくてもよい。
【０１４０】
ＣＣＵを構成する方式、すなわち、１つの送信プロセスにおいて割り当てられる時間−周波数リソースを複数のＣＣＵに分割する方式が、本発明の実施形態において限定されることはない。例えば、ＣＣＵは、動的に、半静的に、又は静的に構成されてもよい。例えば、ＣＣＵは、現在スケジューリングされているサービスのスケジューリング機能に基づいて構成されてもよい。例えば、超高信頼性低遅延通信（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ、ＵＲＬＬＣ）サービスが、超高速モバイル通信（ｅｎｈａｎｃｅｄ  ｍｏｂｉｌｅ  ｂｒｏａｄｂａｎｄ、ｅＭＢＢ）サービスをスケジューリングするプロセスでスケジューリングされる必要がある場合、ＣＣＵは、ＵＲＬＬＣサービスのスケジューリング機能に基づいて構成されてもよい。ＵＲＬＬＣサービスのスケジューリング機能は、ＵＲＬＬＣサービスがスケジューリングされたときに割り当てられる時間−周波数リソースのサイズ及び場所などを含み得る。
【０１４１】
第１の時間−周波数リソースを複数のＣＣＵに分割する実施例が、代表例を用いて以下に説明される。
【０１４２】
方式１：第１の時間−周波数リソースが、時間領域リソースを分割することによって複数のＣＣＵに分割される。具体的には、時間領域リソースは、任意の時間領域リソース粒度を用いて分割されてよい。例えば、時間領域リソースは、１つのシンボルの整数倍を粒度として用いることで分割される。
【０１４３】
例えば、第１の時間−周波数リソースの時間領域リソースが１つのスロットである場合、時間領域リソースは、ミニスロット又はシンボルなどを粒度として用いて分割され、第１の時間−周波数リソースを複数のＣＣＵに分割してよい。図４は、第１の時間−周波数リソースの分割に関する概略図である。図４では、横軸が時間領域を表し、縦軸が周波数領域を表している。１つのスロットが７つのシンボルを含み、当該スロットが４つの部分に分割される一例が、説明のために図４に用いられている。この場合、最初の３つの部分のそれぞれは２つのシンボルを含んでよく、最後の１つの部分は１つのシンボルを含む。第１の時間−周波数リソースの時間領域リソースが複数のスロットである場合、当該時間領域リソースは、スロット、ミニスロット、又はシンボルなどを粒度として用いて分割され、第１の時間−周波数リソースを複数のＣＣＵに分割し得る。
【０１４４】
方式２：第１の時間−周波数リソースが、周波数領域リソースを分割することによって複数のＣＣＵに分割される。具体的には、周波数領域リソースは、任意の周波数領域リソース粒度を用いて分割されてよい。例えば、周波数領域リソースは、１つのリソースエレメント（ｒｅｓｏｕｒｃｅ  ｅｌｅｍｅｎｔ、ＲＥ）の整数倍、又は１つのリソースブロック（ｒｅｓｏｕｒｃｅ  ｂｌｏｃｋ、ＲＢ）の整数倍を粒度として用いて、連続的に分割されるか又は不連続的に分割される。周波数領域リソースを連続的に分割することは、周波数領域リソースを連続的に一様に分割することを含み得る。周波数領域リソースを不連続的に分割することは、周波数領域リソースを不連続的且つ一様に分割すること、又は周波数領域リソースを等間隔で不連続的に分割することなどを含み得る。続いて、符号化変調データが時間−周波数リソースにマッピングされた後に、周波数領域リソースを不連続的に分割することによって、周波数領域のダイバーシティゲインが取得され得ることに留意されたい。
【０１４５】
本明細書における「複数の」という用語は、２つ又はそれより多くを意味する。本明細書における「及び／又は」という用語は、関連対象物を説明するための対応関係のみを表現しており、３つの関係が存在し得ることを表している。例えば、Ａ及び／又はＢは以下の３つのケースを表し得る。すなわち、Ａのみが存在すること、Ａ及びＢが両方とも存在すること、並びにＢのみが存在することである。さらに、本明細書における記号「／」は通常、関連対象物間の「又は」の関係を表しており、数式における記号「／」は、関連対象物間の「除算」の関係を表している。
【０１４６】
図５は、第１の時間−周波数リソースの分割に関する概略図である。図５では、横軸が時間領域を表し、縦軸が周波数領域を表している。第１の時間−周波数リソースの周波数領域リソースが８つのＲＢを含み、周波数領域リソースが２つの部分に分割されている一例が、説明のために図５に用いられている。この場合、各部分は４つのＲＢを含み得る。各部分の４つのＲＢは、図５の（ａ）に示すように連続的であってもよく、又は図５の（ｂ）に示すように不連続であってもよい。
【０１４７】
方式３：第１の時間−周波数リソースが、時間領域リソース及び周波数領域リソースを分割することによって複数のＣＣＵに分割される。方式３は、方式１と方式２との組み合わせである。両方式の関連する説明については、前述の事項を参照されたい。
【０１４８】
図６は、第１の時間−周波数リソースの分割に関する概略図である。図６では、横軸が時間領域を表し、縦軸が周波数領域を表している。図６は、図５の（ａ）及び図４に基づいて描かれている。図６の陰影付きの各部分の時間−周波数リソースが１つのＣＣＵを表している。
【０１４９】
本発明の実施形態で説明されるスロット内のシンボルは、以下の２つの定義を含み得ることに留意されたい。
【０１５０】
（１）スロット内のシンボルは、フレーム構成で定義されたシンボルである。例えば、１つのスロットは７つのシンボル又は１４個のシンボルを含んでよい。
【０１５１】
（２）スロット内のシンボルは、データを搬送するのに用いられ且つスロット内にあるシンボルである。いくつかのフレーム形式設計において、スロット内のシンボル全体が、データを搬送するのに用いられるシンボル（すなわち、データシンボル）というわけではない。例えば、スロット内の１つ又は複数の開始シンボルは、ダウンリンク制御情報を搬送するのに用いられるシンボル（すなわち、制御シンボル）であり、１つ又は複数の終了シンボルは、アップリンク制御情報を搬送するのに用いられるシンボル（すなわち、制御シンボル）である。また、ダウンリンクからアップリンクに切り換えるのに必要なガード期間（Ｇｕａｒｄ  Ｐｅｒｉｏｄ、ＧＰ）を送信するのに用いられる中間シンボル（すなわち、ＧＰシンボル）、及び参照情報を送信するのに用いられる中間シンボル（すなわち、参照シンボル）がある。この場合、本出願の明細書の添付図面に示すスロット内のシンボルが、スロット内のデータシンボルである。すなわち、データシンボルではない制御シンボル、ＧＰシンボル、及び参照シンボルなどを除いたスロット内のシンボルである。
【０１５２】
さらに、前述のＣＣＵ構成ルールのうちのいずれか１つは、送信側及び受信側によって事前に合意されてもよく、又はシグナリングを用いて送信側が受信側に示してもよいことに留意されたい。
【０１５３】
本発明の実施形態における技術的解決手段が、本発明の実施形態の添付図面を参照し、例を用いて以下に説明される。説明される実施形態は、単に本発明の実施形態の一部であって、全てではないことは明らかである。
【０１５４】
図７は、本発明の一実施形態によるデータ送信方法の概略フローチャートである。図７に示す方法は、以下の段階、すなわちＳ１０１〜Ｓ１０３を含んでよい。
【０１５５】
Ｓ１０１：送信側がＴＢをｍ個のＣＢグループに分割する。ここで、ｍは２以上の整数であり、ｍ個のＣＢグループのそれぞれは少なくとも１つのＣＢを含む。
【０１５６】
具体的には、ＴＢにＣＲＣを付加しない場合、送信側はＴＢをｍ個のＣＢグループに分割する。ＴＢにＣＲＣを付加する場合、送信側は、ＴＢとＴＢに付加するＣＲＣとを含んだ全体をｍ個のＣＢグループに分割する。新規データ、又は新規データ及び再送信データが、現在の送信プロセスで送信されてよい。新規データはＴＢを含む。あるいは、再送信データのみが、別の送信プロセスで送信されてもよい。再送信データの説明については、以下の事項を参照されたい。
【０１５７】
Ｓ１０１の前に、本方法はさらに、ＴＢのサイズを送信側が決定し、次にＴＢのデータを取得する段階を含んでよい。
新規データのみが現在の送信プロセスで送信される場合、送信側は、現在の送信プロセスにおいて割り当てられた時間−周波数リソース（すなわち、以下の第１の時間−周波数リソース）のサイズに基づいて、現在送信できるＴＢのサイズを決定してよい。新規データ及び再送信データが現在の送信プロセスで送信される場合、送信側は、新規データを送信するのに用いることができ且つ現在の送信プロセスにおいて割り当てられた時間−周波数リソース（すなわち、以下の第１の時間−周波数リソース）内にある時間−周波数リソースのサイズに基づいて、現在送信できるＴＢのサイズを決定してよい。新規データを送信するのに用いることができる時間−周波数リソースは、現在の送信プロセスにおいて割り当てられた時間−周波数リソースと、再送信データが占有する時間−周波数リソースとの間の差になり得る。
【０１５８】
本発明のこの実施形態におけるＣＢグループが、ＴＢと比較して、小ＴＢ又はサブＴＢ（すなわち、Ｓｕｂ−ＴＢ）などとも呼ばれる場合があることに留意されたい。さらに、具体的に実装する際に、送信側は代替的にＴＢを１つのＣＢグループに分割してよい。この場合、当該ＣＢグループは、ＴＢと同じ意味を有する。
【０１５９】
Ｓ１０２：送信側は、ｍ個のＣＢグループの符号化変調データを第１の時間−周波数リソースにマッピングする。第１の時間−周波数リソースはｎ個のＣＣＵを含み、これらのＣＣＵは第１の時間−周波数リソースの一部の時間−周波数リソースであり、どの時間−周波数リソースも異なるＣＣＵの間で重複せず、異なるＣＢグループのデータが異なるＣＣＵにマッピングされ、異なるＣＢグループのデータは周波数領域で重複して時間領域で重複せず、又は、異なるＣＢグループのデータは時間領域で重複して周波数領域で重複せず、ｎはｍ以上の整数である。
【０１６０】
第１の時間−周波数リソースは、現在の送信プロセスにおいて割り当てられた時間−周波数リソースであり、第１の時間−周波数リソースにマッピングされたデータは、現在の送信プロセスで送信されるデータである。
【０１６１】
ｍ個のＣＢグループのデータは、ｎ個のＣＣＵに全てマッピングされる。新規データのみが現在の送信プロセスで送信される場合、第１の時間−周波数リソースはｎ個のＣＣＵのみを含んでよい。新規データ及び再送信データが現在の送信プロセスで送信される場合、ｎ個のＣＣＵに加えて、第１の時間−周波数リソースはさらに、再送信データが占有する時間−周波数リソースを含んでよい。現在の送信プロセスで送信される再送信データが占有するＣＣＵを構成する方式は、現在の送信プロセスで送信される新規データが占有するＣＣＵを構成する方式と同じであってもよく、又はそれと異なっていてもよい。詳細については、以下の事項を参照されたい。
【０１６２】
１つのＣＢグループのデータが１つ又は複数のＣＣＵにマッピングされてよく、異なるＣＢグループのデータが異なるＣＣＵにマッピングされる。
【０１６３】
異なるＣＣＵ（具体的には、ｎ個のＣＣＵのうちの任意の２つ）の間の関係が、以下の３つのケースのうちのいずれか１つを含む。
【０１６４】
ケース１では、図４に示す任意の２つのＣＣＵ、又は図６に示すＣＣＵ１及びＣＣＵ２のように、異なるＣＣＵが、周波数領域で重複して時間領域で重複しない。
【０１６５】
ケース２では、図５に示す任意の２つのＣＣＵ、又は図６に示すＣＣＵ１及びＣＣＵ５のように、異なるＣＣＵが、時間領域で重複して時間領域で重複しない。
【０１６６】
ケース３では、図６に示すＣＣＵ１及びＣＣＵ６のように、異なるＣＣＵが、時間領域及び周波数領域の両方で重複しない。
【０１６７】
ｎ個のＣＣＵのうちの任意の２つの間の関係がケース１に適合する場合、言い換えれば、ｎ個のＣＣＵのうちの任意の２つが周波数領域で重複して時間領域で重複しない場合、異なるＣＢグループのデータは異なるＣＣＵにマッピングされるので、異なるＣＢグループのデータは周波数領域で重複して時間領域で重複しない。例１では、１つのＴＢが２つのＣＢグループに、すなわちＣＢグループ１及びＣＢグループ２に分割されると仮定すると、各ＣＢグループのデータが、図４に示すＣＣＵ構成方式で２つのＣＣＵにマッピングされてよい。例えば、ＣＢグループ１はＣＣＵ１及びＣＣＵ２にマッピングされ、ＣＢグループ２はＣＣＵ３及びＣＣＵ４にマッピングされる。
【０１６８】
ｎ個のＣＣＵのうちの任意の２つの間の関係がケース２に適合する場合、言い換えれば、ｎ個のＣＣＵのうちの任意の２つが、時間領域で重複して周波数領域で重複しない場合、異なるＣＢグループのデータは異なるＣＣＵにマッピングされるので、異なるＣＢグループのデータは時間領域で重複して周波数領域で重複しない。例２では、１つのＴＢが２つのＣＢグループに、すなわちＣＢグループ１及びＣＢグループ２に分割されると仮定すると、各ＣＢグループのデータが、図５に示すＣＣＵ構成方式で１つのＣＣＵにマッピングされてよい。例えば、ＣＢグループ１はＣＣＵ１にマッピングされ、ＣＢグループ２はＣＣＵ２にマッピングされる。
【０１６９】
ｎ個のＣＣＵに含まれる異なるＣＣＵの間の関係が、図６に示すように、ケース１、ケース２、及びケース３に適合する場合、異なるＣＢグループのデータは、周波数領域で重複して時間領域で重複しない。例えば、１つのＴＢが２つのＣＢグループに、すなわちＣＢグループ１及びＣＢグループ２に、図６に示すＣＣＵ構成方式で分割されると仮定すると、ＣＢグループ１のデータが、ＣＣＵ１、ＣＣＵ２、ＣＣＵ５、及びＣＣＵ６にマッピングされてよく、ＣＢグループ２のデータが、ＣＣＵ３、ＣＣＵ４、ＣＣＵ７、及びＣＣＵ８にマッピングされてよい。又は、ＣＢグループ１のデータが、ＣＣＵ１、ＣＣＵ３、ＣＣＵ５、及びＣＣＵ７にマッピングされてよく、ＣＢグループ２のデータが、ＣＣＵ２、ＣＣＵ４、ＣＣＵ６、及びＣＣＵ８にマッピングされてよい。あるいは、異なるＣＢグループは時間領域で重複して周波数領域で重複しない。例えば、１つのＴＢが２つのＣＢグループに、すなわちＣＢグループ１及びＣＢグループ２に、図６に示すＣＣＵ構成方式で分割されると仮定すると、ＣＢグループ１のデータがＣＣＵ１〜ＣＣＵ４にマッピングされてよく、ＣＢグループ２のデータがＣＣＵ５〜ＣＣＵ８にマッピングされてよい。
【０１７０】
任意選択的に、予期しない干渉により十分に耐えるために、各ＣＢグループの符号化変調データが第１の時間−周波数リソースにマッピングされる前に、各ＣＢグループに含まれる複数のＣＢがインタリーブされてマッピングされてよい。インタリーブ及びマッピングは、インタリーブ後の各ＣＢとインタリーブ前の各ＣＢとが確実に同一の周波数領域帯域幅を占有できるように、周波数領域でのインタリーブ及びマッピングであってよく、その結果、周波数領域ダイバーシティが保証される。さらに、インタリーブ及びマッピングは代替的に、各ＣＣＵのデータが、時間領域で最大限に、ＣＣＵの全てのシンボル上に確実に配分され得るように、時間領域でインタリーブ及びマッピングを行ってよい。  例えば、１つのＣＢグループがｔ個のＣＢを含むと仮定すると、ｔ個のＣＢの各データサイズは、ｌ１、ｌ２、…、及びｌｔであり、ｔ個のＣＢのデータはそれぞれ
【数１２】
2019534647.tif 000014
である。  インタリーブ及びマッピングが行われない場合、送信側は、周波数領域を優先し次いで時間領域という順序で、データ
【数１３】
2019534647.tif 000015
をＣＢグループに対応するＣＣＵにマッピングしてよい。  インタリーブ及びマッピングが行われる場合、送信側は、まずデータ
【数１４】
2019534647.tif 000016
をデータ
【数１５】
2019534647.tif 000017
にインタリーブし、次に、周波数領域を優先し次いで時間領域という順序で、データ
【数１６】
2019534647.tif 000018
をＣＢグループに対応するＣＣＵにマッピングしてよい。
【０１７１】
Ｓ１０３：送信側は、第１の時間−周波数リソースにマッピングされたデータを送出する。
【０１７２】
任意選択的に、Ｓ１０１の後に、本方法はさらに、送信側が各ＣＢグループにＣＲＣを付加する段階を含んでよく、これによって、そのＣＢグループのデータの受信に成功したかどうかを受信側が検査する。
【０１７３】
任意選択的に、Ｓ１０１の後に、送信側が各ＣＢグループにＣＲＣを付加したかどうかに関係なく、本方法はさらに、送信側が各ＣＢグループを１つ又は複数のＣＢに分割する段階を含んでよい。本方法はさらに、送信側が各ＣＢにＣＲＣを付加する段階を含んでよく、これによって、そのＣＢのデータの受信に成功したかどうかを受信側が検査する。送信側が各ＣＢグループを１つ又は複数のＣＢに分割した後に、送信側が各ＣＢにＣＲＣを付加したかどうかに関係なく、Ｓ１０２は、各ＣＢに対して符号化、レートマッチング、スクランブリング、変調、レイヤマッピング、及びアンテナマッピングなどのオペレーションを行う段階を含んでよい。この場合、Ｓ１０３は、符号化、レートマッチング、スクランブリング、変調、レイヤマッピング、及びアンテナマッピングなどのオペレーションが行われるデータを第１の時間−周波数リソースにマッピングする段階を含んでよい。
【０１７４】
本発明のこの実施形態で提供されるデータ送信方法において、ＴＢはｍ個のＣＢグループに分割され、ｍ個のＣＢグループは第１の時間−周波数リソース内のｎ個のＣＣＵにマッピングされ、次に第１の時間−周波数リソースにマッピングされたデータは送出される。どの時間−周波数リソースも異なるＣＣＵの間で重複せず、異なるＣＢグループのデータは異なるＣＣＵにマッピングされる。さらに、異なるＣＢグループのデータは時間領域で重複しないか、又は周波数領域で重複しない。このように、例１の２つのＣＢグループのように、異なるＣＢグループのデータが時間領域で重複しない場合、任意のシンボルが干渉を受けると、１つのＣＢグループだけのデータの精度に影響を与える。先行技術（前述の解決手段１など）と比較すると、再送信されるＣＢグループの個数が減少し得るので、送信効率が向上する。例２の２つのＣＢグループのように、異なるＣＢグループのデータが周波数領域で重複しない場合、現在の送信において割り当てられた周波数領域リソースの狭帯域が干渉を受けても、全てのＣＢグループのデータの精度が影響されることはない。先行技術と比較すると、再送信されるＣＢグループの個数が減少し得るので、送信効率が向上する。例えば、前述の解決手段２と比較すると、ＣＢグループ１のみが再送信の必要がある。したがって、再送信されるＣＢグループの個数が減少するので、送信効率が向上する。
【０１７５】
本発明のこの実施形態において提供される、ＣＣＵを分割する方式、及びＣＢグループを時間−周波数リソースにマッピングする方式で、ダウンリンク制御情報（ｄｏｗｎｌｉｎｋ  ｃｏｎｔｒｏｌ  ｉｎｄｉｃａｔｉｏｎ、ＤＣＩ）がより簡潔に設計され得ること、及び再送信データがより柔軟に設計され得る（例えば、再送信データのみ、又は新規データ及び再送信データが１つの送信プロセスで送信され得る）ことなどに留意されたい。詳細については、以下の事項を参照されたい。
【０１７６】
受信側による自動再送要求（Ｈｙｂｒｉｄ  Ａｕｔｏｍａｔｉｃ  Ｒｅｐｅａｔ  Ｒｅｑｕｅｓｔ、ＨＡＲＱ）インジケータのフィードバックに関するオーバーヘッド、制御インジケーションのオーバーヘッド、及び／又はＣＣＵの個数制限などの要因を考慮して、送信側がＣＢグループの個数の最大値ＮＧｒｏｕｐ＿ｍａｘを設定してよいことに留意されたい。
【０１７７】
任意選択的に、Ｓ１０２は、ＴＢのデータサイズ、ＣＢのデータサイズの最大値、ＣＢグループのデータサイズの最大値、ＣＢグループの個数の最大値、及びＣＣＵの個数ｎのうちの少なくとも１つに基づいて、送信側がＣＢグループの個数の実際の値ｍを決定する段階を含んでよい。いくつかの任意選択の方式が以下に列挙される。
【０１７８】
方式１：送信側は、ＴＢのデータサイズＴＢＳ、ＣＢのデータサイズの最大値ＣＢｍａｘ、ＣＢグループの個数の最大値ＮＧｒｏｕｐ＿ｍａｘ、及びＣＣＵの個数ｎに基づいて、ＣＢグループの個数の実際の値ｍを決定する。ＣＢｍａｘ及びＮＧｒｏｕｐ＿ｍａｘは、事前設定されてよい。
【０１７９】
具体的には、図８に示すように、方式１は以下の段階、すなわちＳ１１及びＳ１２を含んでよい。
【０１８０】
Ｓ１１：送信側は、ＴＢのデータサイズＴＢＳ及びＣＢのデータサイズの最大値ＣＢｍａｘに基づいて、ＣＢグループの個数の基準値ＮＧｒｏｕｐ＿ｒｅを決定する。
【０１８１】
ＴＢにＣＲＣを付加しない場合、ＴＢのデータサイズＴＢＳはＴＢのデータサイズである。ＴＢにＣＲＣを付加する場合、ＴＢのデータサイズＴＢＳは、ＴＢのデータサイズとＴＢに付加するＣＲＣのサイズとの合計になる。
【０１８２】
ＣＢにＣＲＣを付加しない場合、ＣＢのデータサイズの最大値ＣＢｍａｘは最大ＣＢサイズである（例えば、ＣＢｍａｘはＬＴＥにおいて６１４４ビットになり得る、又はＣＢｍａｘはＮＲにおいて８１９２ビットになり得る）。ＣＢにＣＲＣを付加する場合、ＣＢのデータサイズの最大値ＣＢｍａｘは、最大ＣＢサイズから、ＣＢに付加するＣＲＣのサイズを差し引くことにより求められる。
【０１８３】
具体的には、送信側は、ＴＢのデータサイズＴＢＳ及びＣＢのデータサイズの最大値ＣＢｍａｘに基づいて、ＴＢを分割することにより取得されるＣＢの個数の基準値ＮＣＢ＿ｒｅを決定する。例えば、送信側は、ＮＣＢ＿ｒｅ＝ｃｅｉｌ（ＴＢＳ／ＣＢｍａｘ）の式に基づいてＮＣＢ＿ｒｅを決定し、次にＮＧｒｏｕｐ＿ｒｅ＝ｃｅｉｌ（ＮＣＢ＿ｒｅ／ＮＣＢ＿ｍｉｎ）の式に基づいてＣＢグループの個数の基準値ＮＧｒｏｕｐ＿ｒｅを決定してよい。ここで、ｃｅｉｌ（）は端数を切り上げることを示し、ＮＣＢ＿ｍｉｎは１つのＣＢグループに含まれるＣＢの個数の最小値を示し、ＮＣＢ＿ｍｉｎは事前設定されても又はシグナリングを用いて構成されてもよく、シグナリングを用いて構成を実施することは、上位層シグナリング又は物理層シグナリングを用いて動的に／半静的に構成を実施することを含んでよい。本明細書における上位層シグナリングは、無線リソース制御（ｒａｄｉｏ  ｒｅｓｏｕｒｃｅ  ｃｏｎｔｒｏｌ、ＲＲＣ）層シグナリング、又は媒体アクセス制御（Ｍｅｄｉｕｍ  Ａｒｃｃｅｓｓ  Ｃｏｎｔｒｏｌ、ＭＡＣ）層シグナリングなどであってよい。例えば、ＮＣＢ＿ｒｅ＝１であり、ＮＣＢ＿ｍｉｎ＝１である場合、ＮＧｒｏｕｐ＿ｒｅ＝１である。ＮＣＢ＿ｒｅ＝８であり、ＮＣＢ＿ｍｉｎ＝１である場合、ＮＧｒｏｕｐ＿ｒｅ＝８である。
【０１８４】
任意選択的に、送信側は代替的に、ＮＧｒｏｕｐ＿ｒｅ＝ｃｅｉｌ（ＮＣＢ＿ｒｅ／ＮＣＢ＿ｐｅｒＧｒｏｕｐ）の式に基づいて、ＣＢグループの個数の基準値ＮＧｒｏｕｐ＿ｒｅを決定してよい。ここで、ＮＣＢ＿ｐｅｒＧｒｏｕｐはＣＢグループの粒度、すなわちＣＢグループに含まれるＣＢの個数を示し、ＮＣＢ＿ｐｅｒＧｒｏｕｐは事前設定されても又はシグナリングを用いて構成されてもよく、シグナリングを用いて構成を実施することは、上位層シグナリング又は物理層シグナリングを用いて動的に／半静的に構成を実施することを含んでよい。
【０１８５】
任意選択的に、送信側は代替的に、ＮＧｒｏｕｐ＿ｒｅ＝ｃｅｉｌ（ＮＣＢ＿ｒｅ／ＮＣＢ＿ｍａｘ）の式に基づいて、ＣＢグループの個数の基準値ＮＧｒｏｕｐ＿ｒｅを決定してよい。ここで、ＮＣＢ＿ｍａｘは１つのＣＢグループに含まれるＣＢの個数の最大値、すなわちＣＢグループに含まれるＣＢの個数を示す。ＮＣＢ＿ｍａｘは事前設定されても又はシグナリングを用いて構成されてもよく、シグナリングを用いて構成を実施することは、上位層シグナリング又は物理層シグナリングを用いて動的に／半静的に構成を実施することを含んでよい。
【０１８６】
Ｓ１２：送信側は、ＣＢグループの個数の実際の値ｍとして、ＣＢグループの個数の基準値ＮＧｒｏｕｐ＿ｒｅの最小値、ＣＢグループの個数の最大値ＮＧｒｏｕｐ＿ｍａｘ、及びＣＣＵの個数ｎを用いる。
【０１８７】
具体的には、送信側は、ｍ＝ｍｉｎ（ＮＧｒｏｕｐ＿ｒｅ，ＮＧｒｏｕｐ＿ｍａｘ，ｎ）の式に基づいて、ＣＢグループの個数の実際の値ｍを決定してよい。例えば、ＮＧｒｏｕｐ＿ｒｅ＝１であり、ＮＧｒｏｕｐ＿ｍａｘ＝４であり、ｎ＝２である場合、ｍ＝１である。ＮＧｒｏｕｐ＿ｒｅ＝８であり、ＮＧｒｏｕｐ＿ｍａｘ＝４であり、ｎ＝２である場合、ｍ＝２である。
【０１８８】
Ｓ１１とＳ１２との組み合わせは、ｍ＝ｍｉｎ（ＴＢＳ／ＣＢＧｒｏｕｐ＿ｍｉｎ，ＮＧｒｏｕｐ＿ｍａｘ，ｎ）の式に基づいて、ＣＢグループの個数の実際の値ｍを取得するものとみなされ得ることに留意されたい。ＣＢＧｒｏｕｐ＿ｍｉｎは、ＣＢグループに含まれるビットの最小個数を示す。
【０１８９】
方式２：送信側は、ＴＢのデータサイズＴＢＳ、ＣＢグループのデータサイズの最大値ＣＢＧｒｏｕｐ＿ｍａｘ、ＣＢグループの個数の最大値ＮＧｒｏｕｐ＿ｍａｘ、及びＣＣＵの個数ｎに基づいて、ＣＢグループの個数の実際の値ｍを決定する。ＣＢＧｒｏｕｐ＿ｍａｘは、ＣＢグループに含まれるビットの最大個数である。ＣＢＧｒｏｕｐ＿ｍａｘ及びＮＧｒｏｕｐ＿ｍａｘは、事前設定されても又はシグナリングを用いて構成されてもよく、シグナリングを用いて構成を実施することは、上位層シグナリング又は物理層シグナリングを用いて動的に／半静的に構成を実施することを含んでよい。
【０１９０】
具体的には、図８ａに示すように、方式２は以下の段階、すなわちＳ２１及びＳ２２を含んでよい。
【０１９１】
Ｓ２１：送信側は、ＴＢのデータサイズＴＢＳ及びＣＢグループのデータサイズの最大値ＣＢＧｒｏｕｐ＿ｍａｘに基づいて、ＣＢグループの個数の基準値ＮＧｒｏｕｐ＿ｒｅを決定する。
【０１９２】
ＴＢにＣＲＣを付加しない場合、ＴＢのデータサイズＴＢＳはＴＢのデータサイズＬＴＢである。ＴＢにＣＲＣを付加する場合、ＴＢのデータサイズＴＢＳは、ＴＢのデータサイズＬＴＢとＴＢに付加するＣＲＣのサイズＴＢＣＲＣとの合計になる。具体的には、Ｓ２１は、以下のケースのうちのいずれか１つを含んでよい。
【０１９３】
（１）ＴＢがｍ個のＣＢグループに分割され、ＣＢグループにＣＲＣを付加しない場合、ＮＧｒｏｕｐ＿ｒｅ＝ｃｅｉｌ（ＬＴＢ／ＣＢＧｒｏｕｐ＿ｍａｘ）である。
【０１９４】
（２）ＴＢがｍ個のＣＢグループに分割され、ＣＢグループにＣＲＣを付加する場合、ＮＧｒｏｕｐ＿ｒｅ＝ｃｅｉｌ（ＬＴＢ／（ＣＢＧｒｏｕｐ＿ｍａｘ−ＣＢＧｒｏｕｐＣＲＣ））である。
【０１９５】
（３）ＴＢ及びＴＢに付加するＣＲＣがｍ個のＣＢグループに分割され、ＣＢグループにＣＲＣを付加しない場合、ＮＧｒｏｕｐ＿ｒｅ＝ｃｅｉｌ（（ＬＴＢ＋ＴＢＣＲＣ）／ＣＢＧｒｏｕｐ＿ｍａｘ）である。
【０１９６】
（４）ＴＢ及びＴＢに付加するＣＲＣがｍ個のＣＢグループに分割され、ＣＢグループにＣＲＣを付加する場合、ＮＧｒｏｕｐ＿ｒｅ＝ｃｅｉｌ（（ＬＴＢ＋ＴＢＣＲＣ）／（ＣＢＧｒｏｕｐ＿ｍａｘ−ＣＢＧｒｏｕｐＣＲＣ））である。
【０１９７】
Ｓ２２：送信側は、ＣＢグループの個数の実際の値ｍとして、ＣＢグループの個数の基準値ＮＧｒｏｕｐ＿ｒｅの最小値、ＣＢグループの個数の最大値ＮＧｒｏｕｐ＿ｍａｘ、及びＣＣＵの個数ｎを用いる。
【０１９８】
段階Ｓ２２の具体的実装については、Ｓ１２を参照されたい。
【０１９９】
方式３：送信側は、ＴＢのデータサイズＴＢＳに基づいて、ＣＢグループの個数の実際の値ｍを決定する。任意選択的に、１つ又は複数の事前設定閾値が送信側において設定されてよく、送信側は次に、ＴＢＳ及び１つ又は複数の事前設定閾値に基づいてｍを決定してよい。例えば、ＴＢＳ≦ｔｈ１の場合、送信側はｍ＝１と決定し、ｔｈ１＜ＴＢＳ≦ｔｈ２の場合、送信側はｍ＝２と決定し、ｔｈ２＜ＴＢＳ≦ｔｈ３の場合、送信側はｍ＝３と決定するなどであり、ｔｈ１＜ｔｈ２＜ｔｈ３である。
【０２００】
方式４：送信側は、ＣＢグループの個数の最大値ＮＧｒｏｕｐ＿ｍａｘに基づいて、ＣＢグループの個数の実際の値ｍを決定する。任意選択的に、送信側は、ＣＢグループの個数の実際の値ｍとしてＮＧｒｏｕｐ＿ｍａｘを用いる。
【０２０１】
方式５：送信側は、ＣＣＵの個数ｎに基づいて、ＣＢグループの個数の実際の値ｍを決定する。任意選択的に、送信側は、ＣＢグループの個数の実際の値ｍとしてＣＣＵの個数ｎを用いる。
【０２０２】
方式６：送信側は、ＴＢのデータサイズＴＢＳ及びＣＢのデータサイズの最大値ＣＢｍａｘに基づいて、ＣＢグループの個数の実際の値ｍを決定する。任意選択的に、送信側は、ＴＢＳ及びＣＢｍａｘに基づいて、ＣＢグループの個数の基準値ＮＧｒｏｕｐ＿ｒｅを決定する。この段階の具体的な実施例については、Ｓ１１を参照されたい。次にＮＧｒｏｕｐ＿ｒｅは、ＣＢグループの個数の実際の値ｍとして用いられる。
【０２０３】
方式７：送信側は、ＴＢのデータサイズＴＢＳ及びＣＢグループのデータサイズの最大値ＣＢＧｒｏｕｐ＿ｍａｘに基づいて、ＣＢグループの個数の実際の値ｍを決定する。任意選択的に、送信側は、ＴＢＳ及びＣＢＧｒｏｕｐ＿ｍａｘに基づいて、ＣＢグループの個数の基準値ＮＧｒｏｕｐ＿ｒｅを決定する。この段階の具体的な実施例については、Ｓ２１を参照されたい。次にＮＧｒｏｕｐ＿ｒｅは、ＣＢグループの個数の実際の値ｍとして用いられる。
【０２０４】
方式８：送信側は、ＴＢのデータサイズＴＢＳ及びＣＢグループの個数の最大値ＮＧｒｏｕｐ＿ｍａｘに基づいて、ＣＢグループの個数の実際の値ｍを決定する。任意選択的に、１つ又は複数の事前設定閾値が送信側において設定されてよく、送信側は次に、ＴＢＳ、１つ又は複数の事前設定閾値、及びＮＧｒｏｕｐ＿ｍａｘに基づいてｍを決定してよい。例えば、ＮＧｒｏｕｐ＿ｍａｘ＝４と仮定すると、ＴＢＳ≦ｔｈ１の場合、送信側はｍ＝１と決定し、ｔｈ１＜ＴＢＳ≦ｔｈ２の場合、送信側はｍ＝２と決定し、ｔｈ２＜ＴＢＳ≦ｔｈ３の場合、送信側はｍ＝３と決定し、又はＴＢＳ＞ｔｈ３の場合、送信側はｍ＝ＮＧｒｏｕｐ＿ｍａｘ＝４と決定し、ここで、ｔｈ１＜ｔｈ２＜ｔｈ３である。
【０２０５】
方式９：送信側は、ＴＢのデータサイズＴＢＳ及びＣＣＵの個数ｎに基づいて、ＣＢグループの個数の実際の値ｍを決定する。任意選択的に、１つ又は複数の事前設定閾値が送信側において設定されてよく、送信側は次に、ＴＢＳ、１つ又は複数の事前設定閾値、及びｎに基づいてｍを決定してよい。例えば、ｎ＝４と仮定すると、ＴＢＳ≦ｔｈ１の場合、送信側はｍ＝１と決定し、ｔｈ１＜ＴＢＳ≦ｔｈ２の場合、送信側はｍ＝２と決定し、ｔｈ２＜ＴＢＳ≦ｔｈ３の場合、送信側はｍ＝３と決定し、又はＴＢＳ＞ｔｈ３の場合、送信側はｍ＝ｎ＝４と決定し、ここで、ｔｈ１＜ｔｈ２＜ｔｈ３である。
【０２０６】
方式１０：送信側は、ＴＢのデータサイズＴＢＳ、ＣＢのデータサイズの最大値ＣＢｍａｘ、ＣＢグループの個数の最大値ＮＧｒｏｕｐ＿ｍａｘに基づいて、ＣＢグループの個数の実際の値ｍを決定する。任意選択的に、送信側は、ＴＢＳ及びＣＢｍａｘに基づいて、ＣＢグループの個数の基準値ＮＧｒｏｕｐ＿ｒｅを決定する。この段階の具体的な実施例については、Ｓ１１を参照されたい。次に、ＮＧｒｏｕｐ＿ｒｅ及びＮＧｒｏｕｐ＿ｍａｘの最小値が、ＣＢグループの個数の実際の値ｍとして用いられる。任意選択的に、送信側は、ＴＢＳ及びＣＢｍａｘに基づいてＮＣＢ＿ｒｅを決定する。ＮＣＢ＿ｒｅの関連する説明については、Ｓ１１を参照されたい。次に送信側は、ｍ＝ｍｉｎ（ＮＣＢ＿ｒｅ，ＮＧｒｏｕｐ＿ｍａｘ）の式に基づいて、ＣＢグループの個数の実際の値ｍを決定する。
【０２０７】
方式１１：送信側は、ＴＢのデータサイズＴＢＳ、ＣＢグループのデータサイズの最大値ＣＢＧｒｏｕｐ＿ｍａｘ、ＣＢグループの個数の最大値ＮＧｒｏｕｐ＿ｍａｘに基づいて、ＣＢグループの個数の実際の値ｍを決定する。任意選択的に、送信側は、ＴＢＳ及びＣＢＧｒｏｕｐ＿ｍａｘに基づいて、ＣＢグループの個数の基準値ＮＧｒｏｕｐ＿ｒｅを決定する。この段階の具体的な実施例については、Ｓ２１を参照されたい。次に、ＮＧｒｏｕｐ＿ｒｅ及びＮＧｒｏｕｐ＿ｍａｘの最小値が、ＣＢグループの個数の実際の値ｍとして用いられる。
【０２０８】
本発明のこの実施形態は、１つのＴＢに含まれるＣＢグループの個数の実際の値ｍを決定することについて、複数の実施例を提供する。詳細については、実施形態の説明にある「ＣＢグループの個数の実際の値ｍの決定」に関する方式１から方式１１を参照されたい。少なくとも以下の２つのカテゴリが含まれる。
【０２０９】
第１のカテゴリでは、ＴＢを分割することにより取得されるＣＢの個数の基準値ＮＣＢ＿ｒｅが、ＮＣＢ＿ｒｅ＝ｃｅｉｌ（ＴＢＳ／ＣＢｍａｘ）の式に基づいて、まず決定される。次にＣＢグループの個数の実際の値ｍが、方式１、方式６、及び方式１０のように決定される。
【０２１０】
第２のカテゴリでは、ＴＢを分割することにより取得されるＣＢグループの個数の基準値ＮＧｒｏｕｐ＿ｒｅが、ＮＧｒｏｕｐ＿ｒｅ＝ｃｅｉｌ（ＴＢＳ／ＣＢＧｒｏｕｐ＿ｍａｘ）の式に基づいて、まず決定される。次にＣＢグループの個数の実際の値ｍが、方式２、方式７、及び方式１１のように決定される。
【０２１１】
第１のカテゴリの方式において、ＮＣＢ＿ｒｅは、第１のカテゴリの方式で決定されたｍでちょうど割り切れなくてもよい。したがって、異なるＣＢグループのＣＢの個数は異なってもよい。  実行可能な設計例において、本方法はさらに、
【数１７】
2019534647.tif 000019
の式又は
【数１８】
2019534647.tif 000020
の式に基づいて、各ＣＢグループのＣＢの個数Ｃを決定する段階を含んでよい。ここで、
【数１９】
2019534647.tif 000021
は端数を切り上げることを示し、
【数２０】
2019534647.tif 000022
は端数を切り捨てることを示し、ＣはＣ＋及びＣ−を含む。  本方法はさらに、Ｎ＋＝ＮＣＢ＿ｒｅ−ｍＣ−の式に基づいて、それぞれがＣ＋個のＣＢを有するＣＢグループの個数Ｎ＋を決定する段階と、Ｎ−＝ｍ−Ｎ＋の式に基づいて、それぞれがＣ−個のＣＢを有するＣＢグループの個数Ｎ−を決定する段階とを含んでよい。
【０２１２】
この実施例では、各ＣＢグループのＣＢの個数は以下のように２種類あってよく、その２種類の個数はそれぞれＣ＋及びＣ−と表示される。ここで、
【数２１】
2019534647.tif 000023
及び
【数２２】
2019534647.tif 000024
であり、
【数２３】
2019534647.tif 000025
は端数を切り上げることを示し、
【数２４】
2019534647.tif 000026
は端数を切り捨てることを示す。
【０２１３】
それぞれがＣ＋個のＣＢを有するＣＢグループの個数はＮ＋と表示され、それぞれがＣ−個のＣＢを有するＣＢグループの個数はＮ−と表示されることが理解されるであろう。したがって、Ｎ＋＝ＮＣＢ＿ｒｅ−ｍＣ−、及びＮ−＝ｍ−Ｎ＋である。
【０２１４】
任意選択的に、それぞれがＣ＋個のＣＢを有するＣＢグループは、ｍ個のＣＢグループの最初のＮ＋個のＣＢグループであってよい。この場合、それぞれがＣ−個のＣＢを有するＣＢグループは、ｍ個のＣＢグループの最後のＮ−個のＣＢグループであってよい。あるいは、それぞれがＣ＋個のＣＢを有するＣＢグループは、ｍ個のＣＢグループの最後のＮ＋個のＣＢグループであってよい。この場合、それぞれがＣ−個のＣＢを有するＣＢグループは、ｍ個のＣＢグループの最初のＮ−個のＣＢグループであってよい。具体的に実装する際に、本発明がこうしたことに限定されることはない。
【０２１５】
例えば、ＮＣＢ＿ｒｅ＝１５及びｍ＝４であると仮定すると、Ｃ＋＝４、Ｃ−＝３、Ｎ＋＝３、及びＮ−＝１が求められ得る。言い換えれば、３つのＣＢグループのそれぞれの中のＣＢの個数は４であり、１つのＣＢグループの中のＣＢの個数は３である。ＴＢを分割することにより取得される１５個のＣＢの順序番号が０〜１４であると仮定すると、４つのＣＢグループは、｛０，１，２，３｝、｛４，５，６，７｝、｛８，９，１０，１１｝、及び｛１２，１３，１４｝であっても、又は｛０，１，２｝、｛３，４，５，６｝、｛７，８，９，１０｝、及び｛１１，１２，１３，１４｝であってもよい。
【０２１６】
第２のカテゴリの方式において、ＴＢＳは、第２のカテゴリの方式で決定されたｍでちょうど割り切れなくてもよい。したがって、異なるＣＢグループに含まれるビットの個数は異なってもよい。  実行可能な設計例において、本方法はさらに、
【数２５】
2019534647.tif 000027
又はＢ−＝ＴＢＳ−（ｍ−１）Ｂ＋の式に基づいて、各ＣＢグループ内のビットの個数Ｂを決定する段階を含んでよい。
【０２１７】
この実施例では、各ＣＢグループのビットの個数は以下のように２種類あってよく、その２種類の個数はそれぞれＢ＋及びＢ−と表示される。ここで、
【数２６】
2019534647.tif 000028
及びＢ−＝ＴＢＳ−（ｍ−１）Ｂ＋である。
【０２１８】
任意選択的に、それぞれがＢ＋個のビットを有するＣＢグループは、ｍ個のＣＢグループの最初の（ｍ−１）個のＣＢグループであってよい。この場合、Ｂ−個のビットを有するＣＢグループが、ｍ個のＣＢグループの最後のＣＢグループである。あるいは、それぞれがＢ＋個のビットを有するＣＢグループは、ｍ個のＣＢグループの最後の（ｍ−１）個のＣＢグループであってよい。この場合、Ｂ−個のビットを有するＣＢグループが、ｍ個のＣＢグループの最初のＣＢグループである。
【０２１９】
ＣＢグループにＣＲＣを付加しない場合、Ｂ＋及びＢ−は、ＣＢグループのデータサイズであることが理解されるであろう。ＣＢグループにＣＲＣを付加する場合、Ｂ＋及びＢ−のそれぞれは、ＣＢグループのデータサイズとＣＢグループに付加するＣＲＣのサイズとの合計である。
【０２２０】
任意選択的に、図９に示すようにＳ１０１の前に、本方法はさらに以下の段階、すなわちＳ１００及びＳ１００ａを含んでよい。
【０２２１】
Ｓ１００：送信側は、ＣＢグループの個数の実際の値ｍ及びＣＣＵの個数ｎに基づいて、ｍ個のＣＢグループのそれぞれと、ｎ個のＣＣＵのそれぞれとの間のマッピング関係を決定する。
【０２２２】
例えば、ｉ番目のＣＢグループとＣＣＵの個数との間のマッピング関係が次式１に基づいて決定されてよい。
［式１］
【数２７】
2019534647.tif 000029
ここで、ｎｉはｉ番目のＣＢグループがマッピングされるＣＣＵの個数を示し、ｆｌｏｏｒ（）は端数を切り捨てることを示す。
【０２２３】
式１は、ｉ番目のＣＢグループとＣＣＵの個数との間の対応関係を示すが、各ＣＢグループと１つ又は複数の特定のＣＣＵとの間のマッピング関係を提供するものではない。各ＣＢグループと１つ又は複数の特定のＣＣＵとの間のマッピング関係は、本発明のこの実施形態において限定されるものではない。任意選択的に、各ＣＢグループとＣＣＵとの間のマッピング関係は、ｎ個のＣＣＵの順序で連続的に設定されてもよい。例えば、１番目のＣＢグループと１番目のＣＣＵ〜ｎ１番目のＣＣＵとの間にマッピング関係が存在し、２番目のＣＢグループと（ｎ１＋１）番目のＣＣＵ〜（ｎ１＋ｎ２）番目のＣＣＵとの間にマッピング関係が存在し、類推によって、ｍ番目のＣＢグループと（ｎ１＋ｎ２＋…ｎｍ−１＋１）番目のＣＣＵ〜（ｎ１＋ｎ２＋…ｎｍ−１＋ｎｍ）番目のＣＣＵとの間にマッピング関係が存在する。例えば、図４ではｎ＝４である。この場合、ｍ＝１であるならば、ＣＢグループと４つのＣＣＵとの間にマッピング関係が存在し、ｍ＝２であるならば、１番目のＣＢグループとＣＣＵ１及びＣＣＵ２との間にマッピング関係が存在し、また２番目のＣＢグループとＣＣＵ３及びＣＣＵ４との間にマッピング関係が存在し、ｍ＝４であるならば、各ＣＢグループとこれらのＣＣＵの順序で１つのＣＣＵとの間にマッピング関係が存在する。
【０２２４】
ＣＢグループは、本発明のこの実施形態におけるルールに従って、対応するＣＣＵにマッピングされることに留意されたい。このように、干渉がデータ送信プロセスにおいて生じる場合、干渉によって占有される時間領域リソース及び周波数領域リソースが決定されるならば、特定のＣＢグループの、干渉を受けるデータが決定され得る。したがって、先行技術と比較すると、干渉相殺（ｉｎｔｅｒｆｅｒｅｎｃｅ  ｃａｎｃｅｌｌｉｎｇ、ＩＣ）が、より望ましく行われ得る。
【０２２５】
Ｓ１００ａ：送信側は、マッピング関係と、データの送信に用いることができ且つｎ個のＣＣＵ内にあるリソースのサイズとに基づいて、ｍ個のＣＢグループのそれぞれのデータサイズを決定する。
【０２２６】
データの送信に用いることができるリソースは、制御情報、ＧＰ、及び参照情報などの非データ情報の送信に用いるリソース以外の残りのリソースである。
【０２２７】
具体的には、送信側は、次式２に基づいて、ｍ個のＣＢグループのｉ番目のＣＢグループのデータサイズを決定してよい。
［式２］
【数２８】
2019534647.tif 000030
ここで、Ｂｉはｍ個のＣＢグループのうちのｉ番目のＣＢグループのデータサイズを示し、ｉは１以上且つｍ以下の整数であり、ＬＴＢはＴＢのデータサイズを示し、ＬＴＢ＿ＣＲＣはＴＢに付加するＣＲＣのサイズを示し、ＬＴＢ＿ＣＲＣは０以上であり、ＳＣＢ＿ｉは、データの送信に用いることができ且つｉ番目のＣＢグループに対応するＣＣＵ内にあるリソースのサイズを示し、Ｓｔｏｔａｌは、データの送信に用いることができ且つｎ個のＣＣＵ内にあるリソースのサイズを示し、ｆｌｏｏｒ（）は端数を切り捨てることを示す。
【０２２８】
式２においてＬＴＢ＿ＣＲＣが０以上であることは、送信側がＴＢをｍ個のＣＢグループに分割してもよく、又は送信側が、ＴＢにＣＲＣを付加した後に、ＴＢをｍ個のＣＢグループに分割してもよいことを示していることに留意されたい。
【０２２９】
例えば、式２のＳｉ／Ｓｔｏｔａｌは、具体的には、ＲＥｉ／ＲＥｔｏｔａｌ又はＳｙｍｉ／Ｓｙｍｔｏｔａｌであってよい。ＲＥｉは、データの送信に用いることができ且つｉ番目のＣＢグループに対応するＣＣＵ内にあるＲＥの個数を示し、ＲＥｔｏｔａｌは、データの送信に用いることができ且つｎ個のＣＣＵ内にあるＲＥの個数を示す。Ｓｙｍｉは、データの送信に用いることができ且つｉ番目のＣＢグループに対応するＣＣＵ内にあるシンボルの個数を示し、Ｓｙｍｔｏｔａｌは、データの送信に用いることができ且つｎ個のＣＣＵ内にあるシンボルの個数を示す。
【０２３０】
Ｓ１００及びＳ１００ａの具体的な例に基づいて各ＣＢグループのデータサイズを決定する段階は、ｍ個のＣＢグループのデータがｎ個のＣＣＵに可能な限り一様に配分され得ることを最大限に保証できるので、符号化及びレートマッチングが行われた後に取得される、各ＣＢグループのビットレートが基本的に一致しており、適応変調符号化（ａｄａｐｔｉｖｅ  ｍｏｄｕｌａｔｉｏｎ  ａｎｄ  ｃｏｄｉｎｇ、ＡＭＣ）が正常に行われることに留意されたい。
【０２３１】
任意選択的に、図９に示すようにＳ１０１の後に、本方法はさらに、以下の段階、すなわちＳ１０１ａを含んでよい。
【０２３２】
Ｓ１０１ａ：送信側は、各ＣＢグループのデータをＣ個のＣＢに分割する。
【０２３３】
具体的には、各ＣＢにＣＲＣを付加する場合、Ｃ＝ｃｅｉｌ（Ｂ／（ＣＢｍａｘ−ＣＢＣＲＣ））となり、各ＣＢにＣＲＣを付加しない場合、Ｃ＝ｃｅｉｌ（Ｂ／ＣＢｍａｘ）となる。ｃｅｉｌ（）は端数を切り上げることを示し、ＢはＣＢグループのデータサイズを示し、ＣＢｍａｘはＣＢのデータサイズの最大値を示し、ＣＢＣＲＣはＣＢに付加するＣＲＣのサイズを示す。
【０２３４】
ＣＢグループにＣＲＣを付加しない場合、ＣＢグループのデータサイズＢはＣＢグループのデータサイズＬＣＢｇｒｏｕｐである。ＣＢグループにＣＲＣを付加する場合、ＣＢグループのデータサイズＢは、ＣＢグループのデータサイズＬＣＢｇｒｏｕｐとＣＢグループに付加するＣＲＣのサイズＣＢＧｒｏｕｐＣＲＣとの合計になる。すなわち、任意選択の実施例は、以下の事項のうちのいずれか１つを含んでよい。
【０２３５】
（１）ＣＢグループがＣ個のＣＢに分割され、ＣＢにＣＲＣを付加しない場合、Ｃ＝ｃｅｉｌ（ＬＣＢｇｒｏｕｐ／ＣＢｍａｘ）である。
【０２３６】
（２）ＣＢグループがＣ個のＣＢグループに分割され、ＣＢにＣＲＣを付加する場合、Ｃ＝ｃｅｉｌ（ＬＣＢｇｒｏｕｐ／（ＣＢｍａｘ−ＣＢＣＲＣ））である。
【０２３７】
（３）ＣＢグループ及びＣＢグループに付加するＣＲＣがＣ個のＣＢに分割され、ＣＢにＣＲＣを付加しない場合、Ｃ＝ｃｅｉｌ（（ＬＣＢｇｒｏｕｐ＋ＣＢＧｒｏｕｐＣＲＣ）／ＣＢｍａｘ）である。
【０２３８】
（４）ＣＢグループ及びＣＢグループに付加するＣＲＣがＣ個のＣＢに分割され、ＣＢグループにＣＲＣを付加する場合、Ｃ＝ｃｅｉｌ（（ＬＣＢｇｒｏｕｐ＋ＣＢＧｒｏｕｐＣＲＣ）／（ＣＢｍａｘ−ＣＢＣＲＣ））である。
【０２３９】
具体的に実装する際に、上記に示した、ＴＢをｍ個のＣＢグループに分割する方法、ＣＢグループをＣ個のＣＢに分割する方法、及びｍ個のＣＢグループとｎ個のＣＣＵとの間のマッピング関係などは全て、送信側及び受信側によって事前に合意されてよいことに留意されたい。言い換えれば、送信側は、情報を受信側に示す必要はない。さらに、第１の時間−周波数リソースで送信されるデータが属する特定のＴＢ及び／又は特定のＣＢグループなどの情報が、送信側及び受信側によって事前に合意されてよい。通信の堅牢性を高めるために、これらの情報が代替的に、送信側によって受信側に示されてもよい。
【０２４０】
データを受信側に送出する送信側によって用いられる方法が上述されている。具体的に実装する際に、前述の段階に従って処理されたデータを受信側に送出することに加えて、送信側はさらに、ＤＣＩを受信側に送出する必要がある。ＤＣＩは、受信データの処理方法を受信側に示すのに用いられる。本発明のこの実施形態は、ＤＣＩを設計する方法を提供する。具体的には、ＤＣＩは以下の情報を含んでよい。
【０２４１】
（１）変調符号化方式（ｍｏｄｕｌａｔｉｏｎ  ａｎｄ  ｃｏｄｉｎｇ  ｓｃｈｅｍｅ、ＭＣＳ）インジケーション。これは、現在送信されるデータにより用いられるＭＣＳを示すのに用いられる。具体的に実装する際に、ＤＣＩは１つのＭＣＳを含み、第１の時間−周波数リソースで搬送されるデータにより用いられるＭＣＳを示してよい。任意選択的に、通信の柔軟性及び堅牢性を高めるために、複数のＭＣＳインジケーションが代替的に、現在送信されるデータにより用いられるＭＣＳを示すのに用いられてもよい。各ＭＣＳインジケーションは、１つのＣＣＵにマッピングされたデータにより用いられるＭＣＳを示すのに、又は１つのＣＢグループのデータにより用いられるＭＣＳを示すのに用いられる。
【０２４２】
変調方式及び符号化方式は、（１）ではまとめてＭＣＳと呼ばれ、１つのＭＣＳインジケーションが１つの変調方式及び１つの符号化方式を示すのに用いられることに留意されたい。具体的に実装する際に、変調方式及び符号化方式は代替的に、別々に示されてもよい。例えば、１つ若しくはＮ個の変調方式インジケーションが、現在送信されるデータにより用いられる変調方式を示すのに用いられる、及び／又は、１つ若しくはＮ個の符号化方式インジケーションが、現在送信されるデータにより用いられる符号化方式を示すのに用いられる。
【０２４３】
（２）送信冗長情報インジケーション。これは、現在送信されるデータにより用いられる送信冗長情報を示すのに用いられる。送信冗長情報インジケーションは、送信側が符号化を行うときに用いられる符号化アルゴリズムに関連している。符号化アルゴリズムは、限定されるものではないが、ターボ符号化アルゴリズム、及び低密度パリティ検査（ｌｏｗ−ｄｅｎｓｉｔｙ  ｐａｒｉｔｙ−ｃｈｅｃｋ、ＬＤＰＣ）符号化アルゴリズムなどを含んでよい。例えば、符号化アルゴリズムがターボ符号化アルゴリズムである場合、送信冗長情報インジケーションは、具体的には冗長バージョン（ｒｅｄｕｎｄａｎｃｙ  ｖｅｒｓｉｏｎ、ＲＶ）であってよい。符号化アルゴリズムがＬＤＰＣ符号化アルゴリズムである場合、送信冗長情報インジケーションは、具体的には、ＬＤＰＣ符号化再送信インクリメンタルリダンダンシー（ｉｎｃｒｅｍｅｎｔａｌ  ｒｅｄｕｎｄａｎｃｙ、ＩＲ）の組み合わせを示す関連情報であってよい。送信冗長情報インジケーションがＲＶである一例が、以下で説明のために用いられる。
【０２４４】
具体的に実装する際に、１つのＲＶが、第１の時間−周波数リソースで搬送するデータにより用いられるＲＶを示すのに用いられてよい。任意選択的に、通信の柔軟性及び堅牢性を高めるために、複数のＲＶが代替的に、現在送信されるデータにより用いられるＲＶを示すのに用いられてもよい。各ＲＶは、１つのＣＣＵにマッピングされたデータにより用いられるＲＶを示すのに、又は１つのＣＢグループのデータにより用いられるＲＶを示すのに用いられる。
【０２４５】
（３）新規データインジケータ（ｎｅｗ  ｄａｔａ  ｉｎｄｉｃａｔｏｒ、ＮＤＩ）。これは、第１の時間−周波数リソースにマッピングされたデータが新規データか又は再送信データかを示すのに用いられる。１つ又はＮ個のＮＤＩが、本発明のこの実施形態で設定されてよい。Ｎ個のＮＤＩはＮビットであり、Ｎは第１の時間−周波数リソースに含まれるＣＣＵの個数であってよく、又はＣＢグループの個数の最大値であっても、若しくはＣＢグループの個数の実際の値ｍであってもよい。Ｎが第１の時間−周波数リソースに含まれるＣＣＵの個数である場合、各ビットは、対応するＣＣＵにマッピングされたデータが新規データであるか、又は再送信データであるかを示す。ＮがＣＢグループの個数の最大値又はＣＢグループの個数の実際の値ｍである場合、各ビットは、対応するＣＢグループのデータが新規データであるか、又は再送信データであるかを示す。
【０２４６】
再送信データのみが現在の送信プロセスで送信される場合、新規データを表した、ＮＤＩ内にある情報は無意味であり、この情報は、例えば、対応するＣＢグループが現在スケジューリングされているリソースで再送信されないことを示すのに用いられてよいことに留意されたい。この意味を示すのに用いられる情報は、この意味を示す情報の機能がＮＤＩの機能と同じであるならば、ＮＤＩに限定されないことが理解されるであろう。新規データ及び再送信データが現在の送信プロセスで送信される場合、新規データ及び再送信データを表した、ＮＤＩ内にある情報は意味をなす。
【０２４７】
任意選択的に、ＤＣＩはさらに、第１の時間−周波数リソースで送信されるデータが属する特定のＴＢ及び／又は特定のＣＢグループを示すのに用いられる情報を含んでよい。このように、通信の堅牢性を高めることができる。
【０２４８】
さらに、１つのＴＢのデータが現在の送信プロセスで送信される一例が、説明のために上記に用いられていることに留意されたい。実際に実装する際に、複数のＴＢのデータが代替的に、１つの送信プロセスで送信されてもよい。複数のＴＢのデータは、同じ時間−周波数リソース上に多重化される。本発明のこの実施形態では、複数のＴＢ（例えば、２つのＴＢ）又は複数のＣＢグループ（又は２つのＣＢグループ）が、周波数分割多重化（ｆｒｅｑｕｅｎｃｙ  ｄｉｖｉｓｉｏｎ  ｍｕｌｔｉｐｌｅｘｉｎｇ、ＦＤＭ）方式又は時分割多重化（ｔｉｍｅ  ｄｉｖｉｓｉｏｎ  ｍｕｌｔｉｐｌｅｘｉｎｇ、ＤＭＴ）方式で多重化されてよく、すなわち、周波数領域の異なるＣＣＵにマッピングされても、又は時間領域の異なるＣＣＵにマッピングされてもよい。したがって、任意選択的に、リソースマッピング方式インジケーションがＤＣＩに追加されてよく、これは、２つの符号語の多重化及びマッピング方式が、空間多重化であるか、周波数分割多重化であるか、又は時分割多重化であるかなどを示すのに用いられる。任意選択的に、その後のＡＣＫ／ＮＡＣＫフィードバックがＬＴＥに適合しているか、又はＬＴＥ設計を再利用する（例えば、２つのＴＢ又は２つのＣＢグループが、別々にフィードバックされ、別々にスケジューリングされ、１つのＮＤＩ、ＲＶ、又はＭＣＳに個別に対応するなど）。
【０２４９】
任意選択的に、本発明のこの実施形態において提供される技術的解決手段を多入力多出力（ｍｕｌｔｉｐｌｅ−ｉｎｐｕｔ  ｍｕｌｔｉｐｌｅ−ｏｕｔｐｕｔ、ＭＩＭＯ）システムに適用するとき、１つの送信プロセスで送信される複数のＴＢに対して空間多重化を行う場合、送信側は、複数のＴＢのそれぞれに対して個別のオペレーションを行ってよい。言い換えれば、本出願において提供される技術的解決手段に従って、複数のＴＢのそれぞれに対してデータ送信が行われる。あるいは、送信側は、複数のＴＢに対して共通オペレーションを行ってもよく、例えば、複数のＴＢのうちの最大データサイズ又は最小データサイズを有するＴＢに基づいて、均等分割方式を決定してもよい。例えば、ＣＢグループの個数の実際の値ｍを決定する処理に用いられるＴＢＳが、複数のＴＢのうちの最大データサイズ又は最小データサイズを有するＴＢに基づいて決定されてよい。
【０２５０】
図１０は、本発明の一実施形態による別のデータ送信の概略フローチャートである。任意選択の実施例の関連内容の説明については、前述の事項を参照されたい。本方法は、以下の段階、すなわちＳ２０１〜Ｓ２０４を含んでよい。
【０２５１】
Ｓ２０１：受信側が制御情報を受信する。制御情報はＴＢに関する情報を含む。
【０２５２】
制御情報はＤＣＩであってよい。ＤＣＩの設計方式については、前述の事項を参照されたい。ＴＢに関する情報は、ＴＢのデータサイズを含む。任意選択的に、ＴＢに関する情報はさらに、以下の情報のうちの少なくとも１つを含んでよい。すなわち、ＴＢを分割することにより取得されるＣＢグループの実際の値ｍ、ＴＢがマッピングされるＣＣＵの個数、ＴＢをｍ個のＣＢグループに分割するための分割ルール、ＣＢグループを複数のＣＢに分割するための分割ルール、少なくとも１つのＣＢグループの識別子、少なくとも１つのＣＢグループがマッピングされるＣＣＵの識別子、又はＣＣＵの構成方式などである。
【０２５３】
Ｓ２０２：受信側は、第１の時間−周波数リソースにマッピングされたＴＢを受信する。第１の時間−周波数リソースはｎ個のＣＣＵを含み、これらのＣＣＵは第１の時間−周波数リソースの一部の時間−周波数リソースであり、どの時間−周波数リソースも異なるＣＣＵの間で重複せず、ＴＢはｍ個のＣＢグループを含み、ｍ個のＣＢグループのそれぞれは少なくとも１つのＣＢを含み、異なるＣＢグループのデータが異なるＣＣＵにマッピングされ、異なるＣＢグループのデータは周波数領域で重複して時間領域で重複せず、又は異なるＣＢグループのデータは時間領域で重複して周波数領域で重複せず、ｍは２以上の整数であり、ｎはｍ以上の整数である。
【０２５４】
任意選択的に、ＴＢに関する情報は、ＴＢのデータサイズを含む。Ｓ２０１の後に、本方法はさらに、ＴＢのデータサイズ、ＣＢのデータサイズの最大値、ＣＢグループの個数の最大値、及びＣＣＵの個数ｎに基づいて、受信側がＣＢグループの個数の実際の値ｍを決定する段階を含んでよい。
【０２５５】
Ｓ２０３：受信側は、ｍ個のＣＢグループのそれぞれとｎ個のＣＣＵのそれぞれとの間のマッピング関係を決定する。
【０２５６】
Ｓ２０３は具体的に、ＣＢグループの個数の実際の値ｍ及びＣＣＵの個数ｎに基づいて、ｍ個のＣＢグループのそれぞれとｎ個のＣＣＵのそれぞれとの間のマッピング関係を受信側が決定する段階を含んでよい。実施例の関連する説明については、前述の事項を参照されたい。
【０２５７】
Ｓ２０４：受信側は、マッピング関係に基づいて、第１の時間−周波数リソースからｍ個のＣＢグループを取得し、ｍ個のＣＢグループの復調復号データを連結することによって１つのＴＢのデータを生成する。
【０２５８】
任意選択的に、Ｓ２０３の後且つＳ２０４の前に、本方法はさらに、マッピング関係と、データの送信に用いることができ且つｎ個のＣＣＵ内にあるリソースのサイズとに基づいて、ｍ個のＣＢグループのそれぞれのデータサイズを受信側が決定する段階を含んでよい。任意選択の実施例の関連する説明については、前述の事項を参照されたい。詳細は、ここで再度説明しない。
【０２５９】
任意選択的に、Ｓ２０４の後に、本方法はさらに、受信側が各ＣＢグループのデータをＣ個のＣＢに分割する段階を含んでよい。具体的な実施例については、前述の事項を参照されたい。詳細は、ここで再度説明しない。
【０２６０】
この実施形態において提供される技術的解決手段の有益な効果については、前述の事項を参照されたい。詳細は、ここで再度説明しない。
【０２６１】
Ｓ２０４における「受信側は、マッピング関係に基づいて、ｍ個のＣＢグループを第１の時間−周波数リソースから取得する」は、逆リソースマッピングプロセスとみなされてよい。受信側がｍ個のＣＢグループの復調復号データを連結することによって１つのＴＢのデータを生成することは、ＤＣＩに含まれるスクランブル解除、復調、及びレートマッチングに基づいて、受信側が逆オペレーション及び復号を行い、次に、復号データの連結によって１つのＴＢのデータを生成することを含んでよい。
【０２６２】
任意選択的に、本方法はさらに、ｍ個のＣＢグループのデータを復号した後に、受信側がＣＲＣなどのオペレーションを行う段階を含んでよい。任意選択的に、本方法はさらに、以下の段階、すなわちＳ１及びＳ２を含んでよい。
【０２６３】
Ｓ１：受信側は、第１の時間−周波数リソースにマッピングされたＣＢグループの個数に基づいて、複数ビットのＡＣＫ／ＮＡＣＫを送信側にフィードバックする。ビットの個数は、システムに設定された固定値であってもよい。この固定値は、ＣＢグループの個数の最大値より大きいか若しくはこれに等しい値であってよく、又はＴＢＳ若しくはＭＣＳなどの情報に基づいて、ＣＢグループの個数の実際の値ｍに応じて動的に調整されてもよい。各ビットは、対応するＣＢグループのデータが正しく検査されたかどうかを示すのに用いられる。
【０２６４】
例えば、各ＣＢにＣＲＣを付加し、各ＣＢグループにＣＲＣを付加する場合、１つのＣＢグループ内の全てのＣＢのＣＲＣが正しく且つＣＢグループのＣＲＣが正しいとき、受信側は当該ＣＢグループに対応するビットでＡＣＫをフィードバックする。そうでなければ、受信側はＮＡＣＫをフィードバックする。各ＣＢにＣＲＣを付加し且つＣＢグループにＣＲＣを付加しない場合、１つのＣＢグループ内の全てのＣＢのＣＲＣが正しいとき、受信側は当該ＣＢグループに対応するビットでＡＣＫをフィードバックする。そうでなければ、受信側はＮＡＣＫをフィードバックする。
【０２６５】
Ｓ２：送信側は、受信側が送出したＡＣＫ／ＮＡＣＫフィードバックを受信する。
【０２６６】
受信側がＣＢグループに対して行ったＣＲＣのみが、以下で説明されることに留意されたい。具体的に実装する際に、本方法はさらに、各ＣＢに対するＣＲＣ及び／又はＴＢに対するＣＲＣを受信側が行う段階を含んでよい。その具体的な実装プロセスについては、先行技術を参照されたい。詳細は、ここで再度説明しない。
【０２６７】
具体的に実装する際に、送信側が受信するＡＣＫ／ＮＡＣＫフィードバックがＡＣＫのみを含む場合、次のＴＢのデータが、上記に提供されたデータ送信方法に従って受信側に継続して送信される。送信側が受信するＡＣＫ／ＮＡＣＫフィードバックがＮＡＣＫを含む場合、ＮＡＣＫに対応するＣＢグループのデータが、以下に提供される再送信処理プロセスに従って受信側に再送信されてよい。
【０２６８】
本発明のこの実施形態において提供される、送信側がデータを再送信するプロセスは、以下に説明され、具体的に以下の２つのケースを含んでよい。
【０２６９】
第１のケースでは、再送信データのみが１つの送信プロセスで送信される。
【０２７０】
図１１は、送信プロセスの概略図である。図１１の（ａ）に示す時間−周波数リソースが、第１の送信プロセスにおいて割り当てられた時間−周波数リソースを示しており、当該時間−周波数リソースは時間領域内の１つのスロットであり、当該スロットは７つのシンボルを含む。時間−周波数リソースは、ＣＣＵ１〜ＣＣＵ４に分割される。第１の送信プロセスで送信されるデータが新規データのＴＢであり、当該ＴＢはＣＢグループ１〜ＣＢグループ４に分割される。各ＣＢグループは１つのＣＣＵにＣＣＵグループの順序で連続的にマッピングされる。第１の送信プロセスにおいて受信側が送信側にフィードバックするＡＣＫ／ＮＡＣＫが、ＣＢ２のデータ及びＣＢ４のデータを再送信する必要があることを示すと仮定すると、ＣＢ２のデータ及びＣＢ４のデータは、第２の送信プロセスにおいて、連続的にそれぞれ２つのＣＣＵにＣＣＵグループの順序でマッピングされてよい。言い換えれば、図１１の（ｂ）に示すように、ＣＢ２のデータはＣＣＵ１及びＣＣＵ２にマッピングされ、ＣＢ４のデータはＣＣＵ３及びＣＣＵ４にマッピングされる。
【０２７１】
再送信プロセスにおけるＣＣＵ構成ルール、及び再送信されるＣＢグループとＣＣＵとの間のマッピング関係などが全て、送信側及び受信側によって事前に合意されてよく、したがって、送信側がこれらを受信側に示す必要はないことに留意されたい。通信の柔軟性及び堅牢性を高めるために、再送信される各ＣＢグループとＣＣＵとの間のマッピング関係は代替的に、再送信プロセスにおいてＤＣＩ内に示されてよい。
【０２７２】
任意選択的に、再送信リソースも必要に応じて割り当てられてよい。前述の例では、受信側が送信側にフィードバックするＡＣＫ／ＮＡＣＫが、ＣＢ２のデータ及びＣＢ４のデータを再送信する必要があることを示す場合、送信側は、ＣＣＵ２及びＣＣＵ４のみを第２の送信プロセスに割り当てる。ＣＣＵ２はＣＢ２のデータを再送信するように構成され、ＣＣＵ４はＣＢ４のデータを再送信するように構成される。その実施例では、再送信データが占有するリソースが、初回送信時に占有されるリソースと同じであってよい。例えば、再送信データが占有するＣＣＵの個数及び／又は場所が、初回送信時に占有されるＣＣＵの個数及び／又は場所と同じである。このように、制御シグナリングインジケーションのオーバーヘッドが減少し得る。
【０２７３】
さらに、この解決手段がレートレス送信モードに適合することを可能にするために、再送信されるＣＢグループの個数のインジケーションがＤＣＩに追加されてよいことに留意されたい。具体的に実装する際に、１つの再送信プロセスにおけるＮＤＩが、初回に送信された２つのＣＢグループのデータを再送信する必要があることを示しているが、再送信されるＣＢグループの個数についてのＤＣＩ内にあるインジケーションが１つであると仮定すると、ＮＤＩ内に示された２つのＣＢグループは暗黙的に１つのＣＢグループに結合される。さらに、再送信時に、ＲＢが適応的に減少してもよい。
【０２７４】
第２のケースでは、再送信データ及び新規データが１つの送信プロセスで送信される。
【０２７５】
任意選択的に、再送信データが現在の送信プロセスにおいてマッピングされる時間−周波数リソースの場所が、再送信データに対応する新規データがマッピングされる時間−周波数リソースの場所と同じである。このように、送信側は、再送信データが占有する時間−周波数リソースの場所を受信側に示す必要はない。当然ながら、具体的に実装する際に、再送信データが現在の送信プロセスにおいてマッピングされる時間−周波数リソースの場所は代替的に、再送信データに対応する新規データがマッピングされる時間−周波数リソースの場所と異なってもよい。この場合、送信側は、再送信データが占有する時間−周波数リソースの場所を受信側に示す必要がある。
【０２７６】
図１２は、送信プロセスの概略図である。各送信プロセスにおいて割り当てられる時間−周波数リソースが時間領域内の１つのスロットであり、当該スロットは７つのシンボルを含むものと仮定する。さらに、各送信プロセスにおいて割り当てられる時間−周波数リソースは、ＣＣＵ１〜ＣＣＵ４という４つのＣＣＵに分割される。最初の３つのＣＣＵのそれぞれは２つのシンボルを含み、最後のＣＣＵは１つのシンボルを含む。
【０２７７】
第１の送信プロセスでは、新規データＴＢ１を送信するために、送信側が、ＣＣＵ１〜ＣＣＵ４のサイズに基づいてＴＢ１のサイズを決定し、次に、ＴＢ１のサイズに基づき、また上記に提供された方法に従って、ＴＢ１を４つのＣＢグループに分割してよい。４つのＣＢグループは、ＣＢグループ１．１〜ＣＢグループ１．４と表示される。次に、送信側は、図１２の（ａ）に示すように、各ＣＢグループを１つのＣＣＵにＣＣＵグループの順序で連続的にマッピングする。第１の送信プロセスにおいて受信側が送信側にフィードバックするＡＣＫ／ＮＡＣＫが、ＣＢ１のデータ及びＣＢ３のデータを再送信する必要があることを示す。
【０２７８】
第２の送信プロセスでは、再送信データ及び新規データＴＢ２を送信するために、送信側は、利用可能なＣＣＵ（すなわち、ＣＣＵ２及びＣＣＵ４）に基づいて新規データＴＢ２のサイズを決定し、次に、ＴＢ２のサイズに基づき、また上記に提供された方法に従って、ＴＢ２を１つのＣＢグループに分割してよい。１つのＣＢグループはＣＢグループ２．１と表示される。次に送信側は、図１２の（ｂ）に示すように、当該ＣＢグループをＣＣＵ１及びＣＣＵ３にマッピングする。第１の送信プロセスにおいて受信側が送信側にフィードバックするＡＣＫ／ＮＡＣＫは、ＣＢ１のデータ及びＣＢ３のデータを再送信する必要があることを示す。
【０２７９】
送信側がデータを再送信するプロセスの以下のポイントを説明する必要がある。
【０２８０】
第１に、前述の実施形態では、複数のＣＢグループのデータを再送信する必要がある場合、送信側は１つの送信プロセスで複数のＣＢグループのデータを再送信する。実際に実装する際に、複数のＣＢグループのデータは代替的に、複数の送信プロセスで再送信されてもよい。この場合、任意選択的に、現在再送信されるＣＢグループに関する情報が、各送信プロセスのＤＣＩ内に示されてよい。現在再送信されるＣＢに関する情報は、以下の情報のうちの少なくとも１つを含んでよい。すなわち、ＣＢグループの識別子、及びＣＢグループが属するＴＢの識別子である。
【０２８１】
第２に、前述の実施形態では、ＣＢグループを再送信する必要があると送信側が判定した場合、ＣＢグループ全体のデータが再送信される。実際に実装する際に、データ送信プロセスにおいて、１つのＣＢグループの一部のデータが干渉を受けると仮定すると、送信側は、再送信のために、干渉の特徴（図２に示す囲み破線１で示した干渉、又は図２に示す囲み破線２で示した干渉など）に基づいて、干渉を受ける１つ若しくは複数のシンボル／ミニスロット／スロットにマッピングされるデータ、又は干渉を受ける１つ若しくは複数のＲＢにマッピングされるデータ、又は干渉を受ける１つ若しくは複数のＣＣＵにマッピングされるデータなどを、再送信する必要があるＣＢグループから選択してよい。関連する再送信が実施例で検討される。ＣＢグループのデータの再送信と比較すると、再送信プロセスのスケジューリング粒度はより小さい。したがって、送信効率をさらに向上させることができる。任意選択的に、通信の堅牢性を保証するために、再送信データのリソース割り当てインジケーション、及び再送信データに関する情報（例えば、再送信データに対応するデータが初回送信プロセスにおいて位置する特定のシンボル／ミニスロット／スロット／ＲＢ／ＣＣＵ）などがＤＣＩに追加されてよい。
【０２８２】
図１２ａは、本発明の一実施形態によるデータ送信方法の概略相互作用図である。図１２ａに示す方法は、以下の段階、すなわちＳ３０１〜Ｓ３０５を含む。
【０２８３】
Ｓ３０１：送信側がＴＢをｍ個のＣＢグループに分割する。各ＣＢグループは少なくとも１つのＣＢを含む。
【０２８４】
Ｓ３０２：送信側は、ｍ個のＣＢグループの符号化変調データを第１の時間−周波数リソースにマッピングする。
【０２８５】
Ｓ３０３：送信側は、制御情報、及び第１の時間−周波数リソースにマッピングされたデータを送出する。制御情報は、ＴＢに関する情報を含む。
【０２８６】
Ｓ３０４：受信側が、制御情報、及び第１の時間−周波数リソースにマッピングされたデータを受信する。制御情報は、受信側がｍの値を決定するのに用いられてよい。
【０２８７】
Ｓ３０５：受信側は、第１の時間−周波数リソースからｍ個のＣＢグループを取得し、ｍ個のＣＢグループの復調復号データを連結することによって１つのＴＢのデータを生成する。
【０２８８】
送信側及び受信側がｍを決定する方法、ＣＢグループを複数のＣＢに分割する方法、及び複数のＴＢを送信する方法などについては、前述の事項を参照されたい。詳細は、ここで再度説明しない。
【０２８９】
この技術的解決手段において、１つのＴＢが複数のＣＢグループに分割され、各ＣＢグループは少なくとも１つのＣＢグループを含む。このように、１つのＣＢグループのデータ又は１つのＣＢグループ内の１つ又は複数のＣＢのデータの送信に失敗したと受信側が判定した場合、送信側は当該ＣＢグループのデータのみを再送信すればよい。したがって、リソースを節約することができ、送信効率が向上する。
【０２９０】
本発明の実施形態において提供される解決手段は主に、ネットワークエレメント間のやり取りの観点から上述されている。前述の機能を実現するために、送信側及び受信側などのネットワークエレメントは、様々な機能を実行する対応するハードウェア構成及び／又は対応するソフトウェアモジュールを含むことが理解されるであろう。本発明では、ハードウェアの形態又はハードウェアとコンピュータソフトウェアとを組み合わせた形態で、モジュール及びアルゴリズム段階が実現され得ることを、当業者であれば、本明細書で開示された実施形態において説明された例を参照して容易に認識するはずである。ある機能がハードウェアで実行されるか、又はハードウェアを駆動するコンピュータソフトウェアで実行されるかは、技術的解決手段の特定の用途及び設計制約条件によって決まる。当業者であれば、異なる方法を用いて、説明した機能を特定の用途ごとに実現し得るが、そうした実施例が本発明の範囲を越えるものとみなされるべきではない。
【０２９１】
送信側及び受信側の機能モジュールが、本発明の実施形態の方法の例に従って分割されることがある。例えば、様々な機能に対応する機能モジュールが分割されてもよく、又は２つ若しくはそれより多くの機能が１つの処理モジュールに統合されてもよい。前述の統合モジュールは、ハードウェアの形態で実現されてもよく、又はソフトウェア機能モジュールの形態で実現されてもよい。本発明の実施形態におけるモジュール分割は、一例であって、単なる論理的な機能分割であり、実際に実装する際には、他の分割であってもよいことに留意されたい。
【０２９２】
機能に従って分割された機能モジュールが構成される場合、図１３は、一実施形態によるデータ送信装置１３０の実行可能な概略構造図である。データ送信装置１３０は前述の送信側であってよい。データ送信装置１３０は、分割モジュール１３０１と、マッピングモジュール１３０２と、送出モジュール１３０３とを含んでよい。任意選択的に、データ送信装置１３０はさらに決定モジュール１３０４を含んでよい。これらの機能モジュールのそれぞれの機能は、上記に提供したそれぞれの方法の実施形態の段階から推定することができる。あるいは、これらの機能モジュールのそれぞれの機能については、発明の概要の部分に提供される内容を参照されたい。詳細は、ここで再度説明しない。
【０２９３】
統合モジュールが構成される場合、分割モジュール１３０１、マッピングモジュール１３０２、及び決定モジュール１３０４は、データ送信装置内の１つの処理モジュールに統合されてよい。また、データ送信装置はさらに、受信モジュール及び記憶モジュールを含んでよい。送出モジュール１３０３及び受信モジュールは、データ送信装置内の１つの通信モジュールに統合されてよい。
【０２９４】
図１４は、本発明の一実施形態によるデータ送信装置１４０の概略構造図である。データ送信装置１４０は、前述の送信側であってよい。データ送信装置１４０は、処理モジュール１４０１及び通信モジュール１４０２を含んでよい。処理モジュール１４０１は、データ送信装置１４０の動作を制御し且つ管理するように構成される。例えば、処理モジュール１４０１は、図７、図８、図８ａ、及び図９のＳ１０１及びＳ１０２、図９のＳ１００及びＳ１００ａ、並びに図１２ａのＳ３０１及びＳ３０２などを実施する際にデータ送信装置１４０をサポートするように構成される、及び／又は、本明細書で説明される技術の別のプロセスをサポートするように構成される。通信モジュール１４０２は、別のネットワークエンティティと通信する際に、例えば受信側と通信する際に、データ送信装置１４０をサポートするように構成される。例えば、通信モジュール１４０２は、図７、図８、図８ａ、及び図９のＳ１０３、並びに図１２ａのＳ３０３などを実施する際にデータ送信装置１４０をサポートするように構成される、及び／又は、本明細書で説明される技術の別のプロセスをサポートするように構成される。任意選択的に、データ送信装置１４０はさらに、上記に提供された任意のデータ送信方法をデータ送信装置１４０が行うのに用いられる対応するプログラムコード及び対応するデータを格納するように構成された記憶モジュール１４０３を含んでよい。
【０２９５】
処理モジュール１４０１は、プロセッサ又はコントローラであってよい。通信モジュール１４０２は、送受信機、送受信機回路、又は通信インタフェースなどであってよい。記憶モジュール１４０３はメモリであってよい。
【０２９６】
処理モジュール１４０１がプロセッサである場合、通信モジュール１４０２は送受信機であり、記憶モジュール１４０３はメモリであり、本発明のこの実施形態におけるデータ送信装置１４０は図１５に示され得る。
【０２９７】
図１５は、本発明の一実施形態によるデータ送信装置１５０の概略構造図である。データ送信装置１５０は、プロセッサ１５０１と、メモリ１５０２と、システムバス１５０３と、通信インタフェース１５０４とを含む。プロセッサ１５０１、メモリ１５０２、及び通信インタフェース１５０４は、システムバス１５０３を用いて接続される。メモリ１５０２は、コンピュータ実行可能命令を格納するように構成される。データ送信装置１５０が起動すると、プロセッサ１５０１はメモリ１５０２に格納されたコンピュータ実行可能命令を実行するので、データ送信装置１５０は本発明の実施形態において提供された任意のデータ送信方法を実施する。具体的なデータ送信方法については、前述の説明及び添付図面の関連する説明を参照されたい。詳細は、ここで再度説明しない。
【０２９８】
本発明のこの実施形態はさらに、記憶媒体を提供する。記憶媒体は、メモリ１５０２を含んでよい。
【０２９９】
プロセッサ１５０１は１つのプロセッサであってもよく、又は複数の処理要素の総称であってもよい。例えば、プロセッサ１５０１は、中央演算処理装置（ｃｅｎｔｒａｌ  ｐｒｏｃｅｓｓｉｎｇ  ｕｎｉｔ、ＣＰＵ）、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）若しくは別のプログラム可能型論理デバイス、トランジスタロジックデバイス、ハードウェアコンポーネント、又はこれらの任意の組み合わせであってよい。プロセッサ１５０１は、本発明において開示される内容に関連して説明された論理的なブロック、モジュール、及び回路の様々な例を実現又は実行し得る。汎用プロセッサは、マイクロプロセッサであってよい。あるいは、プロセッサは、任意の従来のプロセッサなどであってもよい。あるいは、プロセッサ１５０１は、専用プロセッサであってもよい。専用プロセッサは、ベースバンド処理チップ及び無線周波数処理チップなどのうちの少なくとも１つを含んでよい。専用プロセッサはさらに、データ送信装置１４０の別の専用処理機能を有するチップを含んでもよい。
【０３００】
メモリ１５０２は、一時的メモリ（ｔｒａｎｓｉｔｏｒｙ  ｍｅｍｏｒｙ）を含んでよく、例えば、ランダムアクセスメモリ（ｒａｎｄｏｍ  ａｃｃｅｓｓ  ｍｅｍｏｒｙ，  ＲＡＭ）である。あるいは、メモリ１５０２は、非一時的メモリ（ｎｏｎ−ｔｒａｎｓｉｔｏｒｙ  ｍｅｍｏｒｙ）を含んでよく、例えば、リードオンリメモリ（ｒｅａｄ−ｏｎｌｙ  ｍｅｍｏｒｙ、ＲＯＭ）、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、又はソリッドステートドライブ（ｓｏｌｉｄ−ｓｔａｔｅ  ｄｒｉｖｅ、ＳＳＤ）である。あるいは、メモリ１５０２は、前述のタイプのメモリの組み合わせを含んでもよい。
【０３０１】
システムバス１５０３は、データバス、電力バス、制御バス、及び信号ステータスバスなどを含んでよい。説明を分かり易くするために、この実施形態の図１５では、様々なバスが全てシステムバス１５０３として表示されている。
【０３０２】
通信インタフェース１５０４は具体的に、データ送信装置１４０の送受信機であってよい。当該送受信機は無線送受信機であってよい。例えば、無線送受信機は、データ送信装置１４０のアンテナであってよい。プロセッサ１５０１は、通信インタフェース１５０４を通じて、基地局などの別のデバイスからデータを受信する、又は基地局などの別のデバイスにデータを送出する。
【０３０３】
具体的に実装する際に、上記に提供された任意のデータ送信方法の手順における段階が、メモリ１５０２に格納され且つソフトウェアの形態にあるコンピュータ実行可能命令をハードウェアの形態にあるプロセッサ１５０１が実行することにより実施されてよい。繰り返しを避けるために、詳細はここで再度説明しない。
【０３０４】
機能に従って分割された機能モジュールが構成される場合、図１６は、一実施形態によるデータ送信装置１６０の実行可能な概略構造図である。データ送信装置１６は前述の受信側であってよい。データ送信装置１６０は、受信モジュール１６０１と、決定モジュール１６０２と、取得モジュール１６０３とを含んでよい。任意選択的に、データ送信装置１６０はさらに分割モジュール１６０４を含んでよい。これらの機能モジュールのそれぞれの機能は、上記に提供したそれぞれの方法の実施形態の段階から推定することができる。あるいは、これらの機能モジュールのそれぞれの機能については、発明の概要の部分に提供される内容を参照されたい。詳細は、ここで再度説明しない。
【０３０５】
統合モジュールが構成される場合、決定モジュール１６０２、取得モジュール１６０３、及び分割モジュール１６０４は、データ送信装置内の１つの処理モジュールに統合されてよい。また、データ送信装置はさらに、送出モジュール及び記憶モジュールを含んでよい。受信モジュール１６０１及び送出モジュールは、データ送信装置内の１つの通信モジュールに統合されてよい。
【０３０６】
図１７は、本発明の一実施形態によるデータ送信装置１７０の概略構造図である。データ送信装置１７０は、処理モジュール１７０１及び通信モジュール１７０２を含んでよい。処理モジュール１７０１は、データ送信装置１７０の動作を制御し且つ管理するように構成される。例えば、処理モジュール１７０１は、図１０のＳ２０３及びＳ２０４並びに図１２ａのＳ３０５を実施する際にデータ送信装置１７０をサポートするように構成される、及び／又は、本明細書で説明される技術の別のプロセスをサポートするように構成される。通信モジュール１７０２は、別のネットワークエンティティと通信する際に、例えば送信側と通信する際に、データ送信装置１７０をサポートするように構成される。例えば、通信モジュール１７０２は、図１２ａのＳ３０４を実施する際にデータ送信装置１７０をサポートするように構成される、及び／又は、本明細書で説明される技術の別のプロセスをサポートするように構成される。任意選択的に、データ送信装置１７０はさらに、上記に提供された任意のデータ送信方法をデータ送信装置１７０が行うのに用いられる対応するプログラムコード及び対応するデータを格納するように構成された記憶モジュール１７０３を含んでよい。
【０３０７】
処理モジュール１７０１は、プロセッサ又はコントローラであってよい。通信モジュール１７０２は、送受信機、送受信機回路、又は通信インタフェースなどであってよい。記憶モジュール１７０３はメモリであってよい。
【０３０８】
処理モジュール１７０１がプロセッサである場合、通信モジュール１７０２は送受信機であり、記憶モジュール１７０３はメモリであり、本発明のこの実施形態におけるデータ送信装置１７０は図１８に示され得る。
【０３０９】
図１８は、本発明の一実施形態によるデータ送信装置１８０の概略構造図である。データ送信装置１８０は、前述の受信側であってよい。データ送信装置１８０は、プロセッサ１８０１と、メモリ１８０２と、システムバス１８０３と、通信インタフェース１８０４とを含んでよい。プロセッサ１８０１、メモリ１８０２、及び通信インタフェース１８０４は、システムバス１８０３を用いて接続される。メモリ１８０２は、コンピュータ実行可能命令を格納するように構成される。データ送信装置１８０が起動すると、プロセッサ１８０１はメモリ１８０２に格納されたコンピュータ実行可能命令を実行するので、データ送信装置１８０は本発明の実施形態において提供された任意のデータ送信方法を実施する。具体的なデータ送信方法については、前述の説明及び添付図面の関連する説明を参照されたい。詳細は、ここで再度説明しない。
【０３１０】
本発明のこの実施形態はさらに、記憶媒体を提供する。当該記憶媒体はメモリ１８０２を含んでよい。プロセッサ１８０１は１つのプロセッサであってもよく、又は複数の処理要素の総称であってもよい。例えば、プロセッサ１８０１はＣＰＵであってよい。あるいは、プロセッサ１８０１は、別の汎用プロセッサ、ＤＳＰ、ＡＳＩＣ、ＦＰＧＡ若しくは別のプログラム可能型論理デバイス、ディスクリートゲート若しくはトランジスタロジックデバイス、又はディスクリートハードウェアコンポーネントなどであってもよい。汎用プロセッサは、マイクロプロセッサであってよい。あるいは、プロセッサは、任意の従来のプロセッサなどであってもよい。あるいは、プロセッサ１８０１は、専用プロセッサであってもよい。専用プロセッサは、ベースバンド処理チップ及び無線周波数処理チップなどのうちの少なくとも１つを含んでよい。専用プロセッサはさらに、データ送信装置１８０の別の専用処理機能を有するチップを含んでもよい。
【０３１１】
メモリ１８０２は、一時的メモリを含んでよく、例えばＲＡＭである。あるいは、メモリ１８０２は、非一時的メモリ、例えば、ＲＯＭ、フラッシュメモリ、ＨＤＤ、又はＳＳＤを含んでよい。あるいは、メモリ１８０２は、前述のタイプのメモリの組み合わせを含んでもよい。
【０３１２】
システムバス１８０３は、データバス、電力バス、制御バス、及び信号ステータスバスなどを含んでよい。説明を分かり易くするために、この実施形態の図１８では、様々なバスが全てシステムバス１８０３として表示されている。
【０３１３】
通信インタフェース１８０４は具体的に、データ送信装置１８０の送受信機であってよい。当該送受信機は無線送受信機であってよい。例えば、無線送受信機は、データ送信装置１８０のアンテナであってよい。プロセッサ１８０１は、通信インタフェース１８０４を通じて、送信側などの別のデバイスからデータを受信する、又は送信側などの別のデバイスにデータを送出する。
【０３１４】
具体的に実装する際に、上記に提供された任意のデータ送信方法の手順における段階が、ハードウェアの形態にあるプロセッサ１８０１によって実施されてよく、プロセッサ１８０１は、メモリ１８０２に格納され且つソフトウェアの形態にあるコンピュータ実行可能命令を実行する。繰り返しを避けるために、詳細はここで再度説明しない。
【０３１５】
当業者であれば、前述の例のうちの１つ又は複数において、本発明で説明される機能が、ハードウェア、ソフトウェア、ファームウェア、又はこれらの任意の組み合わせを用いて実現され得ることを認識するはずである。これらの機能がソフトウェアで実現される場合、これらの機能は、コンピュータ可読媒体に格納されても、又はコンピュータ可読媒体内の１つ又は複数の命令若しくはコードとして送信されてもよい。コンピュータ可読媒体は、コンピュータ記憶媒体及び通信媒体を含み、通信媒体は、コンピュータプログラムをある場所から別の場所に送信することを可能にする任意の媒体を含む。記憶媒体は、汎用コンピュータ又は専用コンピュータにとってアクセス可能な任意の利用可能な媒体であってよい。
【０３１６】
以上の説明は、単に本発明の具体的な実施例にすぎず、本発明の保護範囲を限定することを意図してはいない。本発明において開示された技術的範囲内で、当業者が容易に考え出せる任意の変形又は置き換えは、本発明の保護範囲に含まれることになる。したがって、本発明の保護範囲は、特許請求の範囲に記載の保護範囲によって決まることになる。
【図１】
2019534647.tif 000039
【図２】
2019534647.tif 000040
【図３】
2019534647.tif 000041
【図４】
2019534647.tif 000042
【図５】
2019534647.tif 000043
【図６】
2019534647.tif 000044
【図７】
2019534647.tif 000045
【図８】
2019534647.tif 000046
【図８ａ】
2019534647.tif 000047
【図９】
2019534647.tif 000048
【図１０】
2019534647.tif 000049
【図１１】
2019534647.tif 000050
【図１２】
2019534647.tif 000051
【図１２ａ】
2019534647.tif 000052
【図１３】
2019534647.tif 000053
【図１４】
2019534647.tif 000054
【図１５】
2019534647.tif 000055
【図１６】
2019534647.tif 000056
【図１７】
2019534647.tif 000057
【図１８】
2019534647.tif 000058
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
データ受信方法であって、
制御情報を受信する段階と、
前記制御情報に基づいて、第１の時間−周波数リソース上にあるトランスポートブロック（ＴＢ）のデータを受信する段階と、
前記ＴＢ内のｍ個の符号ブロック（ＣＢ）グループを取得する段階であって、ｍは正の整数であり、ｍ＝ｍｉｎ（ＮＣＢ＿ｒｅ，ＮＧｒｏｕｐ＿ｍａｘ）であり、ＮＣＢ＿ｒｅは前記ＴＢ内のＣＢの個数であり、ＮＧｒｏｕｐ＿ｍａｘは前記ＴＢのＣＢグループの最大個数であり、前記ｍ個のＣＢグループのそれぞれは少なくとも１つのＣＢを含み、ＮＣＢ＿ｒｅはＴＢサイズ（ＴＢＳ）及びＣＢの最大サイズに基づいて決定される、段階と
を備える、方法。
【請求項２】
前記ｍ個のＣＢグループのそれぞれの中にあるＣＢの個数がＣ＋又はＣ−であり、
【数２９】
2019534647.tif 000059
及び
【数３０】
2019534647.tif 000060
である、請求項１に記載の方法。
【請求項３】
前記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋である、請求項２に記載の方法。
【請求項４】
前記制御情報は１つの冗長バージョン（ＲＶ）を含み、前記ＲＶは、前記ＴＢにより用いられる、請求項１から３のいずれか一項に記載の方法。
【請求項５】
前記制御情報はＮＧｒｏｕｐ＿ｍａｘビットの情報を含み、前記ＮＧｒｏｕｐ＿ｍａｘビットの情報は、前記ｍ個のＣＢグループのそれぞれのデータを再送信するかどうかを示す、請求項１から４のいずれか一項に記載の方法。
【請求項６】
前記方法はさらに、ＮＧｒｏｕｐ＿ｍａｘビットの肯定応答／否定応答（ＡＣＫ／ＮＡＣＫ）を送出する段階を備える、請求項１から５のいずれか一項に記載の方法。
【請求項７】
前記ＮＧｒｏｕｐ＿ｍａｘビットのＡＣＫ／ＮＡＣＫのＮＧｒｏｕｐ＿ｍａｘビットのそれぞれは、対応するＣＢグループのデータが正しく検査されたかどうかを示す、請求項６に記載の方法。
【請求項８】
データ送信方法であって、
トランスポートブロック（ＴＢ）のｍ個の符号ブロック（ＣＢ）グループの一部又は全ての符号化変調データを第１の時間−周波数リソースにマッピングする段階であって、ｍは正の整数であり、前記ｍ個のＣＢグループのそれぞれは少なくとも１つのＣＢを含み、ｍ＝ｍｉｎ（ＮＣＢ＿ｒｅ，ＮＧｒｏｕｐ＿ｍａｘ）であり、ＮＣＢ＿ｒｅは前記ＴＢ内のＣＢの個数であり、ＮＧｒｏｕｐ＿ｍａｘはＣＢグループの最大個数であり、ＮＣＢ＿ｒｅは、ＴＢサイズ（ＴＢＳ）及びＣＢの最大サイズに基づいて決定される、段階と、
前記第１の時間−周波数リソース上にある前記符号化変調データを送出する段階と
を備える、方法。
【請求項９】
前記ｍ個のＣＢグループのそれぞれの中にあるＣＢの個数がＣ＋又はＣ−であり、
【数３１】
2019534647.tif 000061
及び
【数３２】
2019534647.tif 000062
である、請求項８に記載の方法。
【請求項１０】
前記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋である、請求項９に記載の方法。
【請求項１１】
制御情報が１つの冗長バージョン（ＲＶ）を含み、前記ＲＶは、前記ＴＢにより用いられる、請求項８から１０のいずれか一項に記載の方法。
【請求項１２】
前記方法はさらに、制御情報を送出する段階を備え、前記制御情報は前記ＴＢに関する情報を含む、請求項８から１１のいずれか一項に記載の方法。
【請求項１３】
前記制御情報はＮＧｒｏｕｐ＿ｍａｘビットの情報を含み、前記ＮＧｒｏｕｐ＿ｍａｘビットの情報は、前記ｍ個のＣＢグループのそれぞれのデータを再送信するかどうかを示すのに用いられる、請求項１２に記載の方法。
【請求項１４】
前記方法はさらに、ＮＧｒｏｕｐ＿ｍａｘビットのＡＣＫ／ＮＡＣＫを受信する段階を備える、請求項８から１３のいずれか一項に記載の方法。
【請求項１５】
前記ＮＧｒｏｕｐ＿ｍａｘビットのＡＣＫ／ＮＡＣＫのＮＧｒｏｕｐ＿ｍａｘビットのそれぞれは、対応するＣＢグループのデータが正しく検査されたかどうかを示すのに用いられる、請求項１４に記載の方法。
【請求項１６】
通信装置であって、
制御情報を受信し、前記制御情報に基づいて、第１の時間−周波数リソース上にあるトランスポートブロック（ＴＢ）のデータを受信するように構成された受信モジュールと、
前記ＴＢ内のｍ個の符号ブロック（ＣＢ）グループを取得するように構成された処理モジュールであって、ｍは正の整数であり、ｍ＝ｍｉｎ（ＮＣＢ＿ｒｅ，ＮＧｒｏｕｐ＿ｍａｘ）であり、ＮＣＢ＿ｒｅは前記ＴＢ内のＣＢの個数であり、ＮＧｒｏｕｐ＿ｍａｘは前記ＴＢのＣＢグループの最大個数であり、前記ｍ個のＣＢグループのそれぞれは少なくとも１つのＣＢを含み、ＮＣＢ＿ｒｅは、ＴＢサイズ（ＴＢＳ）及びＣＢの最大サイズに基づいて決定される、処理モジュールと
を備える、装置。
【請求項１７】
前記ｍ個のＣＢグループのそれぞれの中にあるＣＢの個数がＣ＋又はＣ−であり、
【数３３】
2019534647.tif 000063
及び
【数３４】
2019534647.tif 000064
である、請求項１６に記載の装置。
【請求項１８】
前記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋である、請求項１７に記載の装置。
【請求項１９】
前記制御情報は１つの冗長バージョン（ＲＶ）を含み、前記ＲＶは、前記ＴＢにより用いられる、請求項１６から１８のいずれか一項に記載の装置。
【請求項２０】
前記制御情報はＮＧｒｏｕｐ＿ｍａｘビットの情報を含み、前記ＮＧｒｏｕｐ＿ｍａｘビットの情報は、前記ｍ個のＣＢグループのそれぞれのデータを再送信するかどうかを示すのに用いられる、請求項１６から１９のいずれか一項に記載の装置。
【請求項２１】
前記装置はさらに、ＮＧｒｏｕｐ＿ｍａｘビットの肯定応答／否定応答（ＡＣＫ／ＮＡＣＫ）をフィードバックするように構成された送出モジュールを備える、請求項１６から２０のいずれか一項に記載の装置。
【請求項２２】
前記ＮＧｒｏｕｐ＿ｍａｘビットのＡＣＫ／ＮＡＣＫのＮＧｒｏｕｐ＿ｍａｘビットのそれぞれは、対応するＣＢグループのデータが正しく検査されたかどうかを示すのに用いられる、請求項２１に記載の装置。
【請求項２３】
通信装置であって、
トランスポートブロック（ＴＢ）のｍ個の符号ブロック（ＣＢ）グループの一部又は全ての符号化変調データを第１の時間−周波数リソースにマッピングするように構成された処理モジュールであって、ｍは正の整数であり、前記ｍ個のＣＢグループのそれぞれは少なくとも１つのＣＢを含み、ｍ＝ｍｉｎ（ＮＣＢ＿ｒｅ，ＮＧｒｏｕｐ＿ｍａｘ）であり、ＮＣＢ＿ｒｅは前記ＴＢ内のＣＢの個数であり、ＮＧｒｏｕｐ＿ｍａｘはＣＢグループの最大個数であり、ＮＣＢ＿ｒｅはＴＢサイズ（ＴＢＳ）及びＣＢの最大サイズに基づいて決定される、処理モジュールと、
前記第１の時間−周波数リソース上にあるデータを送出するように構成された送出モジュールと
を備える、装置。
【請求項２４】
前記ｍ個のＣＢグループのそれぞれの中にあるＣＢの個数がＣ＋又はＣ−であり、
【数３５】
2019534647.tif 000065
及び
【数３６】
2019534647.tif 000066
である、請求項２３に記載の装置。
【請求項２５】
前記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋である、請求項２４に記載の装置。
【請求項２６】
制御情報が１つの冗長バージョン（ＲＶ）を含み、前記ＲＶは、前記ＴＢにより用いられるＲＶである、請求項２３から２５のいずれか一項に記載の装置。
【請求項２７】
前記送出モジュールはさらに、制御情報を送出するように構成され、前記制御情報は前記ＴＢに関する情報を含む、請求項２３から２６のいずれか一項に記載の装置。
【請求項２８】
前記制御情報はＮＧｒｏｕｐ＿ｍａｘビットの情報を含み、前記ＮＧｒｏｕｐ＿ｍａｘビットの情報は、前記ｍ個のＣＢグループのそれぞれのデータを再送信するかどうかを示すのに用いられる、請求項２７に記載の装置。
【請求項２９】
前記装置はさらに、ＮＧｒｏｕｐ＿ｍａｘビットのＡＣＫ／ＮＡＣＫを受信するように構成された受信モジュールを備える、請求項２３から２８のいずれか一項に記載の装置。
【請求項３０】
前記ＮＧｒｏｕｐ＿ｍａｘビットのＡＣＫ／ＮＡＣＫのＮＧｒｏｕｐ＿ｍａｘビットのそれぞれは、対応するＣＢグループのデータが正しく検査されたかどうかを示すのに用いられる、請求項２９に記載の装置。
【請求項３１】
実行可能命令を含む記憶媒体と、
プロセッサと
を備えるデータ受信装置であって、
前記実行可能命令は、前記プロセッサにより実行された場合、請求項１から７のいずれか一項に記載の方法を前記データ受信装置に実施させる、データ受信装置。
【請求項３２】
アップリンク制御情報を受信する装置であって、
実行可能命令を含む記憶媒体と、
プロセッサと
を備え、
前記実行可能命令は、前記プロセッサにより実行された場合、請求項８から１５のいずれか一項に記載の方法を前記装置に実施させる、装置。
【請求項３３】
プログラムを記録したコンピュータ可読記憶媒体であって、前記プログラムは請求項１から７のいずれか一項に記載の方法をコンピュータに実行させる、コンピュータ可読記憶媒体。
【請求項３４】
プログラムを記録したコンピュータ可読記憶媒体であって、前記プログラムは請求項８から１５のいずれか一項に記載の方法をコンピュータに実行させる、コンピュータ可読記憶媒体。
【請求項３５】
請求項１から７のいずれか一項に記載の方法をコンピュータに実行させるプログラム。
【請求項３６】
請求項８から１５のいずれか一項に記載の方法をコンピュータに実行させるプログラム。
【手続補正２】
【補正対象書類名】明細書
【補正対象項目名】０００７
【補正方法】変更
【補正の内容】
【０００７】
第１の態様によれば、ＴＢ分割方法が提供され、本方法は、ＴＢをｍ個の符号ブロックＣＢグループに分割する段階を含む。ここで、ｍは２以上の整数であり、ＣＢグループは少なくとも１つのＣＢを含む。この技術的解決手段において、１つのＴＢが複数のＣＢグループに分割され、各ＣＢグループは少なくとも１つのＣＢを含む。このように、この技術的解決手段がデータ送信プロセスに適用されると、１つのＣＢグループのデータ又は１つのＣＢグループ内の１つ又は複数のＣＢのデータの送信に失敗したと受信側が判定した場合、送信側は当該ＣＢグループのデータのみを再送信すればよい。したがって、リソースを節約することができ、送信効率が向上する。例えば、１つのＣＢグループ内の各ＣＢを復号した後に取得したデータのＣＲＣが成功した場合、当該ＣＢグループの送信に成功したことを送信側に通知するためにＡＣＫがフィードバックされる。あるいは、１つのＣＢグループ内のあるＣＢを復号した後に取得したデータのＣＲＣが失敗した場合、当該ＣＢグループの送信に失敗したことを送信側に通知するためにＮＡＣＫがフィードバックされ、送信側は当該ＣＢグループのデータを再送信してもよい。
【手続補正３】
【補正対象書類名】明細書
【補正対象項目名】００２６
【補正方法】変更
【補正の内容】
【００２６】
第２の態様によれば、データ送信方法が提供され、本方法は、ＴＢをｍ個の符号ブロックＣＢグループに分割する段階であって、ｍは２以上の整数であり、ＣＢグループは少なくとも１つのＣＢを含む、段階と、ｍ個のＣＢグループの符号化変調データを第１の時間−周波数リソースにマッピングする段階と、第１の時間−周波数リソースにマッピングされたデータを送出する段階とを含む。この技術的解決手段において、１つのＴＢが複数のＣＢグループに分割され、各ＣＢグループは少なくとも１つのＣＢを含む。このように、１つのＣＢグループのデータ又は１つのＣＢグループ内の１つ又は複数のＣＢのデータの送信に失敗したと受信側が判定した場合、送信側は当該ＣＢグループのデータのみを再送信すればよい。したがって、リソースを節約することができ、送信効率が向上する。ｍを決定する手順については、第１の態様を参照されたい。詳細は、ここで再度説明しない。
【手続補正４】
【補正対象書類名】明細書
【補正対象項目名】００２９
【補正方法】変更
【補正の内容】
【００２９】
実行可能な設計例において、本方法はさらに、各ＣＢグループをＣ個のＣＢに分割する段階を含んでよく、各ＣＢにＣＲＣを付加する場合、Ｃ＝ｃｅｉｌ（Ｂ／（ＣＢｍａｘ−ＣＢＣＲＣ））となり、各ＣＢにＣＲＣを付加しない場合、Ｃ＝ｃｅｉｌ（Ｂ／ＣＢｍａｘ）となる。ｃｅｉｌ（）は端数を切り上げることを示し、ＢはＣＢグループのデータサイズを示し、ＣＢｍａｘはＣＢのデータサイズの最大値を示し、ＣＢＣＲＣはＣＢに付加するＣＲＣのサイズを示す。ＣＢグループにＣＲＣを付加しない場合、ＣＢグループのデータサイズＢはＣＢグループのデータサイズＬＣＢｇｒｏｕｐである。ＣＢグループにＣＲＣを付加する場合、ＣＢグループのデータサイズＢは、ＣＢグループのデータサイズＬＣＢｇｒｏｕｐとＣＢグループに付加するＣＲＣのサイズＣＢＧｒｏｕｐＣＲＣとの合計になる。実行可能な設計例により、ＣＢグループを複数のＣＢに分割する方法が提供される。具体的には、ＣＢグループをＣ個のＣＢに分割し、ＣＢにＣＲＣを付加しない場合、Ｃ＝ｃｅｉｌ（ＬＣＢｇｒｏｕｐ／ＣＢｍａｘ）となり、ＣＢグループをＣ個のＣＢに分割し、ＣＢにＣＲＣを付加する場合、Ｃ＝ｃｅｉｌ（ＬＣＢｇｒｏｕｐ／（ＣＢｍａｘ−ＣＢＣＲＣ））となり、ＣＢグループ及びＣＢグループに付加したＣＲＣをＣ個のＣＢに分割し、ＣＢにＣＲＣを付加しない場合、Ｃ＝ｃｅｉｌ（（ＬＣＢｇｒｏｕｐ＋ＣＢＧｒｏｕｐＣＲＣ）／ＣＢｍａｘ）となり、又は、ＣＢグループ及びＣＢグループに付加したＣＲＣをＣ個のＣＢに分割し、ＣＢグループにＣＲＣを付加した場合、Ｃ＝ｃｅｉｌ（（ＬＣＢｇｒｏｕｐ＋ＣＢＧｒｏｕｐＣＲＣ）／（ＣＢｍａｘ−ＣＢＣＲＣ））となる。
【手続補正５】
【補正対象書類名】明細書
【補正対象項目名】００３６
【補正方法】変更
【補正の内容】
【００３６】
実行可能な設計例において、本方法はさらに、Ｍビットのハイブリッド自動再送要求ＨＡＲＱインジケータをフィードバックする段階を含んでよい。ＨＡＲＱインジケータの各ビットは、対応するＣＢグループのデータが正しく受信されたかどうかを示すのに用いられ、ＭはＣＢグループの個数の最大値又はＣＢグループの個数の実際の値ｍである。任意選択的に、ＴＢの復号に失敗すると（具体的には、ＣＲＣが失敗すると）、ＭビットのＮＡＣＫインジケーションがフィードバックされる。
【手続補正６】
【補正対象書類名】明細書
【補正対象項目名】００３７
【補正方法】変更
【補正の内容】
【００３７】
実行可能な設計例において、ｍ個のＣＢグループを第１の時間−周波数リソースから取得した後に、本方法はさらに、各ＣＢグループのデータをＣ個のＣＢに分割する段階を含んでよい。各ＣＢに巡回冗長検査ＣＲＣを付加する場合、Ｃ＝ｃｅｉｌ（Ｂ／（ＣＢｍａｘ−ＣＢＣＲＣ））となり、各ＣＢにＣＲＣを付加しない場合、Ｃ＝ｃｅｉｌ（Ｂ／ＣＢｍａｘ））となる。ｃｅｉｌ（）は端数を切り上げることを示し、ＢはＣＢグループのデータサイズを示し、ＣＢｍａｘはＣＢのデータサイズの最大値を示し、ＣＢＣＲＣはＣＢに付加するＣＲＣのサイズを示す。ＣＢグループにＣＲＣを付加しない場合、ＣＢグループのデータサイズはＣＢグループのデータサイズである。ＣＢグループにＣＲＣを付加する場合、ＣＢグループのデータサイズは、ＣＢグループのデータサイズとＣＢグループに付加するＣＲＣのサイズとの合計になる。
【手続補正７】
【補正対象書類名】明細書
【補正対象項目名】００６８
【補正方法】変更
【補正の内容】
【００６８】
実行可能な設計例において、本装置の構成には、プロセッサと、システムバスと、通信インタフェースとが含まれる。プロセッサは、第１の態様で提供された方法の対応する機能を実行する際に、本装置をサポートするように構成される。通信インタフェースは、本装置と別のネットワークエレメントとの間の通信をサポートするように構成される。本装置はさらに、メモリを含んでよい。メモリは、プロセッサに結合され、本装置の必要なプログラム命令及び必要なデータを格納するように構成される。通信インタフェースは、具体的には送受信機であってよい。
【手続補正８】
【補正対象書類名】明細書
【補正対象項目名】００７０
【補正方法】変更
【補正の内容】
【００７０】
実行可能な設計例において、本装置の構成には、プロセッサと、システムバスと、通信インタフェースとが含まれる。プロセッサは、第２の態様で提供された方法の対応する機能を実行する際に、本装置をサポートするように構成される。通信インタフェースは、本装置と別のネットワークエレメント（例えば、受信側）との間の通信をサポートするように構成される。本装置はさらに、メモリを含んでよい。メモリは、プロセッサに結合され、本装置の必要なプログラム命令及び必要なデータを格納するように構成される。通信インタフェースは、具体的には送受信機であってよい。
【手続補正９】
【補正対象書類名】明細書
【補正対象項目名】００７２
【補正方法】変更
【補正の内容】
【００７２】
実行可能な設計例において、本装置の構成には、プロセッサと、システムバスと、通信インタフェースとが含まれる。プロセッサは、第３の態様で提供された方法の対応する機能を実行する際に、本装置をサポートするように構成される。通信インタフェースは、本装置と別のネットワークエレメント（例えば、受信側）との間の通信をサポートするように構成される。本装置はさらに、メモリを含んでよい。メモリは、プロセッサに結合され、本装置の必要なプログラム命令及び必要なデータを格納するように構成される。通信インタフェースは、具体的には送受信機であってよい。
【手続補正１０】
【補正対象書類名】明細書
【補正対象項目名】０１００
【補正方法】変更
【補正の内容】
【０１００】
実行可能な設計例において、第３の態様のマッピング関係に基づいてｍ個のＣＢグループを第１の時間−周波数リソースから取得する段階の後に、第３の態様で提供された方法はさらに、各ＣＢグループのデータをＣ個のＣＢに分割する段階を含んでよい。それに応じて、第４の態様で提供される装置はさらに、各ＣＢグループのデータをＣ個のＣＢに分割するように構成された分割モジュールを含んでよい。Ｃの値の決定方法については、前述の事項を参照されたい。
【手続補正１１】
【補正対象書類名】明細書
【補正対象項目名】０１０３
【補正方法】変更
【補正の内容】
【０１０３】
実行可能な設計例において、本装置の構成には、プロセッサと、システムバスと、通信インタフェースとが含まれる。プロセッサは、第１の態様で提供された方法の対応する機能を実行する際に、本装置をサポートするように構成される。通信インタフェースは、本装置と別のネットワークエレメント（例えば、受信側）との間の通信をサポートするように構成される。本装置はさらに、メモリを含んでよい。メモリは、プロセッサに結合され、本装置の必要なプログラム命令及び必要なデータを格納するように構成される。通信インタフェースは、具体的には送受信機であってよい。
【手続補正１２】
【補正対象書類名】明細書
【補正対象項目名】０１０６
【補正方法】変更
【補正の内容】
【０１０６】
実行可能な設計例において、本装置の構成には、プロセッサと、システムバスと、通信インタフェースとが含まれる。プロセッサは、第３の態様で提供された方法の対応する機能を実行する際に、本装置をサポートするように構成される。通信インタフェースは、本装置と別のネットワークエレメント（例えば、送信側）との間の通信をサポートするように構成される。本装置はさらに、メモリを含んでよい。メモリは、プロセッサに結合され、本装置の必要なプログラム命令及び必要なデータを格納するように構成される。通信インタフェースは、具体的には送受信機であってよい。
【手続補正１３】
【補正対象書類名】明細書
【補正対象項目名】０１１３
【補正方法】変更
【補正の内容】
【０１１３】
【図３】本発明の一実施形態によるスシステムアーキテクチャである。
【手続補正１４】
【補正対象書類名】明細書
【補正対象項目名】０１３５
【補正方法】変更
【補正の内容】
【０１３５】
本発明の実施形態において提供される技術的解決手段は、図３に示すシステムアーキテクチャに適用され得る。図３に示すシステムアーキテクチャは、送信側及び受信側を含む。送信側及び受信側は両方とも、限定されることはないが、基地局及びユーザ機器などを含んでよい。
【手続補正１５】
【補正対象書類名】明細書
【補正対象項目名】０１５８
【補正方法】変更
【補正の内容】
【０１５８】
本発明のこの実施形態におけるＣＢグループが、ＴＢと比較して、小ＴＢ又はサブＴＢなどとも呼ばれる場合があることに留意されたい。さらに、具体的に実装する際に、送信側は代替的にＴＢを１つのＣＢグループに分割してよい。この場合、当該ＣＢグループは、ＴＢと同じ意味を有する。
【手続補正１６】
【補正対象書類名】明細書
【補正対象項目名】０１６５
【補正方法】変更
【補正の内容】
【０１６５】
ケース２では、図５に示す任意の２つのＣＣＵ、又は図６に示すＣＣＵ１及びＣＣＵ５のように、異なるＣＣＵが、時間領域で重複して周波数領域で重複しない。
【手続補正１７】
【補正対象書類名】明細書
【補正対象項目名】０１７６
【補正方法】変更
【補正の内容】
【０１７６】
受信側によるハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）インジケータのフィードバックに関するオーバーヘッド、制御インジケーションのオーバーヘッド、及び／又はＣＣＵの個数制限などの要因を考慮して、送信側がＣＢグループの個数の最大値ＮＧｒｏｕｐ＿ｍａｘを設定してよいことに留意されたい。
【手続補正１８】
【補正対象書類名】明細書
【補正対象項目名】０２３６
【補正方法】変更
【補正の内容】
【０２３６】
（２）ＣＢグループがＣ個のＣＢに分割され、ＣＢにＣＲＣを付加する場合、Ｃ＝ｃｅｉｌ（ＬＣＢｇｒｏｕｐ／（ＣＢｍａｘ−ＣＢＣＲＣ））である。
【手続補正１９】
【補正対象書類名】明細書
【補正対象項目名】０２５０
【補正方法】変更
【補正の内容】
【０２５０】
図１０は、本発明の一実施形態による別のデータ送信方法の概略フローチャートである。任意選択の実施例の関連内容の説明については、前述の事項を参照されたい。本方法は、以下の段階、すなわちＳ２０１〜Ｓ２０４を含んでよい。
【手続補正２０】
【補正対象書類名】明細書
【補正対象項目名】０２５２
【補正方法】変更
【補正の内容】
【０２５２】
制御情報はＤＣＩであってよい。ＤＣＩの設計方式については、前述の事項を参照されたい。ＴＢに関する情報は、ＴＢのデータサイズを含む。任意選択的に、ＴＢに関する情報はさらに、以下の情報のうちの少なくとも１つを含んでよい。すなわち、ＴＢを分割することにより取得されるＣＢグループの個数の実際の値ｍ、ＴＢがマッピングされるＣＣＵの個数、ＴＢをｍ個のＣＢグループに分割するための分割ルール、ＣＢグループを複数のＣＢの分割するための分割ルール、少なくとも１つのＣＢグループの識別子、少なくとも１つのＣＢグループがマッピングされるＣＣＵの識別子、又はＣＣＵの構成方式などである。
【手続補正２１】
【補正対象書類名】明細書
【補正対象項目名】０２６４
【補正方法】変更
【補正の内容】
【０２６４】
例えば、各ＣＢにＣＲＣを付加し、各ＣＢグループにＣＲＣを付加する場合、１つのＣＢグループ内の全てのＣＢのＣＲＣが正しく且つＣＢグループのＣＲＣが正しいとき、受信側は当該ＣＢグループに対応するビットでＡＣＫをフィードバックする。又は、１つのＣＢグループ内の少なくとも１つのＣＢのＣＲＣが正しくないか、若しくはＣＢグループのＣＲＣが正しくないとき、受信側はＮＡＣＫをフィードバックする。各ＣＢにＣＲＣを付加し且つＣＢグループにＣＲＣを付加しない場合、１つのＣＢグループ内の全てのＣＢのＣＲＣが正しいとき、受信側は当該ＣＢグループに対応するビットでＡＣＫをフィードバックする。又は、１つのＣＢグループ内の少なくとも１つのＣＢのＣＲＣが正しくないとき、受信側はＮＡＣＫをフィードバックする。
【手続補正２２】
【補正対象書類名】明細書
【補正対象項目名】０２７８
【補正方法】変更
【補正の内容】
【０２７８】
第２の送信プロセスでは、再送信データ及び新規データＴＢ２を送信するために、送信側は、利用可能なＣＣＵ（すなわち、ＣＣＵ２及びＣＣＵ４）に基づいて新規データＴＢ２のサイズを決定し、次に、ＴＢ２のサイズに基づき、また上記に提供された方法に従って、ＴＢ２を１つのＣＢグループに分割してよい。１つのＣＢグループはＣＢグループ２．１と表示される。次に送信側は、図１２の（ｂ）に示すように、当該ＣＢグループをＣＣＵ２及びＣＣＵ４にマッピングする。第１の送信プロセスにおいて受信側が送信側にフィードバックするＡＣＫ／ＮＡＣＫは、ＣＢ１のデータ及びＣＢ３のデータを再送信する必要があることを示す。
【手続補正２３】
【補正対象書類名】明細書
【補正対象項目名】０２８０
【補正方法】変更
【補正の内容】
【０２８０】
第１に、前述の実施形態では、複数のＣＢグループのデータを再送信する必要がある場合、送信側は１つの送信プロセスで複数のＣＢグループのデータを再送信する。実際に実装する際に、複数のＣＢグループのデータは代替的に、複数の送信プロセスで再送信されてもよい。この場合、任意選択的に、現在再送信されるＣＢグループに関する情報が、各送信プロセスのＤＣＩ内に示されてよい。現在再送信されるＣＢグループに関する情報は、以下の情報のうちの少なくとも１つを含んでよい。すなわち、ＣＢグループの識別子、及びＣＢグループが属するＴＢの識別子である。
【手続補正２４】
【補正対象書類名】明細書
【補正対象項目名】０２８９
【補正方法】変更
【補正の内容】
【０２８９】
この技術的解決手段において、１つのＴＢが複数のＣＢグループに分割され、各ＣＢグループは少なくとも１つのＣＢを含む。このように、１つのＣＢグループのデータ又は１つのＣＢグループ内の１つ又は複数のＣＢのデータの送信に失敗したと受信側が判定した場合、送信側は当該ＣＢグループのデータのみを再送信すればよい。したがって、リソースを節約することができ、送信効率が向上する。
【手続補正２５】
【補正対象書類名】明細書
【補正対象項目名】０２９９
【補正方法】変更
【補正の内容】
【０２９９】
プロセッサ１５０１は１つのプロセッサであってもよく、又は複数の処理要素の総称であってもよい。例えば、プロセッサ１５０１は、中央演算処理装置（ｃｅｎｔｒａｌ  ｐｒｏｃｅｓｓｉｎｇ  ｕｎｉｔ、ＣＰＵ）、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）若しくは別のプログラム可能型論理デバイス、トランジスタロジックデバイス、ハードウェアコンポーネント、又はこれらの任意の組み合わせであってよい。プロセッサ１５０１は、本発明において開示される内容に関連して説明された論理的なブロック、モジュール、及び回路の様々な例を実現又は実行し得る。汎用プロセッサは、マイクロプロセッサであってよい。あるいは、プロセッサは、任意の従来のプロセッサなどであってもよい。あるいは、プロセッサ１５０１は、専用プロセッサであってもよい。専用プロセッサは、ベースバンド処理チップ及び無線周波数処理チップなどのうちの少なくとも１つを含んでよい。専用プロセッサはさらに、データ送信装置１５０の別の専用処理機能を有するチップを含んでもよい。
【手続補正２６】
【補正対象書類名】明細書
【補正対象項目名】０３０２
【補正方法】変更
【補正の内容】
【０３０２】
通信インタフェース１５０４は具体的に、データ送信装置１５０の送受信機であってよい。当該送受信機は無線送受信機であってよい。例えば、無線送受信機は、データ送信装置１５０のアンテナであってよい。プロセッサ１５０１は、通信インタフェース１５０４を通じて、基地局などの別のデバイスからデータを受信する、又は基地局などの別のデバイスにデータを送出する。
【手続補正２７】
【補正対象書類名】明細書
【補正対象項目名】０３０４
【補正方法】変更
【補正の内容】
【０３０４】
機能に従って分割された機能モジュールが構成される場合、図１６は、一実施形態によるデータ送信装置１６０の実行可能な概略構造図である。データ送信装置１６０は前述の受信側であってよい。データ送信装置１６０は、受信モジュール１６０１と、決定モジュール１６０２と、取得モジュール１６０３とを含んでよい。任意選択的に、データ送信装置１６０はさらに分割モジュール１６０４を含んでよい。これらの機能モジュールのそれぞれの機能は、上記に提供したそれぞれの方法の実施形態の段階から推定することができる。あるいは、これらの機能モジュールのそれぞれの機能については、発明の概要の部分に提供される内容を参照されたい。詳細は、ここで再度説明しない。
【手続補正２８】
【補正対象書類名】明細書
【補正対象項目名】０３１６
【補正方法】変更
【補正の内容】
【０３１６】
以上の説明は、単に本発明の具体的な実施例にすぎず、本発明の保護範囲を限定することを意図してはいない。本発明において開示された技術的範囲内で、当業者が容易に考え出せる任意の変形又は置き換えは、本発明の保護範囲に含まれることになる。したがって、本発明の保護範囲は、特許請求の範囲に記載の保護範囲によって決まることになる。
（項目１）
データ送信方法であって、
制御情報、及び第１の時間−周波数リソースにマッピングされたトランスポートブロックＴＢのデータを受信する段階と、
上記ＴＢ内のｍ個の符号ブロックＣＢグループを取得して、上記ｍ個のＣＢグループの復調復号データを連結することによって１つのＴＢのデータを生成する段階であって、ｍは正の整数であり、ｍ＝ｍｉｎ（ＮＣＢ＿ｒｅ，ＮＧｒｏｕｐ＿ｍａｘ）であり、ＮＣＢ＿ｒｅは上記ＴＢ内のＣＢの個数であり、ＮＧｒｏｕｐ＿ｍａｘはＣＢグループの個数の最大値であり、上記ｍ個のＣＢグループのそれぞれは少なくとも１つのＣＢを含み、ＮＣＢ＿ｒｅはＴＢサイズＴＢＳ及びＣＢのデータサイズの最大値に基づいて決定される、段階と
を備える、方法。
（項目２）
上記ｍ個のＣＢグループのそれぞれの中にあるＣＢの個数がＣ＋又はＣ−であり、
【数２９】
2019534647.tif 000067
及び
【数３０】
2019534647.tif 000068
である、項目１に記載の方法。
（項目３）
上記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋という関係が満たされる、項目２に記載の方法。
（項目４）
上記制御情報は１つの冗長バージョンＲＶを含み、上記ＲＶは、上記ＴＢが用いるＲＶを示すのに用いられる、項目１から３のいずれか一項に記載の方法。
（項目５）
上記制御情報はＮＧｒｏｕｐ＿ｍａｘビットの情報を含み、上記ＮＧｒｏｕｐ＿ｍａｘビットの情報は、上記ｍ個のＣＢグループのそれぞれのデータを再送信するかどうかを示すのに用いられる、項目１から４のいずれか一項に記載の方法。
（項目６）
上記方法はさらに、ＮＧｒｏｕｐ＿ｍａｘビットの肯定応答／否定応答ＡＣＫ／ＮＡＣＫをフィードバックする段階を備える、項目１から５のいずれか一項に記載の方法。
（項目７）
ＮＧｒｏｕｐ＿ｍａｘビットのそれぞれは、対応するＣＢグループのデータが正しく検査されたかどうかを示すのに用いられる、項目１から６のいずれか一項に記載の方法。
（項目８）
データ送信方法であって、
トランスポートブロックＴＢのｍ個の符号ブロックＣＢグループの一部又は全ての符号化変調データを第１の時間−周波数リソースにマッピングする段階であって、ｍは正の整数であり、上記ｍ個のＣＢグループのそれぞれは少なくとも１つのＣＢを含み、ｍ＝ｍｉｎ（ＮＣＢ＿ｒｅ，ＮＧｒｏｕｐ＿ｍａｘ）であり、ＮＣＢ＿ｒｅは上記ＴＢ内のＣＢの個数であり、ＮＧｒｏｕｐ＿ｍａｘはＣＢグループの個数の最大値であり、ＮＣＢ＿ｒｅはＴＢサイズＴＢＳ及びＣＢのデータサイズの最大値に基づいて決定される、段階と、
制御情報、及び上記第１の時間−周波数リソース上にあるデータを送出する段階であって、上記制御情報は上記ＴＢに関する情報を含む、段階と
を備える方法。
（項目９）
上記ｍ個のＣＢグループのそれぞれの中にあるＣＢの個数がＣ＋又はＣ−であり、
【数３１】
2019534647.tif 000069
及び
【数３２】
2019534647.tif 000070
である、項目８に記載の方法。
（項目１０）
上記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋という関係が満たされる、項目９に記載の方法。
（項目１１）
上記制御情報は１つの冗長バージョンＲＶを含み、上記ＲＶは、上記ＴＢが用いるＲＶを示すのに用いられる、項目８から１０のいずれか一項に記載の方法。
（項目１２）
上記制御情報はＮＧｒｏｕｐ＿ｍａｘビットの情報を含み、上記ＮＧｒｏｕｐ＿ｍａｘビットの情報は、上記ｍ個のＣＢグループのそれぞれのデータを再送信するかどうかを示すのに用いられる、項目８から１１のいずれか一項に記載の方法。
（項目１３）
上記方法はさらに、ＮＧｒｏｕｐ＿ｍａｘビットのＡＣＫ／ＮＡＣＫを受信する段階を備える、項目８から１２のいずれか一項に記載の方法。
（項目１４）
ＮＧｒｏｕｐ＿ｍａｘビットのそれぞれは、対応するＣＢグループのデータが正しく検査されたかどうかを示すのに用いられる、項目８から１３のいずれか一項に記載の方法。
（項目１５）
通信装置であって、
制御情報、及び第１の時間−周波数リソースにマッピングされたトランスポートブロックＴＢのデータを受信するように構成された受信モジュールと、
上記ＴＢ内のｍ個の符号ブロックＣＢグループを取得して、上記ｍ個のＣＢグループの復調復号データを連結することによって１つのＴＢのデータを生成するように構成された処理モジュールであって、ｍは正の整数であり、ｍ＝ｍｉｎ（ＮＣＢ＿ｒｅ，ＮＧｒｏｕｐ＿ｍａｘ）であり、ＮＣＢ＿ｒｅは上記ＴＢ内のＣＢの個数であり、ＮＧｒｏｕｐ＿ｍａｘはＣＢグループの個数の最大値であり、上記ｍ個のＣＢグループのそれぞれは少なくとも１つのＣＢを含み、ＮＣＢ＿ｒｅはＴＢサイズＴＢＳ及びＣＢのデータサイズの最大値に基づいて決定される、処理モジュールと
を備える、装置。
（項目１６）
上記ｍ個のＣＢグループのそれぞれの中にあるＣＢの個数がＣ＋又はＣ−であり、
【数３３】
2019534647.tif 000071
及び
【数３４】
2019534647.tif 000072
である、項目１５に記載の装置。
（項目１７）
上記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋という関係が満たされる、項目１６に記載の装置。
（項目１８）
上記制御情報は１つの冗長バージョンＲＶを含み、上記ＲＶは、上記ＴＢが用いるＲＶを示すのに用いられる、項目１５から１７のいずれか一項に記載の装置。
（項目１９）
上記制御情報はＮＧｒｏｕｐ＿ｍａｘビットの情報を含み、上記ＮＧｒｏｕｐ＿ｍａｘビットの情報は、上記ｍ個のＣＢグループのそれぞれのデータを再送信するかどうかを示すのに用いられる、項目１５から１８のいずれか一項に記載の装置。
（項目２０）
上記装置はさらに、ＮＧｒｏｕｐ＿ｍａｘビットの肯定応答／否定応答ＡＣＫ／ＮＡＣＫをフィードバックするように構成された送出モジュールを備える、項目１５から１９のいずれか一項に記載の装置。
（項目２１）
ＮＧｒｏｕｐ＿ｍａｘビットのそれぞれは、対応するＣＢグループのデータが正しく検査されたかどうかを示すのに用いられる、項目１５から２０のいずれか一項に記載の装置。
（項目２２）
通信装置であって、
トランスポートブロックＴＢのｍ個の符号ブロックＣＢグループの一部又は全ての符号化変調データを第１の時間−周波数リソースにマッピングするように構成された処理モジュールであって、ｍは正の整数であり、上記ｍ個のＣＢグループのそれぞれは少なくとも１つのＣＢを含み、ｍ＝ｍｉｎ（ＮＣＢ＿ｒｅ，ＮＧｒｏｕｐ＿ｍａｘ）であり、ＮＣＢ＿ｒｅは上記ＴＢ内のＣＢの個数であり、ＮＧｒｏｕｐ＿ｍａｘはＣＢグループの個数の最大値であり、ＮＣＢ＿ｒｅはＴＢサイズＴＢＳ及びＣＢのデータサイズの最大値に基づいて決定される、処理モジュールと、
制御情報、及び上記第１の時間−周波数リソース上にあるデータを送出するように構成された送出モジュールであって、上記制御情報は上記ＴＢに関する情報を含む、送出モジュールと
を備える、装置。
（項目２３）
上記ｍ個のＣＢグループのそれぞれの中にあるＣＢの個数がＣ＋又はＣ−であり、
【数３５】
2019534647.tif 000073
及び
【数３６】
2019534647.tif 000074
である、項目２２に記載の装置。
（項目２４）
上記ｍ個のＣＢグループのうち、最初のＮ＋個のＣＢグループのそれぞれはＣ＋個のＣＢを含み、最後のＮ−個のＣＢグループのそれぞれはＣ−個のＣＢを含み、Ｎ＋＝ＮＣＢ＿ｒｅ−ｍＣ−、及びＮ−＝ｍ−Ｎ＋という関係が満たされる、項目２３に記載の装置。
（項目２５）
上記制御情報は１つの冗長バージョンＲＶを含み、上記ＲＶは、上記ＴＢが用いるＲＶを示すのに用いられる、項目２２から２４のいずれか一項に記載の装置。
（項目２６）
上記制御情報はＮＧｒｏｕｐ＿ｍａｘビットの情報を含み、上記ＮＧｒｏｕｐ＿ｍａｘビットの情報は、上記ｍ個のＣＢグループのそれぞれのデータを再送信するかどうかを示すのに用いられる、項目２２から２５のいずれか一項に記載の装置。
（項目２７）
上記装置はさらに、ＮＧｒｏｕｐ＿ｍａｘビットのＡＣＫ／ＮＡＣＫを受信するように構成された受信モジュールを備える、項目２２から２６のいずれか一項に記載の装置。
（項目２８）
ＮＧｒｏｕｐ＿ｍａｘビットのそれぞれは、対応するＣＢグループのデータが正しく検査されたかどうかを示すのに用いられる、項目２２から２７のいずれか一項に記載の装置。
（項目２９）
プロセッサと、メモリと、送受信機ユニットとを備える通信装置であって、
上記メモリは、コンピュータプログラム又は命令を格納するように構成され、
上記プロセッサは、上記メモリに格納された上記コンピュータプログラム又は上記命令を実行して、情報及びデータを送受信するよう上記送受信機ユニットを制御するように構成され、
上記メモリに格納された上記コンピュータプログラム又は上記命令を上記プロセッサが実行した場合、上記通信装置は、項目１から１４のいずれか一項に記載の方法を遂行するように構成される、通信装置。
（項目３０）
上記送受信機ユニットは、送受信機又は入出力インタフェースである、項目２９に記載の通信装置。
（項目３１）
コンピュータソフトウェア命令を格納するように構成されたコンピュータ可読記憶媒体であって、上記コンピュータソフトウェア命令は項目１から１４のいずれか一項に記載の方法を実施するのに用いられる、コンピュータ可読記憶媒体。
（項目３２）
コンピュータプログラム製品であって、上記コンピュータプログラム製品がコンピュータ上で起動すると、上記コンピュータは項目１から１４のいずれか一項に記載の方法を実施する、コンピュータプログラム製品。
【国際調査報告】
2019534647.tif 000075
2019534647.tif 000076
2019534647.tif 000077
2019534647.tif 000078